(57)【要約】      （修正有）【課題】太陽電池モジュールの屋根下地上への設置が容易であり、防水性及び排水性を有するとともに設置コストが安い太陽電池モジュールの設置構造を提供する。【解決手段】屋根下地２０２上であって屋根の軒棟方向に架台４を複数本平行に設置し、太陽電池モジュール５の短辺の縁部９ａ及び長辺の縁部に縦フレーム部の支持部及び横フレーム部の支持部を固定して太陽電池モジュール体６１を形成したのち、隣り合う二つの架台４，４のフレーム支持部６３の係止用突部に太陽電池モジュール体６１の縦フレーム部の係止部を係止させる。それと同時に、フレーム支持部６３のフランジ部に縦フレーム部の脚部１０を支持させて、架台４に太陽電池モジュール体６１を設置する。【選択図】図１２
2015052231.tif 000002
【特許請求の範囲】
【請求項１】
縦フレーム部と横フレーム部と架台とからなる屋根下地上に太陽電池モジュールを設置するための太陽電池モジュールの設置構造であって、前記縦フレーム部は係止部と支持部とを有し、前記横フレーム部は支持部を有し、前記架台は土台部と該土台部に立設されたフレーム支持部とを有し、前記太陽電池モジュールの短辺及び長辺の縁部が前記縦フレーム部の前記支持部及び前記横フレーム部の前記支持部に支持されるとともに固定されて太陽電池モジュール体が形成され、前記屋根下地上の軒棟方向に複数本の前記架台が互いに平行に設置され、前記太陽電池モジュール体の前記縦フレーム部の前記係止部が前記架台の前記フレーム支持部の係止用突部と係止することで、設置された複数本の前記架台の間に前記太陽電池モジュール体が設置されていることを特徴とする太陽電池モジュールの設置構造。
【請求項２】
前記縦フレーム部は脚部を有し、該脚部が前記架台の前記フレーム支持部が有するフランジ部に支持されていることを特徴とする請求項１記載の太陽電池モジュールの設置構造。
【請求項３】
前記太陽電池モジュールの設置構造の周囲が雨水の浸入を防止する部材等によって覆われ、全体が防水性を有することを特徴とする請求項１または請求項２記載の太陽電池モジュールの設置構造。
【請求項４】
屋根の軒先部に軒先部材が設けられていることを特徴とする請求項１ないし請求項３までのいずれか１項に記載の太陽電池モジュールの設置構造。
【請求項５】
屋根の棟部に棟部材が設けられていることを特徴とする請求項１ないし請求項４までのいずれか１項に記載の太陽電池モジュールの設置構造。
【請求項６】
屋根の袖部にケラバ部材が設けられていることを特徴とする請求項１ないし請求項５までのいずれか１項に記載の太陽電池モジュールの設置構造。
【請求項７】
前記横フレーム部の上辺フレーム部と下辺フレーム部のいずれか一方が突出部を有し、他方が該突出部と嵌合可能な凹部を有することを特徴とする請求項１ないし請求項６までのいずれか１項に記載の太陽電池モジュールの設置構造。
【請求項８】
前記架台は、前記土台部の幅方向の両端付近に、前記架台の全長に亘って延びる仕切り部を有することを特徴とする請求項１ないし請求項７までのいずれか１項に記載の太陽電池モジュールの設置構造。
【請求項９】
前記上辺フレーム部または前記下辺フレーム部のいずれか一方が雨樋部を有することを特徴とする請求項１ないし請求項８までのいずれか１項に記載の太陽電池モジュール設置構造。
【請求項１０】
前記縦フレーム部及び前記横フレーム部の前記支持部は、該支持部の支持溝内に突出する膨出部を有することを特徴とする請求項１ないし請求項９までのいずれか１項に記載の太陽電池モジュール設置構造。
【請求項１１】
前記架台の前記係止用突部の上面と、該上面と係止する前記縦フレーム部の前記係止部の底面とのいずれか一方または両方が突起部を有することを特徴とする請求項１ないし請求項１０までのいずれか１項に記載の太陽電池モジュール設置構造。
【請求項１２】
前記架台の底板部の裏面に波状面を有することを特徴とする請求項１ないし請求項１１までのいずれか１項に記載の太陽電池モジュールの設置構造。
【請求項１３】
前記上辺フレーム部及び前記下辺フレーム部は底板部を有し、いずれか一方の前記底板部が段部を有することを特徴とする請求項１ないし請求項１２までのいずれか１項に記載の太陽電池モジュール設置構造。
【請求項１４】
前記架台の前記フランジ部はその上面に係止片を有することを特徴とする請求項１ないし請求項１３までのいずれか１項に記載の太陽電池モジュール設置構造。
【請求項１５】
前記上辺フレーム部または前記下辺フレーム部のいずれか一方が有する前記突出部の先端部が断面略半円状または断面略三角形状であることを特徴とする請求項１ないし請求項１４までのいずれか１項に記載の太陽電池モジュールの設置構造。
【請求項１６】
前記上辺フレーム部の上面または前記下辺フレーム部の上面に雪止め部を有することを特徴とする請求項１ないし請求項１５までのいずれか１項に記載の太陽電池モジュールの設置構造。
【発明の詳細な説明】
【技術分野】
【０００１】
本発明は、太陽電池モジュールの設置構造、詳しくは屋根への太陽電池モジュールの施工が容易な設置構造に関する。
【背景技術】
【０００２】
近年、地球環境に配慮したクリーンエネルギーである太陽光を利用して発電を行い、二酸化炭素（ＣＯ２)の排出量を減らそうとするエコの意識が世の中で高まっている。そのため、自宅の屋根に太陽光で発電する太陽電池モジュールを設置し、調理・給湯・空調などのシステムをすべて電気でまかなう家庭も年々増加している。
【０００３】
従来の自宅の屋根に太陽電池モジュールを設置する構造としては、屋根材の上に固定された架台等の取付金具によって太陽電池モジュールを支持しながら設置するいわゆる屋根置き型の設置構造や、屋根材であるベース材上に固定部材を介して太陽電池モジュールが固定された太陽電池モジュール一体型屋根材を用いて屋根を葺きながら設置する構造等が存在する。
【先行技術文献】
【特許文献】
【０００４】
【特許文献１】特開２００７−２２４５３８号公報
【特許文献２】特開２００６−３２８８８７号公報
【特許文献３】特開平０９−１８６３５４号公報
【０００５】
しかし、屋根材の上に固定された取付金具によって太陽電池モジュールを支持しながら設置する従来の設置構造は、まず始めに屋根材の上に架台等の多くの取付金具をネジ等により固定しなければならないため、太陽電池モジュールの取付作業に多くの時間を必要としていた。また、上記方法は屋根材にネジ孔を開けるため、そのネジ孔から雨水が浸入する可能性があり、雨漏りや野地板の腐食の原因となっていた。また、架台等の取付金具と太陽電池モジュールの重さによって屋根材を傷め易いという欠点があるとともに、取付金具の部品数が多いためコストが高くなるという欠点もあった。
【０００６】
一方、太陽電池モジュールが固定された太陽電池モジュール一体型屋根材を用いて屋根を葺きながら設置する従来の設置構造は、まず始めにベース材上に固定部材を介して太陽電池モジュールを取付けて太陽電池モジュール一体型屋根材を作成する必要があり、太陽電池モジュール一体型屋根材を設置する前段階の作業が煩雑であるため、多くの時間を要していた。
【０００７】
また、太陽電池モジュール一体型屋根材は、屋根材に孔を開けてその孔に太陽電池パネルから伸びる出力ケーブル等を通し、屋根材の裏面側で他の屋根材の太陽電池パネルと電気的に接続する構造であるため、太陽電池モジュール一体型屋根材の作成に手間がかかるとともに、屋根材に開けた孔から雨水が浸入する可能性があり、雨漏りや野地板の腐食の原因ともなっていた。
【０００８】
更に、屋根材の平均寿命が太陽電池モジュールの平均寿命よりもかなり短いため、屋根材だけの交換が必要となる場合があるが、その場合であっても太陽電池モジュール一体型屋根材の全体を交換しなければならず、費用が割高になってしまうという欠点もある。
【発明の概要】
【発明が解決しようとする課題】
【０００９】
そこで本発明は、上記のような従来の欠点を解消するものであり、太陽電池モジュールの設置が容易であり、防水性及び排水性を有するとともに、コストが安い太陽電池モジュールの設置構造を提供することを目的とする。
【課題を解決するための手段】
【００１０】
上記の目的を達成するため、本願の請求項１に係る発明は、縦フレーム部と横フレーム部と架台とからなる屋根下地上に太陽電池モジュールを設置するための太陽電池モジュールの設置構造であって、前記縦フレーム部は係止部と支持部とを有し、前記横フレーム部は支持部を有し、前記架台は土台部と該土台部に立設されたフレーム支持部とを有し、前記太陽電池モジュールの短辺及び長辺の縁部が前記縦フレーム部の前記支持部及び前記横フレーム部の前記支持部に支持されるとともに固定されて太陽電池モジュール体が形成され、前記屋根下地上の軒棟方向に複数本の前記架台が互いに平行に設置され、前記太陽電池モジュール体の前記縦フレーム部の前記係止部が前記架台の前記フレーム支持部の係止用突部と係止することで、設置された複数本の前記架台の間に前記太陽電池モジュール体が設置されていることを特徴とする。また、請求項２に係る発明は、前記縦フレーム部は脚部を有し、該脚部が前記架台の前記フレーム支持部が有するフランジ部に支持されていることを特徴とする。
【００１１】
また、請求項３に係る発明は、前記太陽電池モジュールの設置構造の周囲が雨水の浸入を防止する部材等によって覆われ、全体が防水性を有することを特徴とする。また、請求項４に係る発明は、屋根の軒先部に軒先部材が設けられていることを特徴とする。また、請求項５に係る発明は、屋根の棟部に棟部材が設けられていることを特徴とする。また、請求項６に係る発明は、屋根の袖部にケラバ部材が設けられていることを特徴とする。
【００１２】
また、請求項７に係る発明は、前記横フレーム部の上辺フレーム部と下辺フレーム部のいずれか一方が突出部を有し、他方が該突出部と嵌合可能な凹部を有することを特徴とする。また、請求項８に係る発明は、前記架台は、前記土台部の幅方向の両端付近に、前記架台の全長に亘って延びる仕切り部を有することを特徴とする。また、請求項９に係る発明は、前記上辺フレーム部または前記下辺フレーム部のいずれか一方が雨樋部を有することを特徴とする。また、請求項１０に係る発明は、前記縦フレーム部及び前記横フレーム部の前記支持部は、該支持部の支持溝内に突出する膨出部を有することを特徴とする。
【００１３】
また、請求項１１に係る発明は、前記架台の前記係止用突部の上面と、該上面と係止する前記縦フレーム部の前記係止部の底面とのいずれか一方または両方が突起部を有することを特徴とする。また、請求項１２に係る発明は、前記架台の底板部の裏面に波状面を有することを特徴とする。
【００１４】
また、請求項１３に係る発明は、前記上辺フレーム部及び前記下辺フレーム部は底板部を有し、いずれか一方の前記底板部が段部を有することを特徴とする。また、請求項１４に係る発明は、前記架台の前記フランジ部はその上面に係止片を有することを特徴とする。また、請求項１５に係る発明は、前記上辺フレーム部または前記下辺フレーム部のいずれか一方が有する前記突出部の先端部が断面略半円状または断面略三角形状であることを特徴とする。
【００１５】
また、請求項１６に係る発明は、前記上辺フレーム部の上面または前記下辺フレーム部の上面に雪止め部を有することを特徴とする。
【発明の効果】
【００１６】
上記より、請求項１及び請求項２に係る発明によれば、屋根上に太陽電池モジュールを容易にそして安定的に設置することができるとともに、作業者の屋根上での作業時間を短縮できるため、作業者の安全を確保することができる。また、意匠性の高い太陽電池モジュールの設置構造を提供することができる。
【００１７】
また、請求項３ないし請求項１２に係る発明によれば、太陽電池モジュールの設置構造全体が高い防水性及び排水性を有するため屋根下地上に屋根材を葺く必要がなくなり、新築住宅等への太陽電池モジュールの設置コストを削減することができるとともに、屋根下地上への重量の負担を軽減することができる。また、屋根下地上に屋根材を葺く必要がないため、作業者の屋根上での作業時間を短縮でき、作業者の安全性を確保することができる。
【００１８】
また、請求項１３ないし請求項１５に係る発明によれば、太陽電池モジュールの設置作業が容易になり作業時間を短縮できるとともに、架台からの太陽電池モジュールの脱落を防ぎ、安全に設置作業を行うことが可能となる。
【００１９】
また、請求項１６に係る発明によれば、太陽電池モジュールの上に積もった雪が一気に滑り落ちずに雪止め部で堰き止められるため、不意な落雪による事故を防止することができるとともに、太陽電池モジュールの設置構造内への雪解け水の浸入を防止することができる。
【図面の簡単な説明】
【００２０】
【図１】本発明に係る設置構造に使用する太陽電池モジュール体の斜視図である。
【図２】図１のＡ−Ａ線矢印方向から見た一部断面斜視図である。
【図３】本発明に係る設置構造に使用する縦フレーム部の斜視図である。
【図４】本発明に係る設置構造に使用する上辺フレーム部の斜視図である。
【図５】本発明に係る設置構造に使用する下辺フレーム部の斜視図である。
【図６】本発明に係る設置構造に使用する左辺フレーム部と上辺フレーム部の連結状態を示す拡大斜視図である。
【図７】本発明に係る設置構造に使用する左辺フレーム部と下辺フレーム部の連結状態を示す拡大斜視図である。
【図８】本発明に係る設置構造に使用する架台の斜視図である。
【図９】本発明に係る設置構造に使用する軒先部材の斜視図である。
【図１０】本発明に係る設置構造に使用する棟部材の斜視図である。
【図１１】本発明に係る設置構造に使用するケラバ部材の斜視図である。
【図１２】本発明に係る設置構造を軒側から見た設置状態断面図である。
【図１３】本発明に係る設置構造に使用する上辺フレーム部と下辺フレーム部の連結状態を示す断面図である。
【図１４】本発明に係る設置構造の軒先部付近の断面図である。
【図１５】本発明に係る設置構造の棟部付近の断面図である。
【図１６】本発明に係る設置構造の袖部付近を軒側から見た断面図である。
【図１７】本発明に係る設置構造の斜視図である。
【発明を実施するための形態】
【００２１】
以下、本発明を図１から図１７に従って説明する。尚、以下では本発明に係る実施態様を詳細に説明するが、本発明はこれに限定されるものではない。本発明に係る太陽電池モジュールの設置構造（以下「設置構造」という。）１は、屋根２０１の屋根下地２０２上に縦フレーム部２、横フレーム部３及び架台４を介して太陽電池モジュールモジュール（以下「ＰＶモジュール」という。）５を設置する構造である。
【００２２】
図１等に示すＰＶモジュール５は、一般に使用されている単結晶シリコン系のＰＶモジュールや多結晶シリコン系のＰＶモジュール５である。このＰＶモジュール５は、縦方向の一対の短辺及び横方向の一対の長辺を有する平面視略長方形状であって、薄板状に形成されたものである。そして、表面側６には太陽電池セルが配置され、裏面側８には電極ボックスが配置されるとともに、そこから他のＰＶモジュール５と電気的に接続するための端子ケーブルが伸びている（図示せず）。
【００２３】
縦フレーム部２は、左辺フレーム部２ａと右辺フレーム部２ｂの二つからなる。この左辺フレーム部２ａ及び右辺フレーム部２ｂは、ＰＶモジュール５の左側の短辺及び右側の短辺の縁部９ａを覆う部材である。
【００２４】
図３に示す２ａは左辺レーム部であり、全体が厚さの薄い鋼板またはアルミニウム合金で形成された金属製の枠部材である。そして、その長さはＰＶモジュール５の短辺よりもやや長く形成されている。また、左辺フレーム部２ａは、上下方向に延びる脚部１０を有するとともに、その上方には係止部１１及び支持部１２が設けられている。
【００２５】
脚部１０は左辺フレーム部２ａの全長に亘って設けられている。そして、架台４に左辺フレーム部２ａを設置する際に架台４が傷ついて錆びるのを防止するため、脚部１０の下端部１３には断面半円形状の曲面が形成されている。また、脚部１０の長手方向の両端付近には、横フレーム部４と連結するためのネジ孔１４が二つずつ形成されている。
【００２６】
尚、脚部１０の長手方向の両端付近には支持部１２が設けられていない。そのため、このネジ孔１４を介して左辺フレーム部２ａに後述する横フレーム部３である上辺フレーム部３ａ及び下辺フレーム部３ｂをネジ３０ａで固定し連結することができる。
【００２７】
係止部１１は、脚部１０の上方であって左辺フレーム部２ａの幅方向Ｂの左側Ｂ１に設けられているとともに、左辺フレーム部２ａの全長に亘って設けられている。また、係止部１１は脚部１０の上端部に設けられた上段係止部１１ａと、そのすぐ下部に設けられた下段係止部１１ｂからなる。これら上段係止部１１ａ及び下段係止部１１ｂは、左辺フレーム部２ａを架台４に係止させるための部材であり、脚部１０に対して直角に設けられている。
【００２８】
また、上段係止部１１ａの方が下段係止部１１ｂよりも幅方向Ｂの左側Ｂ１方向に長く形成されている。そして、上段係止部１１ａの先端部１５ａには平面が形成されており、下段係止部１１ｂの先端部１５ｂには断面略半円形状の曲面が形成されている。
【００２９】
そして、下段係止部１１ｂの底面１６ｂには、架台４に左辺フレーム部２ａを設置した際に、架台４と左辺フレーム部２ａの間からの雨水の浸入を防止するための小さな突起部１９が左辺フレーム部２ａの全長に亘って二本設けられている。また、架台４に左辺フレーム部２ａを設置する際に架台４が傷ついて錆びるのを防止するため、突起部１９は断面略半円状に形成されている。尚、突起部１９の本数は一本でも三本以上でもよいが、毛細管現象による雨水の浸入を防止するためには、複数本であることが望ましい。
【００３０】
また、上記のように突起部１９を設けて架台４と縦フレーム部２の接触面積を小さくすることで、突起部１９が無い場合に比べて接触面の面圧が上がり摩擦係数が減少するため、架台４に左辺フレーム部２ａを設置する際の労力が軽減される。
【００３１】
一方、支持部１２は脚部１０の上方であって幅方向Ｂの右側Ｂ２に設けられているとともに、左辺フレーム部２ａの長手方向の両端付近以外のほぼ全長に亘って設けられている。また、支持部１２は脚部１０の上端に設けられた上方支持部１２ａと、そのすぐ下部に設けられた下方支持部１２ｂからなる。
【００３２】
そして、これらの上方支持部１２ａと下方支持部１２ｂは脚部１０に対して直角でほぼ等しい長さに設けられ、上方支持部１２ａと下方支持部１２ｂとの間にはＰＶモジュール５の左側の短辺の縁部９ａを挿入し支持するための断面略コの字状の支持溝２０が形成されている。
【００３３】
この支持溝２０にシリコン等の接着材２１を流し込むとともに、ＰＶモジュール５の左側の短辺の縁部９ａを挿入することにより、ＰＶモジュール５の短辺の縁部９ａに左辺フレーム部２ａを固定することができる。尚、支持溝２０にシリコン等の接着剤２１を流し込んでいるため、支持溝２０内への雨水の浸入を防止することができる。
【００３４】
また、脚部１０と上方支持部１２ａが形成する隅部には、支持溝２０内に突出する断面略長方形状の膨出部２２が支持溝２０内の全長に亘って設けられている。
【００３５】
そのため、シリコン等の接着剤２１を流し込んだ支持溝２０の奥までＰＶモジュール５の短辺の縁部９ａを挿入したときに、ＰＶモジュール５の縁部９ａによって余分な接着剤２１が膨出部２２と下方支持部１２ｂの間の隙間２３に押し込まれる。そして、その余分な接着剤２１はその隙間２３を通って支持溝２０内の接着剤２１の足りない場所に流れ込むため、接着剤２１を支持溝２０内に均等に行き渡らせることができるとともに、支持溝２０内への雨水の浸入をより確実に防止することができる。
【００３６】
また、支持溝２０内に膨出部２２が形成されているため、支持溝２０内にＰＶモジュール５の短辺の縁部９ａを膨出部２２に当接するまで挿入しても、図１２に示すように、ＰＶモジュール５の表面側６の縁部９ａ付近が膨出部２２に当接するだけであって、裏面側８の縁部９ａ付近はシリコン等の接着剤２１に周りを覆われた状態となるため、左辺フレーム部２ａに接触することがない。
【００３７】
そのため、ＰＶモジュール５の裏面側８の縁部９ａ付近に配置されＰＶモジュール５を形成するＰＶセル同士を結合しているタブリボンやハンダ部分が、金属製の縦フレーム部２ａと接触することがないため、ＰＶセルで作られた電気が漏電するのを防止することができる。
【００３８】
一方、ＰＶモジュール５の右側の短辺の縁部９ａを挿入するための右辺フレーム部２ｂは、図３に示す左辺フレーム部２ａと左右対称の構造となっている。そのため、以下では右辺フレーム部２ａの部位の名称及び符号については、左辺フレーム部２ａの対応する部位の名称及び符号と同一のものを使用する。尚、右辺フレーム部２ｂの材質も左辺フレーム部２ａと同様に鋼板またはアルミニウム合金で形成されている。
【００３９】
横フレーム部３には上辺フレーム部３ａと下辺フレーム部３ｂがあり、その上辺フレーム部３ａと下辺フレーム部３ｂは、ＰＶモジュール５の上側及び下側の長辺の縁部９ｂを覆う部材である。
【００４０】
図４に示す３ａは上辺フレーム部であり、全体が厚さの薄い鋼板またはアルミニウム合金で形成された金属製の枠部材である。そして、その長さはＰＶモジュール５の長辺とほぼ同じ長さに形成されている。
【００４１】
この上辺フレーム部３ａの下部には、上辺フレーム部３ａの幅方向Ｃに延びる底板部２５が全長に亘って設けられている。そして、その底板部２５の真ん中から幅方向Ｃのやや右側Ｃ２寄りの位置において垂直に延びる起立部２６が全長に亘って設けられている。
【００４２】
そして、その起立部２６の中段及び下端であってその左側Ｃ１には、上辺フレーム部３ａの幅方向Ｃの左側Ｃ１に開口する断面略Ｃ字状のタッピングホール２８がネジ受けとして設けられている。これにより、上辺フレーム部３ａの両端面２９に、縦フレーム部２である左辺フレーム部２ａ及び右辺フレーム部２ｂをネジ３０ａにより固定し連結することができる。
【００４３】
また、底板部２５の幅方向Ｃの右側Ｃ２には断面略逆Ｌ字状の段部３１が設けられており、底板部２５の厚さ分だけ一段高くなっている。そのため、その段部３１の下方には隙間３２が形成されている。尚、上辺フレーム部３ａの長手方向の両端付近には、段部３１の平面部３１ａが設けられていない。これは、後述する雨樋部３８の両端から流れ落ちてきた雨水を架台４の排水部７１へ導く際に、雨水の流れを遮らないためである。
【００４４】
また、段部３１の平面部３１ａには、上辺フレーム部３ａをネジ３０ｂ等により固定するための切欠き部３３が二カ所設けられている。この切欠き部３３は、平面部３１ａの先端部３１ｂに向かって開口しＵ字状に形成されている。尚、本実施例では切欠き部３３は二カ所に設けられているが、それ以上の箇所に設けてもよい。
【００４５】
上記のように切欠き部３３を設けることで、この切欠き部３３を介して上辺フレーム部３ａを屋根２０１の屋根下地２０２上に設置された補助桟木２０３に固定することができる。また、上辺フレーム部３ａを固定しているネジ３０ｂを完全に外さないで緩めるだけで上辺フレーム部３ａを補助桟木２０３から取り外しできるため、屋根２０１に設置されたＰＶモジュール５の取り外しの時間を短縮できるとともに、作業者の屋根２０１上での作業時間も短縮できるため、作業者の安全性を確保することができる。
【００４６】
起立部２６の上方であってその左側Ｃ１には、支持部３４が上辺フレーム部３ａの全長に亘って設けられている。また、支持部３４は起立部２６の上端部に設けられた上方支持部３４ａと、そのすぐ下部に設けられた下方支持部３４ｂからなる。そして、これらの上方支持部３４ａと下方支持部３４ｂは底板部２５に対して水平に設けられ、その上方支持部３４ａと下方支持部３４ｂとの間にはＰＶモジュール５の上側の長辺の縁部９ｂを挿入し支持するための断面略コの字状の支持溝３５が形成されている。
【００４７】
この上辺フレーム部３ａの支持溝３５にシリコン等の接着材２１を流し込むとともに、ＰＶモジュール５の上側の長辺の縁部９ｂを挿入することにより、ＰＶモジュール５に上辺フレーム部３ａを固定することができる。尚、支持溝３５にシリコン等の接着剤２１を流し込んでいるため、支持溝３５内への雨水の浸入を防止することができる。
【００４８】
また、起立部２６と上方支持部３４ａが形成する隅部には、縦フレーム部２（左辺フレーム部２ａ及び右辺フレーム部２ｂ）と同様の、支持溝３５内に突出する断面略長方形状の膨出部３６が支持溝３５内の全長に亘って設けられている。
【００４９】
そのため、シリコン等の接着剤２１が流し込まれた支持溝３５内の奥までＰＶモジュール５の上側の長辺の縁部９ｂを挿入したときに、縦フレーム部２の場合と同様に、膨出部３６と下方支持部３４ｂとの間の隙間３７によって接着剤２１を支持溝３５内に均等に行き渡らせることができるため、支持溝３５内への雨水の浸入をより確実に防止することができる。
【００５０】
また、図１３に示すように、ＰＶモジュール５の裏面側８の縁部９ｂ付近がシリコン等の接着剤２１に周りを覆われた状態となるため、ＰＶセルのタブリボン等が上辺フレーム部３ａと接触することが無く、ＰＶセルで作られた電気が漏電するのを防止することができる。
【００５１】
起立部２６の中段やや下方であってその右側Ｃ２には、断面略くの字状の雨樋部３８が設けられている。この雨樋部３８は、段部３１と同じ側であって上辺フレーム部３ａの長手方向の両端付近以外のほぼ全長に亘って設けられている。また、雨樋部３８は、くの字状に折り曲げられているため、その内側に雨水を貯めたり、その貯めた水を雨樋部３８の両端から排出することができる。
【００５２】
起立部２６の上方であってその右側Ｃ２には、突出部であるリブ３９が設けられている。このリブ３９は底板部２５に対し水平に設けられているとともに、上辺フレーム部３ａの全長に亘って設けられている。
【００５３】
そして、このリブ３９は、後述する下辺フレーム部３ｂの挟持部５５に形成された凹部である挿入溝５６に挿入して嵌合させるための部材であるが、その挿入溝５６に挿入しやすくして上辺フレーム部３ａと下辺フレーム部３ｂの嵌合作業を容易にするため、先端部には断面略半円状の曲面４０が形成されている。尚、リブ３９の先端部の形状は、下辺フレーム部３ｂの挟持部５５の挿入溝５６に挿入しやすい形状であればよく、断面略三角形状に尖らせた形状であってもよい。
【００５４】
また、リブの上面４１の付け根部付近には傾斜面４２が設けられている。この傾斜面４２は、リブ３９の先端部へ向かって下降傾斜するように形成されており、後述する棟部材１１５や下辺フレーム部３ｂと隙間なく連結させるために設けられている。
【００５５】
一方、図５に示す３ｂは下辺フレーム部であり、全体が厚さの薄い鋼板またはアルミニウム合金で形成された金属製の枠部材である。そして、その長さはＰＶモジュール５の長辺とほぼ同じ長さに形成されている。
【００５６】
この下辺フレーム部３ｂの下部には、下辺フレーム部３ｂの幅方向Ｄに延びる底板部４４が下辺フレーム部３ｂの全長に亘って設けられている。そして、その底板部４４のほぼ真ん中において垂直に延びる起立部４５が底板部４４の全長に亘って設けられている。
【００５７】
そして、その起立部４５の中段及び下端であってその左側Ｄ１には、下辺フレーム部３ｂの幅方向Ｄの左側Ｄ１に開口する断面略Ｃ字状のタッピングホール４６がネジ受けとして設けられている。これにより、下辺フレーム部３ｂの両端面４８に、縦フレーム部２である左辺フレーム部２ａ及び右辺フレーム部２ｂをネジ３０ａにより固定し連結することができる。
【００５８】
また、底板部４４において、起立部４５の右側Ｄ２の部分であって長手方向の両端付近には底板部４４が設けられていない。これは、後述するように上辺フレーム部３ａと下辺フレーム部３ｂとを連結させた際に、雨樋部３８の両端から流れ落ちてきた雨水の流れを遮らずに架台４の排水部７１へ導くためである。
【００５９】
また、底板部４４の幅方向Ｄの右側Ｄ２には、下辺フレーム部３ｂをネジ３０ｂ等により固定するための切欠き部４９が二カ所設けられている。この切欠き部４９は、底板部４４の幅方向Ｄの右側Ｄ２の先端部５０に向かって開口しＵ字状に形成されている。なお、本実施例では切欠き部４９は二カ所に設けられているが、それ以上の箇所に設けてもよい。
【００６０】
上記のように切欠き部４９を設けることで、この切欠き部４９を介して下辺フレーム部３ｂを屋根２０１の屋根下地２０２上に設けられた補助桟木２０３に固定することができる。また、下辺フレーム部３ｂを固定しているネジ３０ｂを完全に外さないで緩めるだけで下辺フレーム部３ｂを補助桟木２０３から取り外しできるため、屋根２０１に設置されたＰＶモジュール５の取り外しの時間を短縮できるとともに、作業者の屋根２０１上での作業時間も短縮できるため、作業者の安全性を確保することができる。
【００６１】
起立部４５の上方であってその左側Ｄ１には、支持部５１が下辺フレーム部３ｂの全長に亘って設けられている。また、支持部５１は起立部４５の上端部に設けられた上方支持部５１ａと、そのすぐ下部に設けられた下方支持部５１ｂからなる。そして、これらの上方支持部５１ａと下方支持部５１ｂは底板部４４に対して水平に設けられ、その上方支持部５１ａと下方支持部５１ｂとの間にはＰＶモジュール５の下側の長辺の縁部９ｂを挿入し支持するための断面略コの字状の支持溝５２が形成されている。
【００６２】
この下辺フレーム部３ｂの支持溝５２にシリコン等の接着材２１を流し込むとともに、ＰＶモジュール５の下側の長辺の縁部９ｂを挿入することにより、ＰＶモジュール５に下辺フレーム部３ｂを固定することができる。尚、支持溝５２にシリコン等の接着剤２１を流し込んでいるため、支持溝５２内への雨水の浸入を防止することができる。
【００６３】
また、起立部４５と上方支持部５１ａが形成する隅部には、縦フレーム部２及び上辺フレーム部３ａと同様の、支持溝５２内に突出する断面略長方形状の膨出部５３が支持溝５２内の全長に亘って設けられている。
【００６４】
そのため、シリコン等の接着材２１を流し込んだ支持溝５２内の奥までＰＶモジュール５の下側の長辺の縁部９ｂを挿入したときに、縦フレーム部２や上辺フレーム部３ａの場合と同様に、膨出部５３と下方支持部５１ｂとの間の隙間５４によって接着剤２１を支持溝５２内に均等に行き渡らせることができるため、支持溝５２内への雨水の浸入をより確実に防止することができる。
【００６５】
また、図１３に示すように、ＰＶモジュール５の裏面側８の縁部９ｂ付近がシリコン等の接着剤２１に周りを覆われた状態となるため、ＰＶセルのタブリボン等が下辺フレーム部３ｂと接触することが無く、ＰＶセルで作られた電気が漏電するのを防止することができる。
【００６６】
一方、起立部４５の上方において、支持溝５２が開口する起立部４５の左側Ｄ１とは反対の右側Ｄ２に開口する挟持部５５が下辺フレーム部３ｂの全長に亘って設けられている。また、挟持部５５は起立部４５の上端部に設けられた上方挟持部５５ａと、そのすぐ下部に設けられた下方挟持部５５ｂからなる。そして、これらの上方挟持部５５ａと下方挟持部５５ｂは底板部４４に対して水平に設けられ、その上方挟持部５５ａと下方挟持部５５ｂとの間には、凹部である断面略コの字状の挿入溝５６が形成されている。この挿入溝５６には、上辺フレーム部３ａのリブ３９が挿入可能であり嵌合させることができる。
【００６７】
また、上方挟持部５５ａの先端部には、先端部に向かって上昇傾斜する傾斜面５８が設けられている。この傾斜面５８は、上辺フレーム部３ａのリブ３９に設けられた傾斜面４２と同じ角度で傾斜している。そのため、傾斜面４２と傾斜面５８とを隙間なく接触させることができる。
【００６８】
尚、本実施例では上辺フレーム部３ａにリブ３９が設けられ下辺フレーム部３ｂに挟持部５５が設けられているが、上辺フレーム部３ａに挟持部５５が設けられ下辺フレーム部３ｂにリブ３９が設けられていてもよい。
【００６９】
また、下辺フレーム部３ｂの上面５９には、横長略長方形状の雪止め部６０が起立部４５に沿って二カ所に設けられている。この雪止め部６０により、ＰＶモジュール５の表面側６に積もった雪が一気に滑り落ちずに堰き止められるため、屋根２０１からの不意な落雪による事故を防止することができる。
【００７０】
上記構造により、上辺フレーム部３ａと下辺フレーム部３ｂが連結可能となっている。具体的には、図１３に示すように、下辺フレーム部３ｂの挟持部５５に形成された挿入溝５６に上辺フレーム部３ａのリブ３９を挿入して嵌合させるとともに、上辺フレーム部３ａの底板部２５の段部３１に形成された隙間３２に下辺フレーム部３ｂの底板部４４を挿入して係止させる。
【００７１】
また、挿入溝５６の奥までリブ３９を挿入して、下辺フレーム部３ｂの上方挟持部５５ａの先端部に設けられた傾斜面５８と上辺フレーム部３ａのリブ３９の上面４１に設けられた傾斜面４２を当接させることで、上辺フレーム部３ａと下辺フレーム部３ｂとの間に隙間が生じないように密着させながら連結する事ができる。
【００７２】
これにより、降雨時であっても上辺フレーム部３ａと下辺フレーム部３ｂとの間から雨水が浸入するのを防止することができる。尚、挿入溝５６の幅をリブ３９の厚さとほぼ同じにして隙間をなくすことで、雨水が浸入するのを更に防止することができる。
【００７３】
また、仮に下辺フレーム部３ｂの挟持部５５に形成された挿入溝５６から雨水が浸入した場合であっても、その雨水は雨樋部３８に確実に流れ落ち、雨樋部３８の両端から後述する架台４の排水部７１に確実に流れ落ちるため、浸入した雨水を設置構造１の外に排水することが可能となっている。
【００７４】
尚、本実施例においては上辺フレーム部３ａの底板部２５に段部３１が設けられているが、下辺フレーム部３ｂの底板部４４に段部３１が設けられていてもよい。また、雨樋部３８が上辺フレーム部３ａの起立部２６に設けられているが、下辺フレーム部３ｂの起立部４５に設けられていてもよい。
【００７５】
また、本実施例では雪止め部６０は下辺フレーム部３ｂの上面５９に設けられているが、上辺フレーム部３ａの上面４３に設けられていてもよい。但し、上辺フレーム部３ａの上面４３に設けられている場合には、雪止め部６０に堰き止められて溜まった雪や雨水が上辺フレーム部３ａと下辺フレーム部３ｂとの間から浸入する可能性もあるため、下辺フレーム部３ｂの上面５９に設けられている方が望ましい。
【００７６】
上辺フレーム部３ａと下辺フレーム部３ｂの連結時に、図１３に示すように、上辺フレーム部３ａの上面４３と下辺フレーム部３ｂの上面５９とが面一になることが望ましい。面一にして段差をなくすことで、降雨時に上辺フレーム部３ａの上面４３及び下辺フレーム部３ｂの上面５９に雨水が吹き寄せられて溜まる事がないため、上辺フレーム部３ａと下辺フレーム部３ｂとの間から雨水が浸入するのを防止することができるとともに、意匠性の高い見た目の綺麗な設置構造１とすることができる。
【００７７】
また、上記構造により、縦フレーム部２と横フレーム部３の連結が可能となっている。具体的には、縦フレーム部２である左辺フレーム部２ａ及び右辺フレーム部２ｂの長手方向の両端付近においては支持部１２が設けられていないため、図６及び図７に示すように、脚部１０の側面１７に上辺フレーム部３ａの端面２９及び下辺フレーム部３ｂの端面４８を当接させることができる。そして、ネジ孔１４にネジ３０ａを挿入して上辺フレーム部３ａのタッピングホール２８及び下辺フレーム部３ｂのタッピングホール４６に螺合することで、縦フレーム部２と横フレーム部３とを連結することができる。
【００７８】
このとき、左辺フレーム部２ａ及び右辺フレーム部２ｂの脚部１０の側面１７、上辺フレーム部３ａの端面２９及び下辺フレーム部３ｂの端面４８はそれぞれ平面であるため、ぴったりと密着して隙間が無い状態となる。また、図１３に示すように、左辺フレーム部２ａ（右辺フレーム部２ｂ）の支持部１２の長手方向の両端面と、上辺フレーム部３ａの支持部３４の先端部または下辺フレーム部２ｂの支持部５１の先端部は接した状態となる。そのため、縦フレーム部２と横フレーム部３の間からの雨水の浸入を防止することができる。
【００７９】
また、縦フレーム部２（左辺フレーム部２ａ及び右辺フレーム部２ｂ）と横フレーム部３（上辺フレーム部３ａ及び下辺フレーム部３ｂ）の連結時に、縦フレーム部２の上面２４、上辺フレーム部３ａの上面４３及び下辺フレーム部３ｂの上面５９がほぼ同じ高さとなることが望ましい。
【００８０】
ほぼ同じ高さにして段差をなるべくなくすことで、降雨時に雨水が吹き寄せられて溜まりにくくなるため、縦フレーム部２と横フレーム部３との間から雨水が浸入するのを防止することができるとともに、意匠性の高い見た目の綺麗な設置構造１とすることができる。
【００８１】
また、上記のようにＰＶモジュール５の四辺の縁部９に縦フレーム部２及び横フレーム部３をシリコン等の接着剤２１で固定するとともに、縦フレーム部２及び横フレーム部３をネジ３０ａにより連結することで、図１及び図２に示すＰＶモジュール体６１を形成することができる。
【００８２】
尚、本実施例においては、縦フレーム部２及び横フレーム部３は鋼板またはアルミニウム合金などの金属で形成されているが、プラスチック等の樹脂で形成されていてもよい。
【００８３】
図８に示す４は、ＰＶモジュール体６１を支えるための架台である。架台４は、土台部６２とフレーム支持部６３からなり、全体が厚さの薄い鋼板またはアルミニウム合金で形成された金属製の長尺の部材である。
【００８４】
土台部６２を形成する底板部６４は、架台４の幅方向Ｅに延びるとともに全長に亘って設けられている。そして、その底板部６４の幅方向Ｅの両端には、両端面６５に向かって下降傾斜する傾斜面６６が全長に亘って設けられている。また、この傾斜面６６には、架台４を屋根２０１の屋根下地２０２上に固定するためのネジ孔６８が架台４の長手方向Ｆに沿って複数箇所に設けられている。
【００８５】
尚、このネジ孔６８は傾斜面６６に対して直角に設けられているため、図１２に示すように、架台４を屋根下地２０２上へ固定するときにネジ孔６８にネジ３０ｃ等を挿入しやすく、ネジ３０ｃ等の締め付け作業も容易になっている。
【００８６】
また、底板部６４の幅方向Ｅの両端よりやや内寄りの位置には、フレーム支持部６３側の斜め上方に開口する断面略Ｃ字状のタッピングホール７２が架台４の全長に亘って設けられている。これにより、二つの架台４，４を一直線に並べそれぞれのタッピングホール７２に一本の円柱状の細長いピン（図示せず）を挿入することで架台４を連続的につなぐことができ、長さの長い架台４が必要な場合にも対応することができる。
【００８７】
また、底板部６４の幅方向Ｅの両端よりやや内寄りの位置であって傾斜面６６の上部において、底板部６４に対して約６０度の角度で底板部６４の幅方向Ｅの両端に向かって上昇傾斜する仕切り部６９が底板部６４の全長に亘って設けられている。この仕切り部６９と底板部６４と後述するフレーム支持部６３の起立部７０とによって排水部７１が形成され、流れ込んできた雨水を本発明に係る設置構造１の外に排出する役割を果たす。尚、この仕切り部６９は、架台４の中段ぐらいの高さまで延設されているため、より多くの雨水を排出することが可能となっている。
【００８８】
尚、図８に示す底板部６４の裏面７３は平面であるが、底板部６４の長手方向Ｆに連続する波状の凹凸をその裏面７３の全体に亘って施してもよい。裏面７３を波状とすることで、毛細管現象により底板部６４の裏面７３と屋根下地２０２との間に雨水が浸入するのを防止することができる。
【００８９】
フレーム支持部６３は起立部７０と係止用突部７４とフランジ部７５とからなる。具体的には、底板部６４の中央において底板部６４に対し垂直に延びる起立部７０が底板部６４の全長に亘って設けられている。そして、その起立部７０の上端部には上段係止用突部７４ａが、その上段係止用突部７４ａのすぐ下部には下段係止用突部７４ｂが、起立部７０の中段やや下方にはフランジ部７５がそれぞれ底板部６４に対し水平に設けられるとともに、起立部７０の全長に亘って設けられている。
【００９０】
また、上段係止用突部７４ａ、下段係止用突部７４ｂ及びフランジ部７５は、起立部７０から左右に均等な幅で幅方向Ｅに突出するように設けられている。そして、フランジ部７５の幅は上段係止用突部７４ａ及び下段係止用突部７４ｂの幅よりも広く形成されている。
【００９１】
左右の両上段係止用突部７４ａの上面７６ａには、架台４に縦フレーム部２を設置した際に、架台４と縦フレーム部２の間からの雨水の浸入を防止するための小さな突起部７８が上段係止用突部７４ａの全長に亘って二本ずつ設けられている。また、架台４に縦フレーム部２を設置する際に縦フレーム部２が傷ついて錆びるのを防止するため、突起部７８は断面略半円状に形成されている。尚、突起部７８の本数は一本でも三本以上でも良いが、毛細管現象による雨水の浸入を防止するためには、複数本であることが望ましい。
【００９２】
また、上記のように突起部７８を設けて架台４と縦フレーム部２の接触面積を小さくすることで、突起部７８が無い場合に比べて接触面の面圧が上がり摩擦係数が減少するため、架台４に縦フレーム部２（ＰＶモジュール体６１）を設置する際の労力が軽減される。
【００９３】
また、左右の両フランジ部７５の上面７９であってその幅方向Ｅの端部には、上方へ突出する係止片８０がフランジ部７５の全長に亘って設けられている。
【００９４】
上記のような構成とすることで、架台４のフレーム支持部６３に縦フレーム部２を支持させて、ＰＶモジュール体６１を設置することが可能となる。具体的には、図１２に示すように、ＰＶモジュール体６１の縦フレーム部２である左辺フレーム部２ａ及び右辺フレーム部２ｂの脚部１０の下端部１３を架台４のフランジ部７５の上面７９に当接させる。
【００９５】
それと同時に、左辺フレーム部２ａ及び右辺フレーム部２ｂの上段係止部１１ａの底面１６ａと架台４の上段係止用突部７４ａの上面７６ａとを対峙させて係止させつつ、縦フレーム部２の下段係止部１１ｂの底面１６ｂと架台４の下段係止用突部７４ｂの上面７６ｂとを対峙させて係止させる。これにより、架台４のフレーム支持部６３の三カ所で縦フレーム部２を支持させることができるため、ＰＶモジュール体６１を安定的に設置することができる。
【００９６】
また、縦フレーム部２とフレーム支持部６３は、上記のように三カ所で接しているため、安定した状態でＰＶモジュール体６１の縦フレーム部２を架台４のフレーム支持部６３上の所望の位置までスライドさせて設置することができる。
【００９７】
また、上記のように架台４にＰＶモジュール体６１を設置する際に、ＰＶモジュール体６１が屋根２０１の桁行方向Ｇにずれそうな場合であっても、左辺フレーム部２ａ及び右辺フレーム部２ｂの脚部１０の下端部１３が架台４のフランジ部７５の係止片８０に衝突するため、ＰＶモジュール体６１が架台４から脱落するのを防止することができ、作業者が安全に設置作業を行うことができる。
【００９８】
尚、架台４の左右両側にＰＶモジュール体６１を支持させたときに、図１２に示すように、左辺フレーム部２ａと右辺フレーム部２ｂの互いの上段係止部１１ａ，１１ａの先端部１５ａ，１５ａの平面同士が隙間なく当接して、左辺フレーム部２ａの上面２４と右辺フレーム部２ｂの上面２４が面一な平面を形成し、架台４の左右の上段係止用突部７４ａの上面７６ａが完全に覆われる構造になっている。
【００９９】
そのため、降雨時における設置構造１内への雨水の浸入を防止することができるとともに、雨水が吹き寄せられて縦フレーム部２（左辺フレーム部２ａと右辺フレーム部２ｂ）の上面２４に溜まるのを防止することができる。
【０１００】
また、架台４の上段係止用突部７４ａと下段係止用突部７４ｂの間に形成された隙間８１に、ＰＶモジュール体６１の縦フレーム部２の下段係止部１１ｂを挿入した状態とすることで、ＰＶモジュール体６１の上下方向への移動が上段係止用突部７４ａと下段係止用突部７４ｂによって抑制されるため、ＰＶモジュール体６１を架台４に設置する際にＰＶモジュール体６１が強風により吹きあがるのを防止することができ、作業者が安全に設置作業を行うことができる。
【０１０１】
また、突起部１９は、縦フレーム部２の下段係止部１１ｂの底面１６ｂではなく、その底面１６ｂと対峙する架台４の下段係止用突部７４ｂの上面７６ｂに設けてもよいし、その両面に設けてもよい。また、突起部７８は、架台４の上段係止用突部７４ａの上面７６ａではなく、その上面７６ａと対峙する縦フレーム部２の上段係止部１１ａの底面１６ａに設けてもよいし、その両面に設けてもよい。尚、上記のように対峙する両面に突起部をそれぞれ設ける場合には、縦フレーム部２を架台４に設置したときにそれぞれの突起部同士が衝突しない位置に設ける必要がある。
【０１０２】
また、架台４の上段係止用突部７４ａの先端部８２ａ及び下段係止用突部７４ｂの先端部８２ｂには曲面が形成されている。更に、縦フレーム部２の下段係止部１１ｂの先端部１５ｂにも曲面が形成されている。これらの曲面により、架台４に縦フレーム部２をスムーズに設置することができるとともに、架台４や縦フレーム部２が傷ついて錆びるのを防止することができる。
【０１０３】
架台４のフランジ部７５の上面７９の高さは、底板部６４の上面８３よりも２０ｍｍ以上高いことが望ましい。上記の高さとすることで、架台４にＰＶモジュール体６１を設置した後であっても、底板部６４の上面８３付近や屋根下地２０２付近の通気性を確保できるため、屋根下地２０２の野地板２０４の腐食の原因となる湿気や、ＰＶモジュール５の発電効率を低下させる熱気が滞留するのを防止することができる。
【０１０４】
また、仕切り部６９の高さは、架台４の排水部７１に多くの雨水が流れ込んだ場合であってもその雨水を設置構造１の外に排出できるように、なるべく高く形成されていることが望ましいが、架台４にＰＶモジュール体６１を設置したときに、仕切り部６９が上辺フレーム部３ａの底板部２５及び下辺フレーム部３ｂの底板部４４に接触しないような高さとする必要がある。
【０１０５】
尚、架台４の長さは数メートルあり、どこで切断しても同じ断面となるように形成されているため、現場で必要な長さに切断して使用することが可能である。
【０１０６】
上記のように仕切り部６９が設けられているため、図１２に示すように、架台４にＰＶモジュール体６１を設置した後、当接する左辺フレーム部２ａと右辺フレーム部２ｂの上段係止部１１ａ，１１ａの先端部１５ａ，１５ａの間から雨水が浸入した場合であっても、その雨水を設置構造１の外へ排出することができる。
【０１０７】
具体的には、先端部１５ａ，１５ａの間から浸入した雨水は、架台４の上段係止用突部７４ａの上面７６ａと縦フレーム部２の上段係止部１１ａの底面１６ａとの間に形成された隙間８４ａに流れ込む。このとき、左右の上段係止用突部７４ａの上面７６ａに設けられた二本の突起部７８が縦フレーム部２の上段係止部１１ａの底面１６ａと接しているため、毛細管現象を含めた設置構造１の内部への雨水の浸入が防止される。そのため、雨水は隙間８４ａを通って架台４の下端部８５から排出される。
【０１０８】
また、より多くの雨水が隙間８４ａに流れ込んだ場合には、雨水は架台４の上段係止用突部７４ａの上面７６ａに設けられた突起部７８を乗り越えて、左右の上段係止用突部７４ａの先端部８２ａから縦フレーム部２（左辺フレーム部２ａ及び右辺フレーム部２ｂ）の下段係止部１１ｂの上面１８に流れ落ち、更には縦フレーム部２の下段係止部１１ｂの底面１６ｂと架台４の下段係止用突部７４ｂの上面７６ｂとの間に形成された隙間８４ｂに流れ込む。
【０１０９】
このとき、縦フレーム部２の下段係止部１１ｂの底面１６ｂに設けられた二本の突起部１９が架台４の下段係止用突部７４ｂの上面７６ｂと接しているため、毛細管現象を含めた設置構造１の更なる内部への雨水の浸入が防止される。そのため、雨水は縦フレーム部２の下段係止部１１ｂの上面１８または隙間８４ｂを通って架台４の下端部８５から排出される。
【０１１０】
また、より多くの雨水が隙間８４ｂに流れ込んだ場合には、雨水は縦フレーム部２の下段係止部１１ｂの底面１６ｂに設けられた突起部１９をくぐり抜け、下段係止用突部７４ｂの先端部８２ｂから架台４のフランジ部７５の上面７９に流れ落ちる。
【０１１１】
このとき、縦フレーム部２の脚部１０の下端部１３が架台４のフランジ部７５の上面７９と当接しているため、雨水の設置構造１の更なる内部への浸入が防止される。そのため、雨水はフランジ部７５の上面７９を通って架台４の下端部８５から排出される。
【０１１２】
また、より多くの雨水が架台４のフランジ部７５の上面７９に流れ落ちた場合には、雨水は縦フレーム部２の脚部１０の下端部１３をくぐり抜け、フランジ部７５の係止片８０を乗り越えて排水部７１へと流れ落ちる。そして、底板部６４の上面８３を通って架台４の下端部８５から排出される。
【０１１３】
尚、本実施例においては、架台４は鋼板またはアルミニウム合金などの金属で形成されているが、プラスチック等の樹脂で形成されていてもよい。
【０１１４】
図９に示す１０１は軒先部材である。この軒先部材１０１は、屋根２０１の軒先部２０５に沿って設置する長さの長い部材であり、ＰＶモジュール体６１の上を流れ落ちてきた雨水がＰＶモジュール体６１と屋根下地２０２との間から設置構造１の内部へ浸入するのを防止するとともに、その雨水を軒下へ流れ落とすためのものである。また、この軒先部材１０１は、厚さの薄い鋼板またはアルミニウム合金で形成されている。
【０１１５】
軒先部材１０１は、先端部１０４に向かって下降傾斜するルーフ部１０２と、そのルーフ部１０２の途中からルーフ部１０２と同じ側に下降傾斜する傾斜部１０３と、ルーフ部１０２及び傾斜部１０３と交わる底面部１０５を有し、これら３つの部材によって断面略扇状の筒状体に形成されている。そして、軒先部材１０１の長さは、横フレーム部３よりもやや長く形成されている。
【０１１６】
また、ルーフ部１０２は、屋根下地２０２上に設置されたＰＶモジュール体６１上を流れ落ちてきた雨水を軒下へ確実に流れ落とすため、その先端部１０４が底面部１０５よりも下方へ突出して延設されている。
【０１１７】
そして、ルーフ部１０２と底面部１０５とが交わって形成される鋭角の隅部には、筒状体の内側に開口するタッピングホール１０６が軒先部材１０１の全長に亘って設けられている。そのため、軒先部材１０１を軒先部２０５に一直線に並べてそれぞれのタッピングホール１０６に一本の細長い円柱状のピン１０８を挿入することで、軒先部材１０１を屋根２０１の桁行方向Ｇにつなぐことができる。
【０１１８】
また、底面部１０５は傾斜部１０３と交わる位置よりも突出する突出部１０５ａを有する。そのため、図１４に示すように、階段状の係止具１０９をネジ１１０ａ等により補助桟木２０３に固定することによって係止具１０９が形成する隙間に、底面部１０５の突出部１０５ａを挿入することで、軒先部材１０１を補助桟木２０３に固定することができる。
【０１１９】
尚、軒先部材１０１の筒状体の内部には、ルーフ部１０２の途中から傾斜部１０３と底面部１０５が交わる鈍角の隅部にかけて、軒先部材１０１の強度を保つための補強部１１１が設けられている。
【０１２０】
ルーフ部１０２の上端部１１２には、軒先部材１０１の長手方向Ｈに沿って挿入部１１３が延設されている。この挿入部１１３の両端は切り欠きかれ、軒先部材１０１の全長よりも少し短く形成されている。また、挿入部１１３の長さは、下辺フレーム部３ｂの挟持部５５の長さとほぼ同じであり、挿入部１１３の厚さは、下辺フレーム部３ｂの挿入溝５６の幅とほぼ同じである。
【０１２１】
そのため、下辺フレーム部３ｂの挟持部５５の挿入溝５６にシリコン等の接着材２１を流し込むとともに、軒先部材１０１の挿入部１１３を挿入して嵌合させることにより、下辺フレーム部３ｂに軒先部材１０１を固定することができる。尚、下辺フレーム部３ｂの挿入溝５６にシリコン等の接着剤２１を流し込んでいるため、挿入溝５６内への雨水の浸入を防止することができる。
【０１２２】
また、挿入部１１３においては、ルーフ部１０２の上端部１１２から挿入部１１３の上端部１１３ａに向かって下降傾斜する傾斜面１１４が設けられている。この傾斜面１１４は、下辺フレーム部３ｂの上方挟持部５５ａに設けられた傾斜面５８と同じ角度で傾斜している。
【０１２３】
そのため、図１４に示すように、最も軒先部２０５側に設置されたＰＶモジュール体６１の下辺フレーム部３ｂの挿入溝５６の奥まで軒先部材１０１の挿入部１１３を挿入して嵌合させると、下辺フレーム部３ｂの傾斜面５８と挿入部１１３の傾斜面１１４とが隙間なく接するようになっており、挿入溝５６内への雨水の浸入を防止することができる。
【０１２４】
また、ルーフ部１０２の挿入部１１３を下辺フレーム部３ｂの挟持部５５の挿入溝５６に挿入して嵌合させたときに、下辺フレーム部の３ｂの上面５９とルーフ部１０２の上部の上面１０７とが面一になるため、雨水が溜まることなく軒下へ流れ落ちる。また、意匠性の高い見た目の綺麗な設置構造１とすることができる。
【０１２５】
ルーフ部１０２の長手方向Ｈの両端であってその上方の角部１１５には、軒先部材１０１を架台４の上段係止突部７４ａに固定するためのネジ孔１１６が設けられている。そのため、軒先部材１０１はネジ孔１１６を介してネジ１１０ｂ等により架台４の上段係止突部７４ａに固定することができる。
【０１２６】
図１０に示す１１７は棟部材である。この棟部材１１７は、喚起棟２０６の喚起棟板２１３上を流れ落ちてきた雨水や喚起棟２０６付近に降ってきた雨水がＰＶモジュール体６１と屋根下地２０２との間から設置構造１の内部に浸入するのを防止するため、屋根２０１の棟部２１０に設けられた喚起棟２０６付近に設置される長さの長い部材である。また、この棟部材１１７は、厚さの薄い鋼板またはアルミニウム合金で形成されている。
【０１２７】
棟部材１１７は、長辺部１１８及び短辺部１１９を有し、その長辺部１１８と短辺部１１９が断面略Ｌ字状を形成している。そしてその長さは、ＰＶモジュール体６１の左辺フレーム部２ａと右辺フレーム部２ｂのそれぞれの上段係止部１１ａ，１１ａの先端部１５ａ，１５ａの間の距離とほぼ同じである。また、長辺部１１８の縁部１１８ａ付近には、複数のネジ孔１２０が棟部材１１７の長手方向Ｉに一列に設けられている。
【０１２８】
また、棟部材１１７の長辺部１１８の縁部１１８ａには、縁部１１８ａに向かって上昇傾斜する傾斜面１２１が設けられている。この傾斜面１２１は、上辺フレーム部３ａのリブ３９に設けられた傾斜面４２と同じ角度で傾斜している。
【０１２９】
そのため、図１５に示すように、最も棟部２１０側に設置されたＰＶモジュール体６１の上辺フレーム部３ａのリブ３９の上面４１及びその上辺フレーム部３ａの両側に位置する縦フレーム部２の上面２４を、棟部材１１７の長辺部１１８の裏面１２２で覆いつつ、リブ３９の傾斜面４２と棟部材１１７の傾斜面１２１とが接するように設置する。そして、ネジ孔１２０を介してネジ１１０ｃ等により棟部材１１７を上辺フレーム部３ａ及び縦フレーム部２に固定することができる。
【０１３０】
上記のように固定することで、棟部材１１７と上辺フレーム部３ａまたは縦フレーム部２との隙間を最小限にして固定することができる。そのため、棟部材１１７上に流れ落ちてきた雨水はＰＶモジュール体６１上に流れ落ちるため、設置構造１の内部への雨水の浸入を防止することができる。
【０１３１】
また、棟部材１１７の長辺部１１８の裏面１２２には、長辺部１１８に対し垂直に延びる係止部１２３が棟部材１１７の長手方向Ｉの両端付近以外のほぼ全長に亘って設けられている。そのため、上記のように棟部材１１７を固定する際に、棟部材１１７の係止部１２３を上辺フレーム部３ａのリブ３９の先端の曲面４０に当接させると、上辺フレーム部３ａのリブ３９に設けられた傾斜面４２と棟部材１１７に設けられた傾斜面１２１とが接するとともに棟部材１１７がリブ３９の上面４１からずれ落ちることがないため、容易に固定することができる。
【０１３２】
図１１に示す１２４はケラバ部材である。このケラバ部材１２４は、屋根２０１の袖部２０８においてケラバ包みを形成する屋根材２０７の上を流れ落ちてきた雨水やケラバ包み付近に降ってきた雨水が設置構造１の内部に浸入するのを防止するために、屋根２０１の袖部２０８のケラバ包みに設置される長尺の部材である。また、このケラバ部材１２４は、厚さの薄い鋼板またはアルミニウム合金で形成されている。
【０１３３】
そして、ケラバ部材１２４は立ち上り部１２５を有し、階段状になっている。また、このケラバ部材１２４の上段部１２６の幅Ｋは、架台４の左右の上段係止用突部７４ａの幅ｋよりもやや広めに形成されている。また、ケラバ部材１２４の上段部１２６には、ケラバ部材１２４の長手方向Ｌに一列に複数のネジ孔１２８が設けられている。
【０１３４】
そのため、図１６に示すように、袖部２０８の一番近くに設置された架台４の上段係止用突部７４ａの上面７６ａを、ケラバ部材１２４の上段部１２６の裏面１３１で覆うとともに、袖部２０８の屋根材２０７の上面２１１をケラバ部材１２４の下段部１３２の裏面１３３で覆うようにして設置し、複数のネジ孔１２８を介してネジ１１０ｄ等により架台４の上段係止用突部７４ａにケラバ部材１２４を固定することができる。
【０１３５】
また、ケラバ部材１２４の上段部１２６の端面１２９は平面であるため、ケラバ部材１２４を架台４の袖部２０８側の上段係止用突部７４ａの上面７６ａに固定した場合に、ケラバ部材１２４の上段部１２６の端面１２９と、架台４のもう一方の上段係止用突部７４ａと係止する縦フレーム部２の上段係止部１１ａの先端部１５ａとが隙間なく当接して、ケラバ部材１２４の上段部１２６の上面１３０と縦フレーム部２の上面２４が面一な平面を形成し、架台４の左右の上段係止用突部７４ａの上面７６ａが完全に覆われる構造になっている。
【０１３６】
そのため、ケラバ包みを形成する屋根材２０７の上を流れ落ちてきた雨水やケラバ包み付近に降ってきた雨水の設置構造１の内部への浸入を防止することができるとともに、雨水が吹き寄せられて縦フレーム部２の上面２４及びケラバ部材１２４の上段部１２６の上面１３０に溜まることによる設置構造１の内部への雨水の浸入を防止することができる。
【０１３７】
また、ケラバ部材１２４の端面１２９と縦フレーム部２の上段係止部１１ａの先端部１５ａとの間から雨水が浸入した場合であっても、その雨水は架台４の下端部８５から排出される。
【０１３８】
具体的には、ケラバ部材１２４の端面１２９と縦フレーム部２の上段係止部１１ａの先端部１５ａの間から浸入した雨水は、架台４の上段係止用突部７４ａの上面７６ａと縦フレーム部２の上段係止部１１ａの底面１６ａまたはケラバ部材１２４の上段部１２６の裏面１３１との間に形成された隙間８４ｃに流れ込む。
【０１３９】
このとき、左右の上段係止用突部７４ａの上面７６ａに設けられた二本の突起部７８は縦フレーム部２の上段係止部１１ａの底面１６ａやケラバ部材１２４の上段部１２６の裏面１３１と接しているため、毛細管現象を含めた設置構造１の内部への雨水の浸入が防止される。そのため、雨水は隙間８４ｃを通って架台４の下端部８５から排出される。
【０１４０】
また、より多くの雨水が隙間８４ｃに流れ込んだ場合であって、架台４の上段係止用突部７４ａの上面７６ａに設けられた突起部７８を乗り越えて、上段係止用突部７４ａの先端部８２ａから縦フレーム部２側に流れ落ちた雨水は、上記の雨水が隙間８４ａに流れ込んだ場合と同様にして架台４の下端部８５から排出される。
【０１４１】
一方、架台４の上段係止用突部７４ａの上面７６ａに設けられた突起部７８を乗り越えてケラバ部材１２４側に流れ落ちた雨水は、架台４の上段係止用突部７４ａの先端部８２ａからフランジ部７５の上面７９に流れ落ち、その上面７９を通って、架台４の下端部８５から排出される。
【０１４２】
また、より多くの雨水が架台４のフランジ部７５の上面７９に流れ落ちた場合には、雨水はフランジ部７５の上面に設けられた係止片８０を乗り越えて排水部７１へと流れ落ち、底板部６４の上面８３を通って架台４の下端部８５から排出される。
【０１４３】
ケラバ部材１２４の下段部１３２の裏面１３３には、断面略半円状の小さな突起部１３４がケラバ部材１２４の全長に亘って二本設けられている。また、上記のようにケラバ部材１２４を架台４に固定したとき、ケラバ部材１２４の下段部１３２の裏面１３３に設けられた突起部１３４は袖部２０８のケラバ包みを形成する屋根材２０７の上面２１１と接している。そのため、袖部２０８の屋根材２０７とケラバ部材１２４との間からの毛細管現象を含めた設置構造１の内部への雨水の浸入が防止される。
【０１４４】
また、袖部２０８の屋根材２０７とケラバ部材１２４との間から雨水が設置構造１の内部への浸入した場合であっても、上記の上段係止用突部７４ａの上面７６ａからケラバ部材１２４側に流れ落ちた雨水と同様に、架台４のフランジ部７５の上面７９や排水部７１へと流れ落ち、フランジ部７５の上面７９や底板部６４の上面８３を通って架台４の下端部８５から排出される。
【０１４５】
次に、本発明に係る設置構造１の屋根下地２０２上への設置方法について説明する。屋根２０１には、一面に張られた野地板２０４の上にルーフィング等の防水シート２０９が敷設された屋根下地２０２が形成されており、その上にまず架台４を設置する。この架台４は、図１７に示すように、屋根２０１の軒棟方向Ｍ（傾斜方向）に設置するとともに、軒先部２０５付近から棟部２１０付近にかけて設置し、底板部６４のネジ孔６８を介してネジ３０ｃにより屋根下地２０２上に固定する。
【０１４６】
また、架台４は屋根下地２０２上に等間隔かつ平行に複数本設置する。このときの架台４と架台４の距離は、横フレーム部３の長さよりもやや長めであり、屋根２０１の桁行方向Ｇの幅一杯に設置する。
【０１４７】
尚、架台４の長さが一本では足りない場合には、二つの架台４，４を一直線に並べそれぞれのタッピングホール７２に一本の円柱状の細長いピンを挿入して連続的につないで対応する。
【０１４８】
また、架台４にＰＶモジュール体６１を設置したときに、横フレーム部３が下方にたわむのを防止するとともにＰＶモジュール体６１を固定するための補助桟木２０３を屋根下地２０２上に設置する。具体的には、図１７に示すように、架台４と架台４の間において軒先部２０５付近から棟部２１０付近にかけて補助桟木２０３を架台４と平行に複数本設置し、釘１３５等により屋根下地２０２上に固定する。
【０１４９】
次に、軒先部２０５における補助桟木２０３上において、軒先部材１０１を設置する位置を決定し、図１４に示すように、係止具１０９をネジ１１０ａにより固定する。そして、係止具１０９が形成する隙間に軒先部材１０１の底面部１０５の突出部１０５ａを挿入することで軒先部材１０１を補助桟木２０３に固定する。
【０１５０】
このとき、ルーフ部１０２の角部１１５で架台４の上段係止用突部７４ａの上面７６ａを覆うように軒先部材１０１を設置し、角部１１５に形成されたネジ孔１１６を介してネジ１１０ｂにより軒先部材１０１を架台４の上段係止用突部７４ａにも固定する。
【０１５１】
そして、上記作業を繰り返し行い、図１７に示すように、屋根２０１の桁行方向Ｇの幅一杯に複数の軒先部材１０１を固定するとともに、隣り合う軒先部材１０１のそれぞれのタッピングホール１０６に一本の円柱状のピン１０８を挿入することで、隣り合う軒先部材１０１同士をつなぐ。
【０１５２】
次に、ＰＶモジュール５を用意し、その四辺に縦フレーム部２及び横フレーム部３を固定する。具体的には、まず縦フレーム部２である左辺フレーム部２ａ及び右辺フレーム部２ｂの支持溝２０、横フレーム部３である上辺フレーム部３ａの支持溝３５、そして下辺フレーム部３ｂの支持溝５２にシリコン等の接着剤２１を流し込む。
【０１５３】
そして、ＰＶモジュール５の左側の短辺の縁部９ａを左辺フレーム部２ａの支持溝２０に、右側の短辺の縁部９ａを右辺フレーム部２ｂの支持溝２０にそれぞれ挿入するとともに、上側の長辺の縁部９ｂを上辺フレーム部３ａの支持溝３５に、下側の長辺の縁部９ｂを下辺フレーム部３ｂの支持溝５２にそれぞれ挿入することでＰＶモジュール５に固定する。そして、上記のようにネジ３０ａにより縦フレーム部２と横フレーム部３とを連結することで、図１及び図２に示すＰＶモジュール体６１を形成する。尚、このＰＶモジュール体６１は、設置するＰＶモジュール５の数だけ形成する。
【０１５４】
次に、屋根下地２０２上の袖部２０８の一番近くに設置された架台４とそれと隣り合う架台４の上端部８６において、図１２及び図１６に示すように、第一段目のＰＶモジュール体６１（最も軒先部２０５側に設置されるＰＶモジュール体６１）の縦フレーム部２（左辺フレーム部２ａ及び右辺フレーム部２ｂ）の脚部１０の下端部１３を、上記隣り合う二つの架台４，４のフランジ部７５の上面７９にそれぞれ当接させるとともに、縦フレーム部２の上段係止部１１ａの底面１６ａを架台４の上段係止用突部７４ａの上面７６ａに、縦フレーム部２の下段係止部１１ｂの底面１６ｂを架台４の下段係止用突部７４ｂの上面７６ｂにそれぞれ係止させることにより、第一段目のＰＶモジュール体６１を上記隣り合う二つの架台４，４のフレーム支持部６３に支持させる。
【０１５５】
そして、軒先部２０５に向かってＰＶモジュール体６１をスライドさせ、架台４の下端部８５付近まで移動させる。そして、第一段目に設置されるＰＶモジュール体６１の下辺フレーム部３ｂの挿入溝５６にシリコン等の接着材２１を流し込み、図１４に示すように、先に軒先部２０５に設置されている軒先部材１０１の挿入部１１３をその挿入溝５６に挿入して嵌合させる。このとき、下辺フレーム部３ｂの上方挟持部５５ａに設けられた傾斜面５８と軒先部材１０１の挿入部１１３に設けられた傾斜面１１４が当接するまで挿入する。
【０１５６】
そして、図１３に示すように、上辺フレーム部３ａの平面部３１ａの切欠き部３３の位置にネジ３０ｂを打って補助桟木２０３に上辺フレーム部３ａを固定することにより、第一段目のＰＶモジュール体６１の設置が完了する。
【０１５７】
次に、架台４に第二段目のＰＶモジュール体６１を設置する。具体的には、第一段目のＰＶモジュール体６１を設置した隣り合う二つの架台４，４の上端部８６において、上記第一段目のＰＶモジュール体６１の場合と同様にして、その隣り合う二つの架台４，４のフレーム支持部６３に第二段目のＰＶモジュール体６１を支持させるとともに、軒先部２０５に向かってＰＶモジュール体６１をスライドさせながら移動させる。
【０１５８】
そして、第二段目のＰＶモジュール体６１を第一段目のＰＶモジュール体６１の直上まで移動させたときに、それぞれのＰＶモジュール５の裏面側８に設けられた端子ケーブルを接続して、第一段目のＰＶモジュール体５と第二段目のＰＶモジュール体５を電気的に接続する。
【０１５９】
そして、図１３に示すように、第二段目のＰＶモジュール体６１の下辺フレーム部３ｂの挿入溝５６に第一段目のＰＶモジュール体６１の上辺フレーム部３ａのリブ３９を挿入して嵌合させるとともに、第一段目のＰＶモジュール体６１の上辺フレーム部３ａの段部３１が形成する隙間３２に第二段目のＰＶモジュール体６１の下辺フレーム部３ｂの底板部４４を挿入する。このとき、第一段目のＰＶモジュール体６１を固定しているネジ３０ｂに第二段目のＰＶモジュール体６１の下辺フレーム部３ｂの切欠き部４９を係止させて動かないように固定する。
【０１６０】
そして、第二段目のＰＶモジュール体６１における下辺フレーム部３ｂの上方挟持部５５ａの先端部に設けられた傾斜面５８と、第一段目のＰＶモジュール体６１における上辺フレーム部３ａのリブ３９の上面４１に設けられた傾斜面４２が当接するまでリブ３９を挿入溝５６に挿入し、第一段目のＰＶモジュール体６１と第二段目のＰＶモジュール体６１とを連結させる。
【０１６１】
その後、第二段目のＰＶモジュール体６１の上辺フレーム部３ａの切欠き部３３の位置にネジ３０ｂを打って補助桟木２０３に上辺フレーム部３ａを固定することにより、第二段目のＰＶモジュール体６１の設置が完了する。
【０１６２】
尚、第三段目以降のＰＶモジュール体６１を設置する場合は、上記の第二段目のＰＶモジュール体６１を設置する場合と同様に、架台４にＰＶモジュール体６１を設置する作業、ＰＶモジュール５同士を電気的に接続する作業、上段に位置するＰＶモジュール体６１と下段に位置するＰＶモジュール体６１とを連結する作業及びＰＶモジュール体６１を補助桟木２０３に固定する作業を繰り返し行う。これにより、屋根２０１の軒棟方向ＭにＰＶモジュール５を連続して面一に設置することができ、意匠性の高い見た目も綺麗な設置構造１とすることができる。
【０１６３】
そして、隣り合う二つの架台４，４の間の全てにおいて、上記ＰＶモジュール体６１の設置作業を行う。このとき、図１２に示すように、架台４の左右両側に支持されたＰＶモジュール体６１，６１の隣り合う縦フレーム部２，２（右辺フレーム部２ｂと左辺フレーム部２ａ）の上段係止部１１ａの先端部１５ａ同士を隙間なく当接させて、架台４の左右の上段係止用突部７４ａ，７４ａの上面７６ａを完全に覆うように設置し固定する。これにより、屋根２０１の桁行方向ＧにもＰＶモジュール５を連続して面一に設置することができる。その後、屋根２０１の桁行方向ＧにおいてもＰＶモジュール５同士を電気的に接続し、すべてのＰＶモジュールを電気的に接続する。
【０１６４】
次に、図１６及び図１７に示すように、袖部２０８の一番近くに設置された架台４における袖部２０８側の上段係止用突部７４ａの上面７６ａの全面を、ケラバ部材１２４の上段部１２６の裏面１３１で覆うようにしてケラバ部材１２４を架台４に設置する。また、ケラバ部材１２４を複数設置する場合には、隣り合うケラバ部材１２４の長手方向Ｉの端面同士が隙間なく当接するように設置する。そして、ネジ孔１２８を介してネジ１１０ｄにより架台４にケラバ部材１２４を固定する。
【０１６５】
そして、屋根２０１の両端の袖部２０８に屋根材２０７でケラバ包みを形成する。このとき、ケラバ包みを形成する屋根材２０７の上面２１１がケラバ部材１２４の下段部１３２の裏面１３３により覆われるとともに、その裏面１３３に設けられた二本の突起部１３４が屋根材２０７の上面２１１と接するようにケラバ包みを形成する。
【０１６６】
次に、屋根２０１の棟部２１０において、図１５及び図１７に示すように、最も棟部２１０側に設置された全てのＰＶモジュール体６１の上辺フレーム部３ａのリブ３９の上面４１及びその上辺フレーム部３ａの両側に位置する縦フレーム部２の上面２４を、棟部材１１７の長辺部１１８の裏面１２２で覆うようにして棟部材１１７をＰＶモジュール体６１に設置する。
【０１６７】
このとき、棟部材１１７の係止部１２３を上辺フレーム部３ａのリブ３９の先端の曲面４０に当接させるとともに、棟部材１１７に設けられた傾斜面１２１を上辺フレーム部３ａのリブ３９に設けられた傾斜面４２に当接させながら設置する。また、隣り合う棟部材１１７の長手方向Ｌの端面同士が隙間なく当接するように設置する。そして、ネジ孔１２０を介してネジ１１０ｃにより棟部材１１７をＰＶモジュール体６１に固定する。
【０１６８】
最後に、屋根２０１の棟部２１０において、図１５に示すように、喚起棟２０６を設置する。このとき、棟部材１１７の短辺部１１９が喚起棟板２１３の下に潜り込むように喚起棟２０６を設置する。
【０１６９】
上記設置構造１によれば、設置構造１の内部への雨水の浸入を防止できるとともに、仮に雨水が設置構造１の内部に侵入した場合であっても、設置構造１の外部に排水することができる。
【０１７０】
具体的に説明すると、上辺フレーム３ａと下辺フレーム部３ｂとの隙間（下辺フレーム部３ｂの挿入溝５６）から雨水が設置構造１の内部に浸入した場合は、その雨水は雨樋部３８に流れ落ちる（図１３参照）。そして、雨水は雨樋部３８の両端から架台４の排水部７１へと流れ落ち（図１２参照）、その後、架台４の下端部８５から屋根下地２０２の防水シート２０９上に流れ落ち、最後は軒先部２０５から唐草部２１２を伝って地面へと流れ落ちる（図１４参照）。
【０１７１】
また、隣り合うＰＶモジュール体６１，６１の当接する縦フレーム部２，２（左辺フレーム部２ａと右辺フレーム部２ｂ）の上段係止部１１ａ，１１ａの先端部１５ａ，１５ａの間から雨水が設置構造１の内部に浸入した場合は、その雨水は上記のように、架台４の上段係止用突部７４ａの上面７６ａと縦フレーム部２の上段係止部１１ａの底面１６ａの間に形成された隙間８４ａ、縦フレーム部２の下段係止部１１ｂの上面１８、縦フレーム部２の下段係止部１１ｂの底面１６ｂと架台４の下段係止用突部７４ｂの上面７６ｂとの間に形成された隙間８４ｂ、フランジ部７５の上面７９、底板部６４の上面８３のいずれか一つまたは複数を通って架台４の下端部８５から排出される（図１２参照）。
【０１７２】
また、ケラバ部材１２４の端面１２９と縦フレーム部２の上段係止部１１ａの先端部１５ａの間から雨水が設置構造１の内部に浸入した場合は、その雨水は上記のように、架台４の上段係止用突部７４ａの上面７６ａと縦フレーム部２の上段係止部１１ａの底面１６ａまたはケラバ部材１２４の上段部１２６の裏面１３１との間に形成された隙間８４ｃ、縦フレーム部２の下段係止部１１ｂの上面１８、縦フレーム部２の下段係止部１１ｂの底面１６ｂと架台４の下段係止用突部７４ｂの上面７６ｂとの間に形成された隙間８４ｂ、フランジ部７５の上面７９、底板部６４の上面８３のいずれか一つまたは複数を通って架台４の下端部８５から排出される（図１６参照）。
【０１７３】
また、屋根２０１の袖部２０８においてケラバ包みを形成する屋根材２０７とケラバ部材１２４との間から雨水が設置構造１の内部に浸入した場合には、その雨水は上記のように、架台４のフランジ部７５の上面７９または底板部６４の上面８３のいずれか一方または両方を通って架台４の下端部８５から排出される。
【０１７４】
本発明に係る設置構造１は、上記のように雨水の浸入を防止する構造を有するとともに、浸入した雨水を排水する構造を有するため、屋根材としての役割も果たす。よって、本発明に係る設置構造１は、屋根下地２０２上に屋根材を葺く必要がないため、屋根２０１にＰＶモジュール５を設置する際のコストを削減することができる。また、屋根下地２０２上に屋根材を葺く必要がないため、作業者の屋根上での作業時間を短縮することができるとともに、屋根下地２０２上にかかる重量の負担を軽減することができる。
【０１７５】
そして、上記のように本発明に係る設置構造１は、屋根２０１の屋根下地２０２上へのＰＶモジュール５の設置作業が非常に容易であるため、作業者のＰＶモジュール５の設置労力が軽減されるとともに、作業者の屋根２０１上での作業時間を短縮できるため作業者の安全性が確保できる。
【０１７６】
尚、本発明に係る設置構造１は、屋根２０１の勾配角度に関わらず屋根下地２０２上にＰＶモジュール５を設置することができる。そのため、屋根２０１の角度が地面に対し水平であっても垂直であっても、屋根下地２０２上にＰＶモジュール５を設置することができる。
【符号の説明】
【０１７７】
１    設置構造              ７４    係止用突部
２    縦フレーム部          ７５    フランジ部
３    横フレーム部          ７８    突起部
４    架台                  ８０    係止片
５    ＰＶモジュール        ８１    隙間
９    縁部                  ８４    隙間
１０  脚部                  １０１  軒先部材
１１  係止部                １０２  ルーフ部
１２  支持部                １０３  傾斜部
１４  ネジ孔                １０５  底面部
１９  突起部                １０６  タッピングホール
２０  支持溝                １０８  ピン
２２  膨出部                １０９  係止具
２５  底板部                １１０  ネジ
２６  起立部                １１１  補強具
２８  タッピングホール      １１３  挿入部
３１  段部                  １１４  傾斜面
３３  切欠き部              １１５  角部
３４  支持部                １１６  ネジ孔
３５  支持溝                １１７  棟部材
３６  膨出部                １１８  長辺部
３８  雨樋部                １１９  短辺部
３９  リブ                  １２０  ネジ孔
４２  傾斜面                １２１  傾斜面
４４  底板部                １２３  係止部
４５  起立部                １２４  ケラバ部材
４６  タッピングホール      １２５  立ち上がり部
４９  切欠き部              １２６  上段部
５１  支持部                １２８  ネジ孔
５２  支持溝                １３２  下段部
５３  膨出部                １３４  突起部
５５  挟持部                １３５  釘
５６  挿入溝                ２０１  屋根
５８  傾斜面                ２０２  屋根下地
６０  雪止め部              ２０３  補助桟木
６１  ＰＶモジュール体      ２０４  野地板
６２  土台部                ２０５  軒先部
６３  フレーム支持部        ２０６  喚起棟
６４  底板部                ２０７  屋根材
６６  傾斜面                ２０８  袖部
６８  ネジ孔                ２０９  防水シート
６９  仕切り部              ２１０  棟部
７０  起立部                ２１２  唐草部
７１  排水部                ２１３  喚起棟板
７２  タッピングホール
【図１】
2015052231.tif 000003
【図２】
2015052231.tif 000004
【図３】
2015052231.tif 000005
【図４】
2015052231.tif 000006
【図５】
2015052231.tif 000007
【図６】
2015052231.tif 000008
【図７】
2015052231.tif 000009
【図８】
2015052231.tif 000010
【図９】
2015052231.tif 000011
【図１０】
2015052231.tif 000012
【図１１】
2015052231.tif 000013
【図１２】
2015052231.tif 000014
【図１３】
2015052231.tif 000015
【図１４】
2015052231.tif 000016
【図１５】
2015052231.tif 000017
【図１６】
2015052231.tif 000018
【図１７】
2015052231.tif 000019
【手続補正書】
【提出日】平成26年9月22日(2014.9.22)
【手続補正１】
【補正対象書類名】特許請求の範囲
【補正対象項目名】全文
【補正方法】変更
【補正の内容】
【特許請求の範囲】
【請求項１】
屋根下地上に太陽電池モジュールを設置するための太陽電池モジュールの設置構造であって、太陽電池モジュールと縦フレーム部と横フレーム部と架台とからなり、前記縦フレーム部は上段係止部及び下段係止部からなる係止部と支持部とを有する枠部材であり、前記横フレーム部は支持部を有する枠部材であり、前記架台は長手方向に排水部が形成された長尺な土台部と、該土台部の中央に立設され全長に亘って左右均等な幅で水平方向に突出する上段係止用突部及び下段係止用突部からなる係止用突部が設けられたフレーム支持部とを有するとともに、前記係止用突部は前記排水部の上方に配置され、前記太陽電池モジュールの短辺及び長辺の縁部が前記縦フレーム部の前記支持部及び前記横フレーム部の前記支持部に支持されるとともに固定されて太陽電池モジュール体が形成され、前記屋根下地上の軒棟方向に互いに平行に設置された複数本の前記架台の上端部において、前記架台の前記上段係止用突部及び前記下段係止用突部の上面に前記縦フレーム部の前記上段係止部及び前記下段係止部の底面をそれぞれ係止させスライドさせることで前記縦フレーム部が前記架台の所望の位置に支持され、設置された複数本の前記架台の間に複数の前記太陽電池モジュール体が設置されていることを特徴とする太陽電池モジュールの設置構造。
【請求項２】
前記縦フレーム部は脚部を有し、該脚部が前記架台の前記フレーム支持部が有するフランジ部に支持されていることを特徴とする請求項１記載の太陽電池モジュールの設置構造。
【請求項３】
前記太陽電池モジュールの設置構造の周囲が雨水の浸入を防止する部材等によって覆われ、全体が防水性を有することを特徴とする請求項１または請求項２記載の太陽電池モジュールの設置構造。
【請求項４】
屋根の軒先部に軒先部材が設けられていることを特徴とする請求項１ないし請求項３までのいずれか１項に記載の太陽電池モジュールの設置構造。
【請求項５】
屋根の棟部に棟部材が設けられていることを特徴とする請求項１ないし請求項４までのいずれか１項に記載の太陽電池モジュールの設置構造。
【請求項６】
屋根の袖部にケラバ部材が設けられていることを特徴とする請求項１ないし請求項５までのいずれか１項に記載の太陽電池モジュールの設置構造。
【請求項７】
前記横フレーム部の上辺フレーム部と下辺フレーム部のいずれか一方が突出部を有し、他方が該突出部と嵌合可能な凹部を有することを特徴とする請求項１ないし請求項６までのいずれか１項に記載の太陽電池モジュールの設置構造。
【請求項８】
前記架台は、前記土台部の幅方向の両端付近に、前記架台の全長に亘って延びる仕切り部が設けられ、該仕切り部と前記フレーム支持部とで前記架台の全長に亘って前記排水部が形成されていることを特徴とする請求項１ないし請求項７までのいずれか１項に記載の太陽電池モジュールの設置構造。
【請求項９】
前記横フレーム部の上辺フレーム部または下辺フレーム部の起立部に、該起立部に沿って雨樋部が設けられていることを特徴とする請求項１ないし請求項８までのいずれか１項に記載の太陽電池モジュール設置構造。
【請求項１０】
前記縦フレーム部及び前記横フレーム部の前記支持部は、該支持部の支持溝内に突出する膨出部を有することを特徴とする請求項１ないし請求項９までのいずれか１項に記載の太陽電池モジュール設置構造。
【請求項１１】
前記架台の前記上段係止用突部の上面と前記縦フレーム部の前記上段係止部の底面のいずれか一方または両方、及び前記架台の前記下段係止用突部の上面と前記縦フレーム部の前記下段係止部の底面のいずれか一方または両方が突起部を有することを特徴とする請求項１ないし請求項１０までのいずれか１項に記載の太陽電池モジュール設置構造。
【請求項１２】
前記架台の底板部の裏面に波状面を有することを特徴とする請求項１ないし請求項１１までのいずれか１項に記載の太陽電池モジュールの設置構造。
【請求項１３】
前記上辺フレーム部及び前記下辺フレーム部は底板部を有し、いずれか一方の前記底板部が段部を有することを特徴とする請求項１ないし請求項１２までのいずれか１項に記載の太陽電池モジュール設置構造。
【請求項１４】
前記架台の前記フランジ部はその上面に係止片を有することを特徴とする請求項２ないし請求項１３までのいずれか１項に記載の太陽電池モジュール設置構造。
【請求項１５】
前記横フレーム部の上辺フレーム部または下辺フレーム部のいずれか一方が有する前記突出部の先端部が断面略半円状または断面略三角形状であることを特徴とする請求項７ないし請求項１４までのいずれか１項に記載の太陽電池モジュールの設置構造。
【請求項１６】
前記上辺フレーム部の上面または前記下辺フレーム部の上面に雪止め部を有することを特徴とする請求項１ないし請求項１５までのいずれか１項に記載の太陽電池モジュールの設置構造。
【手続補正２】
【補正対象書類名】明細書
【補正対象項目名】全文
【補正方法】変更
【補正の内容】
【発明の詳細な説明】
【技術分野】
【０００１】
本発明は、太陽電池モジュールの設置構造、詳しくは屋根への太陽電池モジュールの施工が容易な設置構造に関する。
【背景技術】
【０００２】
近年、地球環境に配慮したクリーンエネルギーである太陽光を利用して発電を行い、二酸化炭素（ＣＯ2)の排出量を減らそうとするエコの意識が世の中で高まっている。そのため、自宅の屋根に太陽光で発電する太陽電池モジュールを設置し、調理・給湯・空調などのシステムをすべて電気でまかなう家庭も年々増加している。
【０００３】
従来の自宅の屋根に太陽電池モジュールを設置する構造としては、屋根材の上に固定された架台等の取付金具によって太陽電池モジュールを支持しながら設置するいわゆる屋根置き型の設置構造や、屋根材であるベース材上に固定部材を介して太陽電池モジュールが固定された太陽電池モジュール一体型屋根材を用いて屋根を葺きながら設置する構造等が存在する。
【先行技術文献】
【特許文献】
【０００４】
【特許文献１】特開２００７−２２４５３８号公報
【特許文献２】特開２００６−３２８８８７号公報
【特許文献３】特開平０９−１８６３５４号公報
【０００５】
しかし、屋根材の上に固定された取付金具によって太陽電池モジュールを支持しながら設置する従来の設置構造は、まず始めに屋根材の上に架台等の多くの取付金具をネジ等により固定しなければならないため、太陽電池モジュールの取付作業に多くの時間を必要としていた。また、上記方法は屋根材にネジ孔を開けるため、そのネジ孔から雨水が浸入する可能性があり、雨漏りや野地板の腐食の原因となっていた。また、架台等の取付金具と太陽電池モジュールの重さによって屋根材を傷め易いという欠点があるとともに、取付金具の部品数が多いためコストが高くなるという欠点もあった。
【０００６】
一方、太陽電池モジュールが固定された太陽電池モジュール一体型屋根材を用いて屋根を葺きながら設置する従来の設置構造は、まず始めにベース材上に固定部材を介して太陽電池モジュールを取付けて太陽電池モジュール一体型屋根材を作成する必要があり、太陽電池モジュール一体型屋根材を設置する前段階の作業が煩雑であるため、多くの時間を要していた。
【０００７】
また、太陽電池モジュール一体型屋根材は、屋根材に孔を開けてその孔に太陽電池パネルから伸びる出力ケーブル等を通し、屋根材の裏面側で他の屋根材の太陽電池パネルと電気的に接続する構造であるため、太陽電池モジュール一体型屋根材の作成に手間がかかるとともに、屋根材に開けた孔から雨水が浸入する可能性があり、雨漏りや野地板の腐食の原因ともなっていた。
【０００８】
更に、屋根材の平均寿命が太陽電池モジュールの平均寿命よりもかなり短いため、屋根材だけの交換が必要となる場合があるが、その場合であっても太陽電池モジュール一体型屋根材の全体を交換しなければならず、費用が割高になってしまうという欠点もある。
【発明の概要】
【発明が解決しようとする課題】
【０００９】
そこで本発明は、上記のような従来の欠点を解消するものであり、太陽電池モジュールの設置が容易であり、防水性及び排水性を有するとともに、コストが安い太陽電池モジュールの設置構造を提供することを目的とする。
【課題を解決するための手段】
【００１０】
上記の目的を達成するため、本願の請求項１に係る発明は、屋根下地上に太陽電池モジュールを設置するための太陽電池モジュールの設置構造であって、太陽電池モジュールと縦フレーム部と横フレーム部と架台とからなり、前記縦フレーム部は上段係止部及び下段係止部からなる係止部と支持部とを有する枠部材であり、前記横フレーム部は支持部を有する枠部材であり、前記架台は長手方向に排水部が形成された長尺な土台部と、該土台部の中央に立設され全長に亘って左右均等な幅で水平方向に突出する上段係止用突部及び下段係止用突部からなる係止用突部が設けられたフレーム支持部とを有するとともに、前記係止用突部は前記排水部の上方に配置され、前記太陽電池モジュールの短辺及び長辺の縁部が前記縦フレーム部の前記支持部及び前記横フレーム部の前記支持部に支持されるとともに固定されて太陽電池モジュール体が形成され、前記屋根下地上の軒棟方向に互いに平行に設置された複数本の前記架台の上端部において、前記架台の前記上段係止用突部及び前記下段係止用突部の上面に前記縦フレーム部の前記上段係止部及び前記下段係止部の底面をそれぞれ係止させスライドさせることで前記縦フレーム部が前記架台の所望の位置に支持され、設置された複数本の前記架台の間に複数の前記太陽電池モジュール体が設置されていることを特徴とする。
【００１１】
また、請求項３に係る発明は、前記太陽電池モジュールの設置構造の周囲が雨水の浸入を防止する部材等によって覆われ、全体が防水性を有することを特徴とする。また、請求項４に係る発明は、屋根の軒先部に軒先部材が設けられていることを特徴とする。また、請求項５に係る発明は、屋根の棟部に棟部材が設けられていることを特徴とする。また、請求項６に係る発明は、屋根の袖部にケラバ部材が設けられていることを特徴とする。
【００１２】
また、請求項７に係る発明は、前記横フレーム部の上辺フレーム部と下辺フレーム部のいずれか一方が突出部を有し、他方が該突出部と嵌合可能な凹部を有することを特徴とする。また、請求項８に係る発明は、前記架台は、前記土台部の幅方向の両端付近に、前記架台の全長に亘って延びる仕切り部が設けられ、該仕切り部と前記フレーム支持部とで前記架台の全長に亘って前記排水部が形成されていることを特徴とする。また、請求項９に係る発明は、前記横フレーム部の上辺フレーム部または下辺フレーム部の起立部に、該起立部に沿って雨樋部が設けられていることを特徴とする。また、請求項１０に係る発明は、前記縦フレーム部及び前記横フレーム部の前記支持部は、該支持部の支持溝内に突出する膨出部を有することを特徴とする。
【００１３】
また、請求項１１に係る発明は、前記架台の前記上段係止用突部の上面と前記縦フレーム部の前記上段係止部の底面のいずれか一方または両方、及び前記架台の前記下段係止用突部の上面と前記縦フレーム部の前記下段係止部の底面のいずれか一方または両方が突起部を有することを特徴とする。また、請求項１２に係る発明は、前記架台の底板部の裏面に波状面を有することを特徴とする。
【００１４】
また、請求項１３に係る発明は、前記上辺フレーム部及び前記下辺フレーム部は底板部を有し、いずれか一方の前記底板部が段部を有することを特徴とする。また、請求項１４に係る発明は、前記架台の前記フランジ部はその上面に係止片を有することを特徴とする。また、請求項１５に係る発明は、前記横フレーム部の上辺フレーム部または下辺フレーム部のいずれか一方が有する前記突出部の先端部が断面略半円状または断面略三角形状であることを特徴とする。
【００１５】
また、請求項１６に係る発明は、前記上辺フレーム部の上面または前記下辺フレーム部の上面に雪止め部を有することを特徴とする。
【発明の効果】
【００１６】
上記より、請求項１及び請求項２に係る発明によれば、屋根上に太陽電池モジュールを容易にそして安定的に設置することができるとともに、作業者の屋根上での作業時間を短縮できるため、作業者の安全を確保することができる。また、排水性を有するとともに意匠性の高い太陽電池モジュールの設置構造を提供することができる。
【００１７】
また、請求項３ないし請求項１２に係る発明によれば、太陽電池モジュールの設置構造全体が高い防水性及び排水性を有するため屋根下地上に屋根材を葺く必要がなくなり、新築住宅等への太陽電池モジュールの設置コストを削減することができるとともに、屋根下地上への重量の負担を軽減することができる。また、屋根下地上に屋根材を葺く必要がないため、作業者の屋根上での作業時間を短縮でき、作業者の安全性を確保することができる。
【００１８】
また、請求項１３ないし請求項１５に係る発明によれば、太陽電池モジュールの設置作業が容易になり作業時間を短縮できるとともに、架台からの太陽電池モジュールの脱落を防ぎ、安全に設置作業を行うことが可能となる。
【００１９】
また、請求項１６に係る発明によれば、太陽電池モジュールの上に積もった雪が一気に滑り落ちずに雪止め部で堰き止められるため、不意な落雪による事故を防止することができるとともに、太陽電池モジュールの設置構造内への雪解け水の浸入を防止することができる。
【図面の簡単な説明】
【００２０】
【図１】本発明に係る設置構造に使用する太陽電池モジュール体の斜視図である。
【図２】図１のＡ−Ａ線矢印方向から見た一部断面斜視図である。
【図３】本発明に係る設置構造に使用する縦フレーム部の斜視図である。
【図４】本発明に係る設置構造に使用する上辺フレーム部の斜視図である。
【図５】本発明に係る設置構造に使用する下辺フレーム部の斜視図である。
【図６】本発明に係る設置構造に使用する左辺フレーム部と上辺フレーム部の連結状態を示す拡大斜視図である。
【図７】本発明に係る設置構造に使用する左辺フレーム部と下辺フレーム部の連結状態を示す拡大斜視図である。
【図８】本発明に係る設置構造に使用する架台の斜視図である。
【図９】本発明に係る設置構造に使用する軒先部材の斜視図である。
【図１０】本発明に係る設置構造に使用する棟部材の斜視図である。
【図１１】本発明に係る設置構造に使用するケラバ部材の斜視図である。
【図１２】本発明に係る設置構造を軒側から見た設置状態断面図である。
【図１３】本発明に係る設置構造に使用する上辺フレーム部と下辺フレーム部の連結状態を示す断面図である。
【図１４】本発明に係る設置構造の軒先部付近の断面図である。
【図１５】本発明に係る設置構造の棟部付近の断面図である。
【図１６】本発明に係る設置構造の袖部付近を軒側から見た断面図である。
【図１７】本発明に係る設置構造の斜視図である。
【発明を実施するための形態】
【００２１】
以下、本発明を図１から図１７に従って説明する。尚、以下では本発明に係る実施態様を詳細に説明するが、本発明はこれに限定されるものではない。本発明に係る太陽電池モジュールの設置構造（以下「設置構造」という。）１は、屋根２０１の屋根下地２０２上に縦フレーム部２、横フレーム部３及び架台４を介して太陽電池モジュールモジュール（以下「ＰＶモジュール」という。）５を設置する構造である。
【００２２】
図１等に示すＰＶモジュール５は、一般に使用されている単結晶シリコン系のＰＶモジュールや多結晶シリコン系のＰＶモジュール５である。このＰＶモジュール５は、縦方向の一対の短辺及び横方向の一対の長辺を有する平面視略長方形状であって、薄板状に形成されたものである。そして、表面側６には太陽電池セルが配置され、裏面側８には電極ボックスが配置されるとともに、そこから他のＰＶモジュール５と電気的に接続するための端子ケーブルが伸びている（図示せず）。
【００２３】
縦フレーム部２は、左辺フレーム部２ａと右辺フレーム部２ｂの二つからなる。この左辺フレーム部２ａ及び右辺フレーム部２ｂは、ＰＶモジュール５の左側の短辺及び右側の短辺の縁部９ａを覆う部材である。
【００２４】
図３に示す２ａは左辺レーム部であり、全体が厚さの薄い鋼板またはアルミニウム合金で形成された金属製の枠部材である。そして、その長さはＰＶモジュール５の短辺よりもやや長く形成されている。また、左辺フレーム部２ａは、上下方向に延びる脚部１０を有するとともに、その上方には係止部１１及び支持部１２が設けられている。
【００２５】
脚部１０は左辺フレーム部２ａの全長に亘って設けられている。そして、架台４に左辺フレーム部２ａを設置する際に架台４が傷ついて錆びるのを防止するため、脚部１０の下端部１３には断面半円形状の曲面が形成されている。また、脚部１０の長手方向の両端付近には、横フレーム部４と連結するためのネジ孔１４が二つずつ形成されている。
【００２６】
尚、脚部１０の長手方向の両端付近には支持部１２が設けられていない。そのため、このネジ孔１４を介して左辺フレーム部２ａに後述する横フレーム部３である上辺フレーム部３ａ及び下辺フレーム部３ｂをネジ３０ａで固定し連結することができる。
【００２７】
係止部１１は、脚部１０の上方であって左辺フレーム部２ａの幅方向Ｂの左側Ｂ１に設けられているとともに、左辺フレーム部２ａの全長に亘って設けられている。また、係止部１１は脚部１０の上端部に設けられた上段係止部１１ａと、そのすぐ下部に設けられた下段係止部１１ｂからなる。これら上段係止部１１ａ及び下段係止部１１ｂは、左辺フレーム部２ａを架台４に係止させるための部材であり、脚部１０に対して直角に設けられている。
【００２８】
また、上段係止部１１ａの方が下段係止部１１ｂよりも幅方向Ｂの左側Ｂ１方向に長く形成されている。そして、上段係止部１１ａの先端部１５ａには平面が形成されており、下段係止部１１ｂの先端部１５ｂには断面略半円形状の曲面が形成されている。
【００２９】
そして、下段係止部１１ｂの底面１６ｂには、架台４に左辺フレーム部２ａを設置した際に、架台４と左辺フレーム部２ａの間からの雨水の浸入を防止するための小さな突起部１９が左辺フレーム部２ａの全長に亘って二本設けられている。また、架台４に左辺フレーム部２ａを設置する際に架台４が傷ついて錆びるのを防止するため、突起部１９は断面略半円状に形成されている。尚、突起部１９の本数は一本でも三本以上でもよいが、毛細管現象による雨水の浸入を防止するためには、複数本であることが望ましい。
【００３０】
また、上記のように突起部１９を設けて架台４と縦フレーム部２の接触面積を小さくすることで、突起部１９が無い場合に比べて接触面の面圧が上がり摩擦係数が減少するため、架台４に左辺フレーム部２ａを設置する際の労力が軽減される。
【００３１】
一方、支持部１２は脚部１０の上方であって幅方向Ｂの右側Ｂ２に設けられているとともに、左辺フレーム部２ａの長手方向の両端付近以外のほぼ全長に亘って設けられている。また、支持部１２は脚部１０の上端に設けられた上方支持部１２ａと、そのすぐ下部に設けられた下方支持部１２ｂからなる。
【００３２】
そして、これらの上方支持部１２ａと下方支持部１２ｂは脚部１０に対して直角でほぼ等しい長さに設けられ、上方支持部１２ａと下方支持部１２ｂとの間にはＰＶモジュール５の左側の短辺の縁部９ａを挿入し支持するための断面略コの字状の支持溝２０が形成されている。
【００３３】
この支持溝２０にシリコン等の接着材２１を流し込むとともに、ＰＶモジュール５の左側の短辺の縁部９ａを挿入することにより、ＰＶモジュール５の短辺の縁部９ａに左辺フレーム部２ａを固定することができる。尚、支持溝２０にシリコン等の接着剤２１を流し込んでいるため、支持溝２０内への雨水の浸入を防止することができる。
【００３４】
また、脚部１０と上方支持部１２ａが形成する隅部には、支持溝２０内に突出する断面略長方形状の膨出部２２が支持溝２０内の全長に亘って設けられている。
【００３５】
そのため、シリコン等の接着剤２１を流し込んだ支持溝２０の奥までＰＶモジュール５の短辺の縁部９ａを挿入したときに、ＰＶモジュール５の縁部９ａによって余分な接着剤２１が膨出部２２と下方支持部１２ｂの間の隙間２３に押し込まれる。そして、その余分な接着剤２１はその隙間２３を通って支持溝２０内の接着剤２１の足りない場所に流れ込むため、接着剤２１を支持溝２０内に均等に行き渡らせることができるとともに、支持溝２０内への雨水の浸入をより確実に防止することができる。
【００３６】
また、支持溝２０内に膨出部２２が形成されているため、支持溝２０内にＰＶモジュール５の短辺の縁部９ａを膨出部２２に当接するまで挿入しても、図１２に示すように、ＰＶモジュール５の表面側６の縁部９ａ付近が膨出部２２に当接するだけであって、裏面側８の縁部９ａ付近はシリコン等の接着剤２１に周りを覆われた状態となるため、左辺フレーム部２ａに接触することがない。
【００３７】
そのため、ＰＶモジュール５の裏面側８の縁部９ａ付近に配置されＰＶモジュール５を形成するＰＶセル同士を結合しているタブリボンやハンダ部分が、金属製の縦フレーム部２ａと接触することがないため、ＰＶセルで作られた電気が漏電するのを防止することができる。
【００３８】
一方、ＰＶモジュール５の右側の短辺の縁部９ａを挿入するための右辺フレーム部２ｂは、図３に示す左辺フレーム部２ａと左右対称の構造となっている。そのため、以下では右辺フレーム部２ａの部位の名称及び符号については、左辺フレーム部２ａの対応する部位の名称及び符号と同一のものを使用する。尚、右辺フレーム部２ｂの材質も左辺フレーム部２ａと同様に鋼板またはアルミニウム合金で形成されている。
【００３９】
横フレーム部３には上辺フレーム部３ａと下辺フレーム部３ｂがあり、その上辺フレーム部３ａと下辺フレーム部３ｂは、ＰＶモジュール５の上側及び下側の長辺の縁部９ｂを覆う部材である。
【００４０】
図４に示す３ａは上辺フレーム部であり、全体が厚さの薄い鋼板またはアルミニウム合金で形成された金属製の枠部材である。そして、その長さはＰＶモジュール５の長辺とほぼ同じ長さに形成されている。
【００４１】
この上辺フレーム部３ａの下部には、上辺フレーム部３ａの幅方向Ｃに延びる底板部２５が全長に亘って設けられている。そして、その底板部２５の真ん中から幅方向Ｃのやや右側Ｃ２寄りの位置において垂直に延びる起立部２６が全長に亘って設けられている。
【００４２】
そして、その起立部２６の中段及び下端であってその左側Ｃ１には、上辺フレーム部３ａの幅方向Ｃの左側Ｃ１に開口する断面略Ｃ字状のタッピングホール２８がネジ受けとして設けられている。これにより、上辺フレーム部３ａの両端面２９に、縦フレーム部２である左辺フレーム部２ａ及び右辺フレーム部２ｂをネジ３０ａにより固定し連結することができる。
【００４３】
また、底板部２５の幅方向Ｃの右側Ｃ２には断面略逆Ｌ字状の段部３１が設けられており、底板部２５の厚さ分だけ一段高くなっている。そのため、その段部３１の下方には隙間３２が形成されている。尚、上辺フレーム部３ａの長手方向の両端付近には、段部３１の平面部３１ａが設けられていない。これは、後述する雨樋部３８の両端から流れ落ちてきた雨水を架台４の排水部７１へ導く際に、雨水の流れを遮らないためである。
【００４４】
また、段部３１の平面部３１ａには、上辺フレーム部３ａをネジ３０ｂ等により固定するための切欠き部３３が二カ所設けられている。この切欠き部３３は、平面部３１ａの先端部３１ｂに向かって開口しＵ字状に形成されている。尚、本実施例では切欠き部３３は二カ所に設けられているが、それ以上の箇所に設けてもよい。
【００４５】
上記のように切欠き部３３を設けることで、この切欠き部３３を介して上辺フレーム部３ａを屋根２０１の屋根下地２０２上に設置された補助桟木２０３に固定することができる。また、上辺フレーム部３ａを固定しているネジ３０ｂを完全に外さないで緩めるだけで上辺フレーム部３ａを補助桟木２０３から取り外しできるため、屋根２０１に設置されたＰＶモジュール５の取り外しの時間を短縮できるとともに、作業者の屋根２０１上での作業時間も短縮できるため、作業者の安全性を確保することができる。
【００４６】
起立部２６の上方であってその左側Ｃ１には、支持部３４が上辺フレーム部３ａの全長に亘って設けられている。また、支持部３４は起立部２６の上端部に設けられた上方支持部３４ａと、そのすぐ下部に設けられた下方支持部３４ｂからなる。そして、これらの上方支持部３４ａと下方支持部３４ｂは底板部２５に対して水平に設けられ、その上方支持部３４ａと下方支持部３４ｂとの間にはＰＶモジュール５の上側の長辺の縁部９ｂを挿入し支持するための断面略コの字状の支持溝３５が形成されている。
【００４７】
この上辺フレーム部３ａの支持溝３５にシリコン等の接着材２１を流し込むとともに、ＰＶモジュール５の上側の長辺の縁部９ｂを挿入することにより、ＰＶモジュール５に上辺フレーム部３ａを固定することができる。尚、支持溝３５にシリコン等の接着剤２１を流し込んでいるため、支持溝３５内への雨水の浸入を防止することができる。
【００４８】
また、起立部２６と上方支持部３４ａが形成する隅部には、縦フレーム部２（左辺フレーム部２ａ及び右辺フレーム部２ｂ）と同様の、支持溝３５内に突出する断面略長方形状の膨出部３６が支持溝３５内の全長に亘って設けられている。
【００４９】
そのため、シリコン等の接着剤２１が流し込まれた支持溝３５内の奥までＰＶモジュール５の上側の長辺の縁部９ｂを挿入したときに、縦フレーム部２の場合と同様に、膨出部３６と下方支持部３４ｂとの間の隙間３７によって接着剤２１を支持溝３５内に均等に行き渡らせることができるため、支持溝３５内への雨水の浸入をより確実に防止することができる。
【００５０】
また、図１３に示すように、ＰＶモジュール５の裏面側８の縁部９ｂ付近がシリコン等の接着剤２１に周りを覆われた状態となるため、ＰＶセルのタブリボン等が上辺フレーム部３ａと接触することが無く、ＰＶセルで作られた電気が漏電するのを防止することができる。
【００５１】
起立部２６の中段やや下方であってその右側Ｃ２には、断面略くの字状の雨樋部３８が設けられている。この雨樋部３８は、段部３１と同じ側であって上辺フレーム部３ａの長手方向の両端付近以外のほぼ全長に亘って設けられている。また、雨樋部３８は、くの字状に折り曲げられているため、その内側に雨水を貯めたり、その貯めた水を雨樋部３８の両端から排出することができる。
【００５２】
起立部２６の上方であってその右側Ｃ２には、突出部であるリブ３９が設けられている。このリブ３９は底板部２５に対し水平に設けられているとともに、上辺フレーム部３ａの全長に亘って設けられている。
【００５３】
そして、このリブ３９は、後述する下辺フレーム部３ｂの挟持部５５に形成された凹部である挿入溝５６に挿入して嵌合させるための部材であるが、その挿入溝５６に挿入しやすくして上辺フレーム部３ａと下辺フレーム部３ｂの嵌合作業を容易にするため、先端部には断面略半円状の曲面４０が形成されている。尚、リブ３９の先端部の形状は、下辺フレーム部３ｂの挟持部５５の挿入溝５６に挿入しやすい形状であればよく、断面略三角形状に尖らせた形状であってもよい。
【００５４】
また、リブの上面４１の付け根部付近には傾斜面４２が設けられている。この傾斜面４２は、リブ３９の先端部へ向かって下降傾斜するように形成されており、後述する棟部材１１５や下辺フレーム部３ｂと隙間なく連結させるために設けられている。
【００５５】
一方、図５に示す３ｂは下辺フレーム部であり、全体が厚さの薄い鋼板またはアルミニウム合金で形成された金属製の枠部材である。そして、その長さはＰＶモジュール５の長辺とほぼ同じ長さに形成されている。
【００５６】
この下辺フレーム部３ｂの下部には、下辺フレーム部３ｂの幅方向Ｄに延びる底板部４４が下辺フレーム部３ｂの全長に亘って設けられている。そして、その底板部４４のほぼ真ん中において垂直に延びる起立部４５が底板部４４の全長に亘って設けられている。
【００５７】
そして、その起立部４５の中段及び下端であってその左側Ｄ１には、下辺フレーム部３ｂの幅方向Ｄの左側Ｄ１に開口する断面略Ｃ字状のタッピングホール４６がネジ受けとして設けられている。これにより、下辺フレーム部３ｂの両端面４８に、縦フレーム部２である左辺フレーム部２ａ及び右辺フレーム部２ｂをネジ３０ａにより固定し連結することができる。
【００５８】
また、底板部４４において、起立部４５の右側Ｄ２の部分であって長手方向の両端付近には底板部４４が設けられていない。これは、後述するように上辺フレーム部３ａと下辺フレーム部３ｂとを連結させた際に、雨樋部３８の両端から流れ落ちてきた雨水の流れを遮らずに架台４の排水部７１へ導くためである。
【００５９】
また、底板部４４の幅方向Ｄの右側Ｄ２には、下辺フレーム部３ｂをネジ３０ｂ等により固定するための切欠き部４９が二カ所設けられている。この切欠き部４９は、底板部４４の幅方向Ｄの右側Ｄ２の先端部５０に向かって開口しＵ字状に形成されている。なお、本実施例では切欠き部４９は二カ所に設けられているが、それ以上の箇所に設けてもよい。
【００６０】
上記のように切欠き部４９を設けることで、この切欠き部４９を介して下辺フレーム部３ｂを屋根２０１の屋根下地２０２上に設けられた補助桟木２０３に固定することができる。また、下辺フレーム部３ｂを固定しているネジ３０ｂを完全に外さないで緩めるだけで下辺フレーム部３ｂを補助桟木２０３から取り外しできるため、屋根２０１に設置されたＰＶモジュール５の取り外しの時間を短縮できるとともに、作業者の屋根２０１上での作業時間も短縮できるため、作業者の安全性を確保することができる。
【００６１】
起立部４５の上方であってその左側Ｄ１には、支持部５１が下辺フレーム部３ｂの全長に亘って設けられている。また、支持部５１は起立部４５の上端部に設けられた上方支持部５１ａと、そのすぐ下部に設けられた下方支持部５１ｂからなる。そして、これらの上方支持部５１ａと下方支持部５１ｂは底板部４４に対して水平に設けられ、その上方支持部５１ａと下方支持部５１ｂとの間にはＰＶモジュール５の下側の長辺の縁部９ｂを挿入し支持するための断面略コの字状の支持溝５２が形成されている。
【００６２】
この下辺フレーム部３ｂの支持溝５２にシリコン等の接着材２１を流し込むとともに、ＰＶモジュール５の下側の長辺の縁部９ｂを挿入することにより、ＰＶモジュール５に下辺フレーム部３ｂを固定することができる。尚、支持溝５２にシリコン等の接着剤２１を流し込んでいるため、支持溝５２内への雨水の浸入を防止することができる。
【００６３】
また、起立部４５と上方支持部５１ａが形成する隅部には、縦フレーム部２及び上辺フレーム部３ａと同様の、支持溝５２内に突出する断面略長方形状の膨出部５３が支持溝５２内の全長に亘って設けられている。
【００６４】
そのため、シリコン等の接着材２１を流し込んだ支持溝５２内の奥までＰＶモジュール５の下側の長辺の縁部９ｂを挿入したときに、縦フレーム部２や上辺フレーム部３ａの場合と同様に、膨出部５３と下方支持部５１ｂとの間の隙間５４によって接着剤２１を支持溝５２内に均等に行き渡らせることができるため、支持溝５２内への雨水の浸入をより確実に防止することができる。
【００６５】
また、図１３に示すように、ＰＶモジュール５の裏面側８の縁部９ｂ付近がシリコン等の接着剤２１に周りを覆われた状態となるため、ＰＶセルのタブリボン等が下辺フレーム部３ｂと接触することが無く、ＰＶセルで作られた電気が漏電するのを防止することができる。
【００６６】
一方、起立部４５の上方において、支持溝５２が開口する起立部４５の左側Ｄ１とは反対の右側Ｄ２に開口する挟持部５５が下辺フレーム部３ｂの全長に亘って設けられている。また、挟持部５５は起立部４５の上端部に設けられた上方挟持部５５ａと、そのすぐ下部に設けられた下方挟持部５５ｂからなる。そして、これらの上方挟持部５５ａと下方挟持部５５ｂは底板部４４に対して水平に設けられ、その上方挟持部５５ａと下方挟持部５５ｂとの間には、凹部である断面略コの字状の挿入溝５６が形成されている。この挿入溝５６には、上辺フレーム部３ａのリブ３９が挿入可能であり嵌合させることができる。
【００６７】
また、上方挟持部５５ａの先端部には、先端部に向かって上昇傾斜する傾斜面５８が設けられている。この傾斜面５８は、上辺フレーム部３ａのリブ３９に設けられた傾斜面４２と同じ角度で傾斜している。そのため、傾斜面４２と傾斜面５８とを隙間なく接触させることができる。
【００６８】
尚、本実施例では上辺フレーム部３ａにリブ３９が設けられ下辺フレーム部３ｂに挟持部５５が設けられているが、上辺フレーム部３ａに挟持部５５が設けられ下辺フレーム部３ｂにリブ３９が設けられていてもよい。
【００６９】
また、下辺フレーム部３ｂの上面５９には、横長略長方形状の雪止め部６０が起立部４５に沿って二カ所に設けられている。この雪止め部６０により、ＰＶモジュール５の表面側６に積もった雪が一気に滑り落ちずに堰き止められるため、屋根２０１からの不意な落雪による事故を防止することができる。
【００７０】
上記構造により、上辺フレーム部３ａと下辺フレーム部３ｂが連結可能となっている。具体的には、図１３に示すように、下辺フレーム部３ｂの挟持部５５に形成された挿入溝５６に上辺フレーム部３ａのリブ３９を挿入して嵌合させるとともに、上辺フレーム部３ａの底板部２５の段部３１に形成された隙間３２に下辺フレーム部３ｂの底板部４４を挿入して係止させる。
【００７１】
また、挿入溝５６の奥までリブ３９を挿入して、下辺フレーム部３ｂの上方挟持部５５ａの先端部に設けられた傾斜面５８と上辺フレーム部３ａのリブ３９の上面４１に設けられた傾斜面４２を当接させることで、上辺フレーム部３ａと下辺フレーム部３ｂとの間に隙間が生じないように密着させながら連結する事ができる。
【００７２】
これにより、降雨時であっても上辺フレーム部３ａと下辺フレーム部３ｂとの間から雨水が浸入するのを防止することができる。尚、挿入溝５６の幅をリブ３９の厚さとほぼ同じにして隙間をなくすことで、雨水が浸入するのを更に防止することができる。
【００７３】
また、仮に下辺フレーム部３ｂの挟持部５５に形成された挿入溝５６から雨水が浸入した場合であっても、その雨水は雨樋部３８に確実に流れ落ち、雨樋部３８の両端から後述する架台４の排水部７１に確実に流れ落ちるため、浸入した雨水を設置構造１の外に排水することが可能となっている。
【００７４】
尚、本実施例においては上辺フレーム部３ａの底板部２５に段部３１が設けられているが、下辺フレーム部３ｂの底板部４４に段部３１が設けられていてもよい。また、雨樋部３８が上辺フレーム部３ａの起立部２６に設けられているが、下辺フレーム部３ｂの起立部４５に設けられていてもよい。
【００７５】
また、本実施例では雪止め部６０は下辺フレーム部３ｂの上面５９に設けられているが、上辺フレーム部３ａの上面４３に設けられていてもよい。但し、上辺フレーム部３ａの上面４３に設けられている場合には、雪止め部６０に堰き止められて溜まった雪や雨水が上辺フレーム部３ａと下辺フレーム部３ｂとの間から浸入する可能性もあるため、下辺フレーム部３ｂの上面５９に設けられている方が望ましい。
【００７６】
上辺フレーム部３ａと下辺フレーム部３ｂの連結時に、図１３に示すように、上辺フレーム部３ａの上面４３と下辺フレーム部３ｂの上面５９とが面一になることが望ましい。面一にして段差をなくすことで、降雨時に上辺フレーム部３ａの上面４３及び下辺フレーム部３ｂの上面５９に雨水が吹き寄せられて溜まる事がないため、上辺フレーム部３ａと下辺フレーム部３ｂとの間から雨水が浸入するのを防止することができるとともに、意匠性の高い見た目の綺麗な設置構造１とすることができる。
【００７７】
また、上記構造により、縦フレーム部２と横フレーム部３の連結が可能となっている。具体的には、縦フレーム部２である左辺フレーム部２ａ及び右辺フレーム部２ｂの長手方向の両端付近においては支持部１２が設けられていないため、図６及び図７に示すように、脚部１０の側面１７に上辺フレーム部３ａの端面２９及び下辺フレーム部３ｂの端面４８を当接させることができる。そして、ネジ孔１４にネジ３０ａを挿入して上辺フレーム部３ａのタッピングホール２８及び下辺フレーム部３ｂのタッピングホール４６に螺合することで、縦フレーム部２と横フレーム部３とを連結することができる。
【００７８】
このとき、左辺フレーム部２ａ及び右辺フレーム部２ｂの脚部１０の側面１７、上辺フレーム部３ａの端面２９及び下辺フレーム部３ｂの端面４８はそれぞれ平面であるため、ぴったりと密着して隙間が無い状態となる。また、図１３に示すように、左辺フレーム部２ａ（右辺フレーム部２ｂ）の支持部１２の長手方向の両端面と、上辺フレーム部３ａの支持部３４の先端部または下辺フレーム部２ｂの支持部５１の先端部は接した状態となる。そのため、縦フレーム部２と横フレーム部３の間からの雨水の浸入を防止することができる。
【００７９】
また、縦フレーム部２（左辺フレーム部２ａ及び右辺フレーム部２ｂ）と横フレーム部３（上辺フレーム部３ａ及び下辺フレーム部３ｂ）の連結時に、縦フレーム部２の上面２４、上辺フレーム部３ａの上面４３及び下辺フレーム部３ｂの上面５９がほぼ同じ高さとなることが望ましい。
【００８０】
ほぼ同じ高さにして段差をなるべくなくすことで、降雨時に雨水が吹き寄せられて溜まりにくくなるため、縦フレーム部２と横フレーム部３との間から雨水が浸入するのを防止することができるとともに、意匠性の高い見た目の綺麗な設置構造１とすることができる。
【００８１】
また、上記のようにＰＶモジュール５の四辺の縁部９に縦フレーム部２及び横フレーム部３をシリコン等の接着剤２１で固定するとともに、縦フレーム部２及び横フレーム部３をネジ３０ａにより連結することで、図１及び図２に示すＰＶモジュール体６１を形成することができる。
【００８２】
尚、本実施例においては、縦フレーム部２及び横フレーム部３は鋼板またはアルミニウム合金などの金属で形成されているが、プラスチック等の樹脂で形成されていてもよい。
【００８３】
図８に示す４は、ＰＶモジュール体６１を支えるための架台である。架台４は、土台部６２とフレーム支持部６３からなり、全体が厚さの薄い鋼板またはアルミニウム合金で形成された金属製の長尺の部材である。
【００８４】
土台部６２を形成する底板部６４は、架台４の幅方向Ｅに延びるとともに全長に亘って設けられている。そして、その底板部６４の幅方向Ｅの両端には、両端面６５に向かって下降傾斜する傾斜面６６が全長に亘って設けられている。また、この傾斜面６６には、架台４を屋根２０１の屋根下地２０２上に固定するためのネジ孔６８が架台４の長手方向Ｆに沿って複数箇所に設けられている。
【００８５】
尚、このネジ孔６８は傾斜面６６に対して直角に設けられているため、図１２に示すように、架台４を屋根下地２０２上へ固定するときにネジ孔６８にネジ３０ｃ等を挿入しやすく、ネジ３０ｃ等の締め付け作業も容易になっている。
【００８６】
また、底板部６４の幅方向Ｅの両端よりやや内寄りの位置には、フレーム支持部６３側の斜め上方に開口する断面略Ｃ字状のタッピングホール７２が架台４の全長に亘って設けられている。これにより、二つの架台４，４を一直線に並べそれぞれのタッピングホール７２に一本の円柱状の細長いピン（図示せず）を挿入することで架台４を連続的につなぐことができ、長さの長い架台４が必要な場合にも対応することができる。
【００８７】
また、底板部６４の幅方向Ｅの両端よりやや内寄りの位置であって傾斜面６６の上部において、底板部６４に対して約６０度の角度で底板部６４の幅方向Ｅの両端に向かって上昇傾斜する仕切り部６９が底板部６４の全長に亘って設けられている。この仕切り部６９と底板部６４と後述するフレーム支持部６３の起立部７０とによって排水部７１が形成され、流れ込んできた雨水を本発明に係る設置構造１の外に排出する役割を果たす。尚、この仕切り部６９は、架台４の中段ぐらいの高さまで延設されているため、より多くの雨水を排出することが可能となっている。
【００８８】
尚、図８に示す底板部６４の裏面７３は平面であるが、底板部６４の長手方向Ｆに連続する波状の凹凸をその裏面７３の全体に亘って施してもよい。裏面７３を波状とすることで、毛細管現象により底板部６４の裏面７３と屋根下地２０２との間に雨水が浸入するのを防止することができる。
【００８９】
フレーム支持部６３は起立部７０と係止用突部７４とフランジ部７５とからなる。具体的には、底板部６４の中央において底板部６４に対し垂直に延びる起立部７０が底板部６４の全長に亘って設けられている。そして、その起立部７０の上端部には上段係止用突部７４ａが、その上段係止用突部７４ａのすぐ下部には下段係止用突部７４ｂが、起立部７０の中段やや下方にはフランジ部７５がそれぞれ底板部６４に対し水平に設けられるとともに、起立部７０の全長に亘って設けられている。
【００９０】
また、上段係止用突部７４ａ、下段係止用突部７４ｂ及びフランジ部７５は、起立部７０から左右に均等な幅で幅方向Ｅに突出するように設けられている。そして、フランジ部７５の幅は上段係止用突部７４ａ及び下段係止用突部７４ｂの幅よりも広く形成されている。
【００９１】
左右の両上段係止用突部７４ａの上面７６ａには、架台４に縦フレーム部２を設置した際に、架台４と縦フレーム部２の間からの雨水の浸入を防止するための小さな突起部７８が上段係止用突部７４ａの全長に亘って二本ずつ設けられている。また、架台４に縦フレーム部２を設置する際に縦フレーム部２が傷ついて錆びるのを防止するため、突起部７８は断面略半円状に形成されている。尚、突起部７８の本数は一本でも三本以上でも良いが、毛細管現象による雨水の浸入を防止するためには、複数本であることが望ましい。
【００９２】
また、上記のように突起部７８を設けて架台４と縦フレーム部２の接触面積を小さくすることで、突起部７８が無い場合に比べて接触面の面圧が上がり摩擦係数が減少するため、架台４に縦フレーム部２（ＰＶモジュール体６１）を設置する際の労力が軽減される。
【００９３】
また、左右の両フランジ部７５の上面７９であってその幅方向Ｅの端部には、上方へ突出する係止片８０がフランジ部７５の全長に亘って設けられている。
【００９４】
上記のような構成とすることで、架台４のフレーム支持部６３に縦フレーム部２を支持させて、ＰＶモジュール体６１を設置することが可能となる。具体的には、図１２に示すように、ＰＶモジュール体６１の縦フレーム部２である左辺フレーム部２ａ及び右辺フレーム部２ｂの脚部１０の下端部１３を架台４のフランジ部７５の上面７９に当接させる。
【００９５】
それと同時に、左辺フレーム部２ａ及び右辺フレーム部２ｂの上段係止部１１ａの底面１６ａと架台４の上段係止用突部７４ａの上面７６ａとを対峙させて係止させつつ、縦フレーム部２の下段係止部１１ｂの底面１６ｂと架台４の下段係止用突部７４ｂの上面７６ｂとを対峙させて係止させる。これにより、架台４のフレーム支持部６３の三カ所で縦フレーム部２を支持させることができるため、ＰＶモジュール体６１を安定的に設置することができる。
【００９６】
また、縦フレーム部２とフレーム支持部６３は、上記のように三カ所で接しているため、安定した状態でＰＶモジュール体６１の縦フレーム部２を架台４のフレーム支持部６３上の所望の位置までスライドさせて設置することができる。
【００９７】
また、上記のように架台４にＰＶモジュール体６１を設置する際に、ＰＶモジュール体６１が屋根２０１の桁行方向Ｇにずれそうな場合であっても、左辺フレーム部２ａ及び右辺フレーム部２ｂの脚部１０の下端部１３が架台４のフランジ部７５の係止片８０に衝突するため、ＰＶモジュール体６１が架台４から脱落するのを防止することができ、作業者が安全に設置作業を行うことができる。
【００９８】
尚、架台４の左右両側にＰＶモジュール体６１を支持させたときに、図１２に示すように、左辺フレーム部２ａと右辺フレーム部２ｂの互いの上段係止部１１ａ，１１ａの先端部１５ａ，１５ａの平面同士が隙間なく当接して、左辺フレーム部２ａの上面２４と右辺フレーム部２ｂの上面２４が面一な平面を形成し、架台４の左右の上段係止用突部７４ａの上面７６ａが完全に覆われる構造になっている。
【００９９】
そのため、降雨時における設置構造１内への雨水の浸入を防止することができるとともに、雨水が吹き寄せられて縦フレーム部２（左辺フレーム部２ａと右辺フレーム部２ｂ）の上面２４に溜まるのを防止することができる。
【０１００】
また、架台４の上段係止用突部７４ａと下段係止用突部７４ｂの間に形成された隙間８１に、ＰＶモジュール体６１の縦フレーム部２の下段係止部１１ｂを挿入した状態とすることで、ＰＶモジュール体６１の上下方向への移動が上段係止用突部７４ａと下段係止用突部７４ｂによって抑制されるため、ＰＶモジュール体６１を架台４に設置する際にＰＶモジュール体６１が強風により吹きあがるのを防止することができ、作業者が安全に設置作業を行うことができる。
【０１０１】
また、突起部１９は、縦フレーム部２の下段係止部１１ｂの底面１６ｂではなく、その底面１６ｂと対峙する架台４の下段係止用突部７４ｂの上面７６ｂに設けてもよいし、その両面に設けてもよい。また、突起部７８は、架台４の上段係止用突部７４ａの上面７６ａではなく、その上面７６ａと対峙する縦フレーム部２の上段係止部１１ａの底面１６ａに設けてもよいし、その両面に設けてもよい。尚、上記のように対峙する両面に突起部をそれぞれ設ける場合には、縦フレーム部２を架台４に設置したときにそれぞれの突起部同士が衝突しない位置に設ける必要がある。
【０１０２】
また、架台４の上段係止用突部７４ａの先端部８２ａ及び下段係止用突部７４ｂの先端部８２ｂには曲面が形成されている。更に、縦フレーム部２の下段係止部１１ｂの先端部１５ｂにも曲面が形成されている。これらの曲面により、架台４に縦フレーム部２をスムーズに設置することができるとともに、架台４や縦フレーム部２が傷ついて錆びるのを防止することができる。
【０１０３】
架台４のフランジ部７５の上面７９の高さは、底板部６４の上面８３よりも２０ｍｍ以上高いことが望ましい。上記の高さとすることで、架台４にＰＶモジュール体６１を設置した後であっても、底板部６４の上面８３付近や屋根下地２０２付近の通気性を確保できるため、屋根下地２０２の野地板２０４の腐食の原因となる湿気や、ＰＶモジュール５の発電効率を低下させる熱気が滞留するのを防止することができる。
【０１０４】
また、仕切り部６９の高さは、架台４の排水部７１に多くの雨水が流れ込んだ場合であってもその雨水を設置構造１の外に排出できるように、なるべく高く形成されていることが望ましいが、架台４にＰＶモジュール体６１を設置したときに、仕切り部６９が上辺フレーム部３ａの底板部２５及び下辺フレーム部３ｂの底板部４４に接触しないような高さとする必要がある。
【０１０５】
尚、架台４の長さは数メートルあり、どこで切断しても同じ断面となるように形成されているため、現場で必要な長さに切断して使用することが可能である。
【０１０６】
上記のように仕切り部６９が設けられているため、図１２に示すように、架台４にＰＶモジュール体６１を設置した後、当接する左辺フレーム部２ａと右辺フレーム部２ｂの上段係止部１１ａ，１１ａの先端部１５ａ，１５ａの間から雨水が浸入した場合であっても、その雨水を設置構造１の外へ排出することができる。
【０１０７】
具体的には、先端部１５ａ，１５ａの間から浸入した雨水は、架台４の上段係止用突部７４ａの上面７６ａと縦フレーム部２の上段係止部１１ａの底面１６ａとの間に形成された隙間８４ａに流れ込む。このとき、左右の上段係止用突部７４ａの上面７６ａに設けられた二本の突起部７８が縦フレーム部２の上段係止部１１ａの底面１６ａと接しているため、毛細管現象を含めた設置構造１の内部への雨水の浸入が防止される。そのため、雨水は隙間８４ａを通って架台４の下端部８５から排出される。
【０１０８】
また、より多くの雨水が隙間８４ａに流れ込んだ場合には、雨水は架台４の上段係止用突部７４ａの上面７６ａに設けられた突起部７８を乗り越えて、左右の上段係止用突部７４ａの先端部８２ａから縦フレーム部２（左辺フレーム部２ａ及び右辺フレーム部２ｂ）の下段係止部１１ｂの上面１８に流れ落ち、更には縦フレーム部２の下段係止部１１ｂの底面１６ｂと架台４の下段係止用突部７４ｂの上面７６ｂとの間に形成された隙間８４ｂに流れ込む。
【０１０９】
このとき、縦フレーム部２の下段係止部１１ｂの底面１６ｂに設けられた二本の突起部１９が架台４の下段係止用突部７４ｂの上面７６ｂと接しているため、毛細管現象を含めた設置構造１の更なる内部への雨水の浸入が防止される。そのため、雨水は縦フレーム部２の下段係止部１１ｂの上面１８または隙間８４ｂを通って架台４の下端部８５から排出される。
【０１１０】
また、より多くの雨水が隙間８４ｂに流れ込んだ場合には、雨水は縦フレーム部２の下段係止部１１ｂの底面１６ｂに設けられた突起部１９をくぐり抜け、下段係止用突部７４ｂの先端部８２ｂから架台４のフランジ部７５の上面７９に流れ落ちる。
【０１１１】
このとき、縦フレーム部２の脚部１０の下端部１３が架台４のフランジ部７５の上面７９と当接しているため、雨水の設置構造１の更なる内部への浸入が防止される。そのため、雨水はフランジ部７５の上面７９を通って架台４の下端部８５から排出される。
【０１１２】
また、より多くの雨水が架台４のフランジ部７５の上面７９に流れ落ちた場合には、雨水は縦フレーム部２の脚部１０の下端部１３をくぐり抜け、フランジ部７５の係止片８０を乗り越えて排水部７１へと流れ落ちる。そして、底板部６４の上面８３を通って架台４の下端部８５から排出される。
【０１１３】
尚、本実施例においては、架台４は鋼板またはアルミニウム合金などの金属で形成されているが、プラスチック等の樹脂で形成されていてもよい。
【０１１４】
図９に示す１０１は軒先部材である。この軒先部材１０１は、屋根２０１の軒先部２０５に沿って設置する長さの長い部材であり、ＰＶモジュール体６１の上を流れ落ちてきた雨水がＰＶモジュール体６１と屋根下地２０２との間から設置構造１の内部へ浸入するのを防止するとともに、その雨水を軒下へ流れ落とすためのものである。また、この軒先部材１０１は、厚さの薄い鋼板またはアルミニウム合金で形成されている。
【０１１５】
軒先部材１０１は、先端部１０４に向かって下降傾斜するルーフ部１０２と、そのルーフ部１０２の途中からルーフ部１０２と同じ側に下降傾斜する傾斜部１０３と、ルーフ部１０２及び傾斜部１０３と交わる底面部１０５を有し、これら３つの部材によって断面略扇状の筒状体に形成されている。そして、軒先部材１０１の長さは、横フレーム部３よりもやや長く形成されている。
【０１１６】
また、ルーフ部１０２は、屋根下地２０２上に設置されたＰＶモジュール体６１上を流れ落ちてきた雨水を軒下へ確実に流れ落とすため、その先端部１０４が底面部１０５よりも下方へ突出して延設されている。
【０１１７】
そして、ルーフ部１０２と底面部１０５とが交わって形成される鋭角の隅部には、筒状体の内側に開口するタッピングホール１０６が軒先部材１０１の全長に亘って設けられている。そのため、軒先部材１０１を軒先部２０５に一直線に並べてそれぞれのタッピングホール１０６に一本の細長い円柱状のピン１０８を挿入することで、軒先部材１０１を屋根２０１の桁行方向Ｇにつなぐことができる。
【０１１８】
また、底面部１０５は傾斜部１０３と交わる位置よりも突出する突出部１０５ａを有する。そのため、図１４に示すように、階段状の係止具１０９をネジ１１０ａ等により補助桟木２０３に固定することによって係止具１０９が形成する隙間に、底面部１０５の突出部１０５ａを挿入することで、軒先部材１０１を補助桟木２０３に固定することができる。
【０１１９】
尚、軒先部材１０１の筒状体の内部には、ルーフ部１０２の途中から傾斜部１０３と底面部１０５が交わる鈍角の隅部にかけて、軒先部材１０１の強度を保つための補強部１１１が設けられている。
【０１２０】
ルーフ部１０２の上端部１１２には、軒先部材１０１の長手方向Ｈに沿って挿入部１１３が延設されている。この挿入部１１３の両端は切り欠きかれ、軒先部材１０１の全長よりも少し短く形成されている。また、挿入部１１３の長さは、下辺フレーム部３ｂの挟持部５５の長さとほぼ同じであり、挿入部１１３の厚さは、下辺フレーム部３ｂの挿入溝５６の幅とほぼ同じである。
【０１２１】
そのため、下辺フレーム部３ｂの挟持部５５の挿入溝５６にシリコン等の接着材２１を流し込むとともに、軒先部材１０１の挿入部１１３を挿入して嵌合させることにより、下辺フレーム部３ｂに軒先部材１０１を固定することができる。尚、下辺フレーム部３ｂの挿入溝５６にシリコン等の接着剤２１を流し込んでいるため、挿入溝５６内への雨水の浸入を防止することができる。
【０１２２】
また、挿入部１１３においては、ルーフ部１０２の上端部１１２から挿入部１１３の上端部１１３ａに向かって下降傾斜する傾斜面１１４が設けられている。この傾斜面１１４は、下辺フレーム部３ｂの上方挟持部５５ａに設けられた傾斜面５８と同じ角度で傾斜している。
【０１２３】
そのため、図１４に示すように、最も軒先部２０５側に設置されたＰＶモジュール体６１の下辺フレーム部３ｂの挿入溝５６の奥まで軒先部材１０１の挿入部１１３を挿入して嵌合させると、下辺フレーム部３ｂの傾斜面５８と挿入部１１３の傾斜面１１４とが隙間なく接するようになっており、挿入溝５６内への雨水の浸入を防止することができる。
【０１２４】
また、ルーフ部１０２の挿入部１１３を下辺フレーム部３ｂの挟持部５５の挿入溝５６に挿入して嵌合させたときに、下辺フレーム部の３ｂの上面５９とルーフ部１０２の上部の上面１０７とが面一になるため、雨水が溜まることなく軒下へ流れ落ちる。また、意匠性の高い見た目の綺麗な設置構造１とすることができる。
【０１２５】
ルーフ部１０２の長手方向Ｈの両端であってその上方の角部１１５には、軒先部材１０１を架台４の上段係止突部７４ａに固定するためのネジ孔１１６が設けられている。そのため、軒先部材１０１はネジ孔１１６を介してネジ１１０ｂ等により架台４の上段係止突部７４ａに固定することができる。
【０１２６】
図１０に示す１１７は棟部材である。この棟部材１１７は、喚起棟２０６の喚起棟板２１３上を流れ落ちてきた雨水や喚起棟２０６付近に降ってきた雨水がＰＶモジュール体６１と屋根下地２０２との間から設置構造１の内部に浸入するのを防止するため、屋根２０１の棟部２１０に設けられた喚起棟２０６付近に設置される長さの長い部材である。また、この棟部材１１７は、厚さの薄い鋼板またはアルミニウム合金で形成されている。
【０１２７】
棟部材１１７は、長辺部１１８及び短辺部１１９を有し、その長辺部１１８と短辺部１１９が断面略Ｌ字状を形成している。そしてその長さは、ＰＶモジュール体６１の左辺フレーム部２ａと右辺フレーム部２ｂのそれぞれの上段係止部１１ａ，１１ａの先端部１５ａ，１５ａの間の距離とほぼ同じである。また、長辺部１１８の縁部１１８ａ付近には、複数のネジ孔１２０が棟部材１１７の長手方向Ｉに一列に設けられている。
【０１２８】
また、棟部材１１７の長辺部１１８の縁部１１８ａには、縁部１１８ａに向かって上昇傾斜する傾斜面１２１が設けられている。この傾斜面１２１は、上辺フレーム部３ａのリブ３９に設けられた傾斜面４２と同じ角度で傾斜している。
【０１２９】
そのため、図１５に示すように、最も棟部２１０側に設置されたＰＶモジュール体６１の上辺フレーム部３ａのリブ３９の上面４１及びその上辺フレーム部３ａの両側に位置する縦フレーム部２の上面２４を、棟部材１１７の長辺部１１８の裏面１２２で覆いつつ、リブ３９の傾斜面４２と棟部材１１７の傾斜面１２１とが接するように設置する。そして、ネジ孔１２０を介してネジ１１０ｃ等により棟部材１１７を上辺フレーム部３ａ及び縦フレーム部２に固定することができる。
【０１３０】
上記のように固定することで、棟部材１１７と上辺フレーム部３ａまたは縦フレーム部２との隙間を最小限にして固定することができる。そのため、棟部材１１７上に流れ落ちてきた雨水はＰＶモジュール体６１上に流れ落ちるため、設置構造１の内部への雨水の浸入を防止することができる。
【０１３１】
また、棟部材１１７の長辺部１１８の裏面１２２には、長辺部１１８に対し垂直に延びる係止部１２３が棟部材１１７の長手方向Ｉの両端付近以外のほぼ全長に亘って設けられている。そのため、上記のように棟部材１１７を固定する際に、棟部材１１７の係止部１２３を上辺フレーム部３ａのリブ３９の先端の曲面４０に当接させると、上辺フレーム部３ａのリブ３９に設けられた傾斜面４２と棟部材１１７に設けられた傾斜面１２１とが接するとともに棟部材１１７がリブ３９の上面４１からずれ落ちることがないため、容易に固定することができる。
【０１３２】
図１１に示す１２４はケラバ部材である。このケラバ部材１２４は、屋根２０１の袖部２０８においてケラバ包みを形成する屋根材２０７の上を流れ落ちてきた雨水やケラバ包み付近に降ってきた雨水が設置構造１の内部に浸入するのを防止するために、屋根２０１の袖部２０８のケラバ包みに設置される長尺の部材である。また、このケラバ部材１２４は、厚さの薄い鋼板またはアルミニウム合金で形成されている。
【０１３３】
そして、ケラバ部材１２４は立ち上り部１２５を有し、階段状になっている。また、このケラバ部材１２４の上段部１２６の幅Ｋは、架台４の左右の上段係止用突部７４ａの幅ｋよりもやや広めに形成されている。また、ケラバ部材１２４の上段部１２６には、ケラバ部材１２４の長手方向Ｌに一列に複数のネジ孔１２８が設けられている。
【０１３４】
そのため、図１６に示すように、袖部２０８の一番近くに設置された架台４の上段係止用突部７４ａの上面７６ａを、ケラバ部材１２４の上段部１２６の裏面１３１で覆うとともに、袖部２０８の屋根材２０７の上面２１１をケラバ部材１２４の下段部１３２の裏面１３３で覆うようにして設置し、複数のネジ孔１２８を介してネジ１１０ｄ等により架台４の上段係止用突部７４ａにケラバ部材１２４を固定することができる。
【０１３５】
また、ケラバ部材１２４の上段部１２６の端面１２９は平面であるため、ケラバ部材１２４を架台４の袖部２０８側の上段係止用突部７４ａの上面７６ａに固定した場合に、ケラバ部材１２４の上段部１２６の端面１２９と、架台４のもう一方の上段係止用突部７４ａと係止する縦フレーム部２の上段係止部１１ａの先端部１５ａとが隙間なく当接して、ケラバ部材１２４の上段部１２６の上面１３０と縦フレーム部２の上面２４が面一な平面を形成し、架台４の左右の上段係止用突部７４ａの上面７６ａが完全に覆われる構造になっている。
【０１３６】
そのため、ケラバ包みを形成する屋根材２０７の上を流れ落ちてきた雨水やケラバ包み付近に降ってきた雨水の設置構造１の内部への浸入を防止することができるとともに、雨水が吹き寄せられて縦フレーム部２の上面２４及びケラバ部材１２４の上段部１２６の上面１３０に溜まることによる設置構造１の内部への雨水の浸入を防止することができる。
【０１３７】
また、ケラバ部材１２４の端面１２９と縦フレーム部２の上段係止部１１ａの先端部１５ａとの間から雨水が浸入した場合であっても、その雨水は架台４の下端部８５から排出される。
【０１３８】
具体的には、ケラバ部材１２４の端面１２９と縦フレーム部２の上段係止部１１ａの先端部１５ａの間から浸入した雨水は、架台４の上段係止用突部７４ａの上面７６ａと縦フレーム部２の上段係止部１１ａの底面１６ａまたはケラバ部材１２４の上段部１２６の裏面１３１との間に形成された隙間８４ｃに流れ込む。
【０１３９】
このとき、左右の上段係止用突部７４ａの上面７６ａに設けられた二本の突起部７８は縦フレーム部２の上段係止部１１ａの底面１６ａやケラバ部材１２４の上段部１２６の裏面１３１と接しているため、毛細管現象を含めた設置構造１の内部への雨水の浸入が防止される。そのため、雨水は隙間８４ｃを通って架台４の下端部８５から排出される。
【０１４０】
また、より多くの雨水が隙間８４ｃに流れ込んだ場合であって、架台４の上段係止用突部７４ａの上面７６ａに設けられた突起部７８を乗り越えて、上段係止用突部７４ａの先端部８２ａから縦フレーム部２側に流れ落ちた雨水は、上記の雨水が隙間８４ａに流れ込んだ場合と同様にして架台４の下端部８５から排出される。
【０１４１】
一方、架台４の上段係止用突部７４ａの上面７６ａに設けられた突起部７８を乗り越えてケラバ部材１２４側に流れ落ちた雨水は、架台４の上段係止用突部７４ａの先端部８２ａからフランジ部７５の上面７９に流れ落ち、その上面７９を通って、架台４の下端部８５から排出される。
【０１４２】
また、より多くの雨水が架台４のフランジ部７５の上面７９に流れ落ちた場合には、雨水はフランジ部７５の上面に設けられた係止片８０を乗り越えて排水部７１へと流れ落ち、底板部６４の上面８３を通って架台４の下端部８５から排出される。
【０１４３】
ケラバ部材１２４の下段部１３２の裏面１３３には、断面略半円状の小さな突起部１３４がケラバ部材１２４の全長に亘って二本設けられている。また、上記のようにケラバ部材１２４を架台４に固定したとき、ケラバ部材１２４の下段部１３２の裏面１３３に設けられた突起部１３４は袖部２０８のケラバ包みを形成する屋根材２０７の上面２１１と接している。そのため、袖部２０８の屋根材２０７とケラバ部材１２４との間からの毛細管現象を含めた設置構造１の内部への雨水の浸入が防止される。
【０１４４】
また、袖部２０８の屋根材２０７とケラバ部材１２４との間から雨水が設置構造１の内部への浸入した場合であっても、上記の上段係止用突部７４ａの上面７６ａからケラバ部材１２４側に流れ落ちた雨水と同様に、架台４のフランジ部７５の上面７９や排水部７１へと流れ落ち、フランジ部７５の上面７９や底板部６４の上面８３を通って架台４の下端部８５から排出される。
【０１４５】
次に、本発明に係る設置構造１の屋根下地２０２上への設置方法について説明する。屋根２０１には、一面に張られた野地板２０４の上にルーフィング等の防水シート２０９が敷設された屋根下地２０２が形成されており、その上にまず架台４を設置する。この架台４は、図１７に示すように、屋根２０１の軒棟方向Ｍ（傾斜方向）に設置するとともに、軒先部２０５付近から棟部２１０付近にかけて設置し、底板部６４のネジ孔６８を介してネジ３０ｃにより屋根下地２０２上に固定する。
【０１４６】
また、架台４は屋根下地２０２上に等間隔かつ平行に複数本設置する。このときの架台４と架台４の距離は、横フレーム部３の長さよりもやや長めであり、屋根２０１の桁行方向Ｇの幅一杯に設置する。
【０１４７】
尚、架台４の長さが一本では足りない場合には、二つの架台４，４を一直線に並べそれぞれのタッピングホール７２に一本の円柱状の細長いピンを挿入して連続的につないで対応する。
【０１４８】
また、架台４にＰＶモジュール体６１を設置したときに、横フレーム部３が下方にたわむのを防止するとともにＰＶモジュール体６１を固定するための補助桟木２０３を屋根下地２０２上に設置する。具体的には、図１７に示すように、架台４と架台４の間において軒先部２０５付近から棟部２１０付近にかけて補助桟木２０３を架台４と平行に複数本設置し、釘１３５等により屋根下地２０２上に固定する。
【０１４９】
次に、軒先部２０５における補助桟木２０３上において、軒先部材１０１を設置する位置を決定し、図１４に示すように、係止具１０９をネジ１１０ａにより固定する。そして、係止具１０９が形成する隙間に軒先部材１０１の底面部１０５の突出部１０５ａを挿入することで軒先部材１０１を補助桟木２０３に固定する。
【０１５０】
このとき、ルーフ部１０２の角部１１５で架台４の上段係止用突部７４ａの上面７６ａを覆うように軒先部材１０１を設置し、角部１１５に形成されたネジ孔１１６を介してネジ１１０ｂにより軒先部材１０１を架台４の上段係止用突部７４ａにも固定する。
【０１５１】
そして、上記作業を繰り返し行い、図１７に示すように、屋根２０１の桁行方向Ｇの幅一杯に複数の軒先部材１０１を固定するとともに、隣り合う軒先部材１０１のそれぞれのタッピングホール１０６に一本の円柱状のピン１０８を挿入することで、隣り合う軒先部材１０１同士をつなぐ。
【０１５２】
次に、ＰＶモジュール５を用意し、その四辺に縦フレーム部２及び横フレーム部３を固定する。具体的には、まず縦フレーム部２である左辺フレーム部２ａ及び右辺フレーム部２ｂの支持溝２０、横フレーム部３である上辺フレーム部３ａの支持溝３５、そして下辺フレーム部３ｂの支持溝５２にシリコン等の接着剤２１を流し込む。
【０１５３】
そして、ＰＶモジュール５の左側の短辺の縁部９ａを左辺フレーム部２ａの支持溝２０に、右側の短辺の縁部９ａを右辺フレーム部２ｂの支持溝２０にそれぞれ挿入するとともに、上側の長辺の縁部９ｂを上辺フレーム部３ａの支持溝３５に、下側の長辺の縁部９ｂを下辺フレーム部３ｂの支持溝５２にそれぞれ挿入することでＰＶモジュール５に固定する。そして、上記のようにネジ３０ａにより縦フレーム部２と横フレーム部３とを連結することで、図１及び図２に示すＰＶモジュール体６１を形成する。尚、このＰＶモジュール体６１は、設置するＰＶモジュール５の数だけ形成する。
【０１５４】
次に、屋根下地２０２上の袖部２０８の一番近くに設置された架台４とそれと隣り合う架台４の上端部８６において、図１２及び図１６に示すように、第一段目のＰＶモジュール体６１（最も軒先部２０５側に設置されるＰＶモジュール体６１）の縦フレーム部２（左辺フレーム部２ａ及び右辺フレーム部２ｂ）の脚部１０の下端部１３を、上記隣り合う二つの架台４，４のフランジ部７５の上面７９にそれぞれ当接させるとともに、縦フレーム部２の上段係止部１１ａの底面１６ａを架台４の上段係止用突部７４ａの上面７６ａに、縦フレーム部２の下段係止部１１ｂの底面１６ｂを架台４の下段係止用突部７４ｂの上面７６ｂにそれぞれ係止させることにより、第一段目のＰＶモジュール体６１を上記隣り合う二つの架台４，４のフレーム支持部６３に支持させる。
【０１５５】
そして、軒先部２０５に向かってＰＶモジュール体６１をスライドさせ、架台４の下端部８５付近まで移動させる。そして、第一段目に設置されるＰＶモジュール体６１の下辺フレーム部３ｂの挿入溝５６にシリコン等の接着材２１を流し込み、図１４に示すように、先に軒先部２０５に設置されている軒先部材１０１の挿入部１１３をその挿入溝５６に挿入して嵌合させる。このとき、下辺フレーム部３ｂの上方挟持部５５ａに設けられた傾斜面５８と軒先部材１０１の挿入部１１３に設けられた傾斜面１１４が当接するまで挿入する。
【０１５６】
そして、図１３に示すように、上辺フレーム部３ａの平面部３１ａの切欠き部３３の位置にネジ３０ｂを打って補助桟木２０３に上辺フレーム部３ａを固定することにより、第一段目のＰＶモジュール体６１の設置が完了する。
【０１５７】
次に、架台４に第二段目のＰＶモジュール体６１を設置する。具体的には、第一段目のＰＶモジュール体６１を設置した隣り合う二つの架台４，４の上端部８６において、上記第一段目のＰＶモジュール体６１の場合と同様にして、その隣り合う二つの架台４，４のフレーム支持部６３に第二段目のＰＶモジュール体６１を支持させるとともに、軒先部２０５に向かってＰＶモジュール体６１をスライドさせながら移動させる。
【０１５８】
そして、第二段目のＰＶモジュール体６１を第一段目のＰＶモジュール体６１の直上まで移動させたときに、それぞれのＰＶモジュール５の裏面側８に設けられた端子ケーブルを接続して、第一段目のＰＶモジュール体５と第二段目のＰＶモジュール体５を電気的に接続する。
【０１５９】
そして、図１３に示すように、第二段目のＰＶモジュール体６１の下辺フレーム部３ｂの挿入溝５６に第一段目のＰＶモジュール体６１の上辺フレーム部３ａのリブ３９を挿入して嵌合させるとともに、第一段目のＰＶモジュール体６１の上辺フレーム部３ａの段部３１が形成する隙間３２に第二段目のＰＶモジュール体６１の下辺フレーム部３ｂの底板部４４を挿入する。このとき、第一段目のＰＶモジュール体６１を固定しているネジ３０ｂに第二段目のＰＶモジュール体６１の下辺フレーム部３ｂの切欠き部４９を係止させて動かないように固定する。
【０１６０】
そして、第二段目のＰＶモジュール体６１における下辺フレーム部３ｂの上方挟持部５５ａの先端部に設けられた傾斜面５８と、第一段目のＰＶモジュール体６１における上辺フレーム部３ａのリブ３９の上面４１に設けられた傾斜面４２が当接するまでリブ３９を挿入溝５６に挿入し、第一段目のＰＶモジュール体６１と第二段目のＰＶモジュール体６１とを連結させる。
【０１６１】
その後、第二段目のＰＶモジュール体６１の上辺フレーム部３ａの切欠き部３３の位置にネジ３０ｂを打って補助桟木２０３に上辺フレーム部３ａを固定することにより、第二段目のＰＶモジュール体６１の設置が完了する。
【０１６２】
尚、第三段目以降のＰＶモジュール体６１を設置する場合は、上記の第二段目のＰＶモジュール体６１を設置する場合と同様に、架台４にＰＶモジュール体６１を設置する作業、ＰＶモジュール５同士を電気的に接続する作業、上段に位置するＰＶモジュール体６１と下段に位置するＰＶモジュール体６１とを連結する作業及びＰＶモジュール体６１を補助桟木２０３に固定する作業を繰り返し行う。これにより、屋根２０１の軒棟方向ＭにＰＶモジュール５を連続して面一に設置することができ、意匠性の高い見た目も綺麗な設置構造１とすることができる。
【０１６３】
そして、隣り合う二つの架台４，４の間の全てにおいて、上記ＰＶモジュール体６１の設置作業を行う。このとき、図１２に示すように、架台４の左右両側に支持されたＰＶモジュール体６１，６１の隣り合う縦フレーム部２，２（右辺フレーム部２ｂと左辺フレーム部２ａ）の上段係止部１１ａの先端部１５ａ同士を隙間なく当接させて、架台４の左右の上段係止用突部７４ａ，７４ａの上面７６ａを完全に覆うように設置し固定する。これにより、屋根２０１の桁行方向ＧにもＰＶモジュール５を連続して面一に設置することができる。その後、屋根２０１の桁行方向ＧにおいてもＰＶモジュール５同士を電気的に接続し、すべてのＰＶモジュールを電気的に接続する。
【０１６４】
次に、図１６及び図１７に示すように、袖部２０８の一番近くに設置された架台４における袖部２０８側の上段係止用突部７４ａの上面７６ａの全面を、ケラバ部材１２４の上段部１２６の裏面１３１で覆うようにしてケラバ部材１２４を架台４に設置する。また、ケラバ部材１２４を複数設置する場合には、隣り合うケラバ部材１２４の長手方向Ｉの端面同士が隙間なく当接するように設置する。そして、ネジ孔１２８を介してネジ１１０ｄにより架台４にケラバ部材１２４を固定する。
【０１６５】
そして、屋根２０１の両端の袖部２０８に屋根材２０７でケラバ包みを形成する。このとき、ケラバ包みを形成する屋根材２０７の上面２１１がケラバ部材１２４の下段部１３２の裏面１３３により覆われるとともに、その裏面１３３に設けられた二本の突起部１３４が屋根材２０７の上面２１１と接するようにケラバ包みを形成する。
【０１６６】
次に、屋根２０１の棟部２１０において、図１５及び図１７に示すように、最も棟部２１０側に設置された全てのＰＶモジュール体６１の上辺フレーム部３ａのリブ３９の上面４１及びその上辺フレーム部３ａの両側に位置する縦フレーム部２の上面２４を、棟部材１１７の長辺部１１８の裏面１２２で覆うようにして棟部材１１７をＰＶモジュール体６１に設置する。
【０１６７】
このとき、棟部材１１７の係止部１２３を上辺フレーム部３ａのリブ３９の先端の曲面４０に当接させるとともに、棟部材１１７に設けられた傾斜面１２１を上辺フレーム部３ａのリブ３９に設けられた傾斜面４２に当接させながら設置する。また、隣り合う棟部材１１７の長手方向Ｌの端面同士が隙間なく当接するように設置する。そして、ネジ孔１２０を介してネジ１１０ｃにより棟部材１１７をＰＶモジュール体６１に固定する。
【０１６８】
最後に、屋根２０１の棟部２１０において、図１５に示すように、喚起棟２０６を設置する。このとき、棟部材１１７の短辺部１１９が喚起棟板２１３の下に潜り込むように喚起棟２０６を設置する。
【０１６９】
上記設置構造１によれば、設置構造１の内部への雨水の浸入を防止できるとともに、仮に雨水が設置構造１の内部に侵入した場合であっても、設置構造１の外部に排水することができる。
【０１７０】
具体的に説明すると、上辺フレーム３ａと下辺フレーム部３ｂとの隙間（下辺フレーム部３ｂの挿入溝５６）から雨水が設置構造１の内部に浸入した場合は、その雨水は雨樋部３８に流れ落ちる（図１３参照）。そして、雨水は雨樋部３８の両端から架台４の排水部７１へと流れ落ち（図１２参照）、その後、架台４の下端部８５から屋根下地２０２の防水シート２０９上に流れ落ち、最後は軒先部２０５から唐草部２１２を伝って地面へと流れ落ちる（図１４参照）。
【０１７１】
また、隣り合うＰＶモジュール体６１，６１の当接する縦フレーム部２，２（左辺フレーム部２ａと右辺フレーム部２ｂ）の上段係止部１１ａ，１１ａの先端部１５ａ，１５ａの間から雨水が設置構造１の内部に浸入した場合は、その雨水は上記のように、架台４の上段係止用突部７４ａの上面７６ａと縦フレーム部２の上段係止部１１ａの底面１６ａの間に形成された隙間８４ａ、縦フレーム部２の下段係止部１１ｂの上面１８、縦フレーム部２の下段係止部１１ｂの底面１６ｂと架台４の下段係止用突部７４ｂの上面７６ｂとの間に形成された隙間８４ｂ、フランジ部７５の上面７９、底板部６４の上面８３のいずれか一つまたは複数を通って架台４の下端部８５から排出される（図１２参照）。
【０１７２】
また、ケラバ部材１２４の端面１２９と縦フレーム部２の上段係止部１１ａの先端部１５ａの間から雨水が設置構造１の内部に浸入した場合は、その雨水は上記のように、架台４の上段係止用突部７４ａの上面７６ａと縦フレーム部２の上段係止部１１ａの底面１６ａまたはケラバ部材１２４の上段部１２６の裏面１３１との間に形成された隙間８４ｃ、縦フレーム部２の下段係止部１１ｂの上面１８、縦フレーム部２の下段係止部１１ｂの底面１６ｂと架台４の下段係止用突部７４ｂの上面７６ｂとの間に形成された隙間８４ｂ、フランジ部７５の上面７９、底板部６４の上面８３のいずれか一つまたは複数を通って架台４の下端部８５から排出される（図１６参照）。
【０１７３】
また、屋根２０１の袖部２０８においてケラバ包みを形成する屋根材２０７とケラバ部材１２４との間から雨水が設置構造１の内部に浸入した場合には、その雨水は上記のように、架台４のフランジ部７５の上面７９または底板部６４の上面８３のいずれか一方または両方を通って架台４の下端部８５から排出される。
【０１７４】
本発明に係る設置構造１は、上記のように雨水の浸入を防止する構造を有するとともに、浸入した雨水を排水する構造を有するため、屋根材としての役割も果たす。よって、本発明に係る設置構造１は、屋根下地２０２上に屋根材を葺く必要がないため、屋根２０１にＰＶモジュール５を設置する際のコストを削減することができる。また、屋根下地２０２上に屋根材を葺く必要がないため、作業者の屋根上での作業時間を短縮することができるとともに、屋根下地２０２上にかかる重量の負担を軽減することができる。
【０１７５】
そして、上記のように本発明に係る設置構造１は、屋根２０１の屋根下地２０２上へのＰＶモジュール５の設置作業が非常に容易であるため、作業者のＰＶモジュール５の設置労力が軽減されるとともに、作業者の屋根２０１上での作業時間を短縮できるため作業者の安全性が確保できる。
【０１７６】
尚、本発明に係る設置構造１は、屋根２０１の勾配角度に関わらず屋根下地２０２上にＰＶモジュール５を設置することができる。そのため、屋根２０１の角度が地面に対し水平であっても垂直であっても、屋根下地２０２上にＰＶモジュール５を設置することができる。
【符号の説明】
【０１７７】
１    設置構造              ７４    係止用突部
２    縦フレーム部          ７５    フランジ部
３    横フレーム部          ７８    突起部
４    架台                  ８０    係止片
５    ＰＶモジュール        ８１    隙間
９    縁部                  ８４    隙間
１０  脚部                  １０１  軒先部材
１１  係止部                １０２  ルーフ部
１２  支持部                １０３  傾斜部
１４  ネジ孔                １０５  底面部
１９  突起部                １０６  タッピングホール
２０  支持溝                １０８  ピン
２２  膨出部                １０９  係止具
２５  底板部                １１０  ネジ
２６  起立部                １１１  補強具
２８  タッピングホール      １１３  挿入部
３１  段部                  １１４  傾斜面
３３  切欠き部              １１５  角部
３４  支持部                １１６  ネジ孔
３５  支持溝                １１７  棟部材
３６  膨出部                １１８  長辺部
３８  雨樋部                １１９  短辺部
３９  リブ                  １２０  ネジ孔
４２  傾斜面                １２１  傾斜面
４４  底板部                １２３  係止部
４５  起立部                １２４  ケラバ部材
４６  タッピングホール      １２５  立ち上がり部
４９  切欠き部              １２６  上段部
５１  支持部                １２８  ネジ孔
５２  支持溝                １３２  下段部
５３  膨出部                １３４  突起部
５５  挟持部                １３５  釘
５６  挿入溝                ２０１  屋根
５８  傾斜面                ２０２  屋根下地
６０  雪止め部              ２０３  補助桟木
６１  ＰＶモジュール体      ２０４  野地板
６２  土台部                ２０５  軒先部
６３  フレーム支持部        ２０６  喚起棟
６４  底板部                ２０７  屋根材
６６  傾斜面                ２０８  袖部
６８  ネジ孔                ２０９  防水シート
６９  仕切り部              ２１０  棟部
７０  起立部                ２１２  唐草部
７１  排水部                ２１３  喚起棟板
７２  タッピングホール
【手続補正書】
【提出日】平成26年10月27日(2014.10.27)
【手続補正１】
【補正対象書類名】特許請求の範囲
【補正対象項目名】全文
【補正方法】変更
【補正の内容】
【特許請求の範囲】
【請求項１】
屋根下地上に太陽電池モジュールを設置するための太陽電池モジュールの設置構造であって、太陽電池モジュールと縦フレーム部と横フレーム部と架台とからなり、前記縦フレーム部は上段係止部及び下段係止部からなる係止部と支持部とを有する枠部材であり、前記横フレーム部は支持部を有する枠部材であり、前記架台は長手方向に排水部が形成された長尺な土台部と、該土台部の中央に立設され全長に亘って左右均等な幅で水平方向に突出する上段係止用突部及び下段係止用突部からなる係止用突部が設けられたフレーム支持部とを有するとともに、前記係止用突部は前記排水部の上方に配置され、前記太陽電池モジュールの短辺及び長辺の縁部が前記縦フレーム部の前記支持部及び前記横フレーム部の前記支持部に支持されるとともに固定されて太陽電池モジュール体が形成され、前記屋根下地上の軒棟方向に互いに平行に設置された複数本の前記架台の上端部において、前記架台の前記上段係止用突部及び前記下段係止用突部の上面に前記縦フレーム部の前記上段係止部及び前記下段係止部の底面をそれぞれ係止させスライドさせることで前記縦フレーム部が前記架台の所望の位置に支持され、設置された複数本の前記架台の間に複数の前記太陽電池モジュール体が設置されていることを特徴とする太陽電池モジュールの設置構造。
【請求項２】
前記縦フレーム部は脚部を有し、該脚部が前記架台の前記フレーム支持部が有するフランジ部に支持されていることを特徴とする請求項１記載の太陽電池モジュールの設置構造。
【請求項３】
前記太陽電池モジュールの設置構造の周囲が雨水の浸入を防止する部材等によって覆われ、全体が防水性を有することを特徴とする請求項１または請求項２記載の太陽電池モジュールの設置構造。
【請求項４】
屋根の軒先部に軒先部材が設けられていることを特徴とする請求項１ないし請求項３までのいずれか１項に記載の太陽電池モジュールの設置構造。
【請求項５】
屋根の棟部に棟部材が設けられていることを特徴とする請求項１ないし請求項４までのいずれか１項に記載の太陽電池モジュールの設置構造。
【請求項６】
屋根の袖部にケラバ部材が設けられていることを特徴とする請求項１ないし請求項５までのいずれか１項に記載の太陽電池モジュールの設置構造。
【請求項７】
前記横フレーム部の上辺フレーム部と下辺フレーム部のいずれか一方が突出部を有し、他方が該突出部と嵌合可能な凹部を有することを特徴とする請求項１ないし請求項６までのいずれか１項に記載の太陽電池モジュールの設置構造。
【請求項８】
前記架台は、前記土台部の幅方向の両端付近に、前記架台の全長に亘って延びる仕切り部が設けられ、該仕切り部と前記フレーム支持部とで前記架台の全長に亘って前記排水部が形成されていることを特徴とする請求項１ないし請求項７までのいずれか１項に記載の太陽電池モジュールの設置構造。
【請求項９】
前記横フレーム部の上辺フレーム部または下辺フレーム部の起立部に、該起立部に沿って雨樋部が設けられていることを特徴とする請求項１ないし請求項８までのいずれか１項に記載の太陽電池モジュール設置構造。
【請求項１０】
前記縦フレーム部及び前記横フレーム部の前記支持部は、該支持部の支持溝内に突出する膨出部を有することを特徴とする請求項１ないし請求項９までのいずれか１項に記載の太陽電池モジュール設置構造。
【請求項１１】
前記架台の前記上段係止用突部の上面と前記縦フレーム部の前記上段係止部の底面のいずれか一方または両方、及び前記架台の前記下段係止用突部の上面と前記縦フレーム部の前記下段係止部の底面のいずれか一方または両方が突起部を有することを特徴とする請求項１ないし請求項１０までのいずれか１項に記載の太陽電池モジュール設置構造。
【請求項１２】
前記架台の底板部の裏面に波状面を有することを特徴とする請求項１ないし請求項１１までのいずれか１項に記載の太陽電池モジュールの設置構造。
【請求項１３】
前記横フレーム部の上辺フレーム部及び下辺フレーム部は底板部を有し、いずれか一方の前記底板部が段部を有することを特徴とする請求項１ないし請求項１２までのいずれか１項に記載の太陽電池モジュール設置構造。
【請求項１４】
前記架台のフランジ部はその上面に係止片を有することを特徴とする請求項２ないし請求項１３までのいずれか１項に記載の太陽電池モジュール設置構造。
【請求項１５】
前記横フレーム部の上辺フレーム部または下辺フレーム部のいずれか一方が有する突出部の先端部が断面略半円状または断面略三角形状であることを特徴とする請求項７ないし請求項１４までのいずれか１項に記載の太陽電池モジュールの設置構造。
【請求項１６】
前記横フレーム部の上辺フレーム部の上面または下辺フレーム部の上面に雪止め部を有することを特徴とする請求項１ないし請求項１５までのいずれか１項に記載の太陽電池モジュールの設置構造。
【手続補正２】
【補正対象書類名】明細書
【補正対象項目名】全文
【補正方法】変更
【補正の内容】
【発明の詳細な説明】
【技術分野】
【０００１】
本発明は、太陽電池モジュールの設置構造、詳しくは屋根への太陽電池モジュールの施工が容易な設置構造に関する。
【背景技術】
【０００２】
近年、地球環境に配慮したクリーンエネルギーである太陽光を利用して発電を行い、二酸化炭素（ＣＯ2 ）の排出量を減らそうとするエコの意識が世の中で高まっている。そのため、自宅の屋根に太陽光で発電する太陽電池モジュールを設置し、調理・給湯・空調などのシステムをすべて電気でまかなう家庭も年々増加している。
【０００３】
従来の自宅の屋根に太陽電池モジュールを設置する構造としては、屋根材の上に固定された架台等の取付金具によって太陽電池モジュールを支持しながら設置するいわゆる屋根置き型の設置構造や、屋根材であるベース材上に固定部材を介して太陽電池モジュールが固定された太陽電池モジュール一体型屋根材を用いて屋根を葺きながら設置する構造等が存在する。
【先行技術文献】
【特許文献】
【０００４】
【特許文献１】特開２００７−２２４５３８号公報
【特許文献２】特開２００６−３２８８８７号公報
【特許文献３】特開平０９−１８６３５４号公報
【０００５】
しかし、屋根材の上に固定された取付金具によって太陽電池モジュールを支持しながら設置する従来の設置構造は、まず始めに屋根材の上に架台等の多くの取付金具をネジ等により固定しなければならないため、太陽電池モジュールの取付作業に多くの時間を必要としていた。また、上記方法は屋根材にネジ孔を開けるため、そのネジ孔から雨水が浸入する可能性があり、雨漏りや野地板の腐食の原因となっていた。また、架台等の取付金具と太陽電池モジュールの重さによって屋根材を傷め易いという欠点があるとともに、取付金具の部品数が多いためコストが高くなるという欠点もあった。
【０００６】
一方、太陽電池モジュールが固定された太陽電池モジュール一体型屋根材を用いて屋根を葺きながら設置する従来の設置構造は、まず始めにベース材上に固定部材を介して太陽電池モジュールを取付けて太陽電池モジュール一体型屋根材を作成する必要があり、太陽電池モジュール一体型屋根材を設置する前段階の作業が煩雑であるため、多くの時間を要していた。
【０００７】
また、太陽電池モジュール一体型屋根材は、屋根材に孔を開けてその孔に太陽電池パネルから伸びる出力ケーブル等を通し、屋根材の裏面側で他の屋根材の太陽電池パネルと電気的に接続する構造であるため、太陽電池モジュール一体型屋根材の作成に手間がかかるとともに、屋根材に開けた孔から雨水が浸入する可能性があり、雨漏りや野地板の腐食の原因ともなっていた。
【０００８】
更に、屋根材の平均寿命が太陽電池モジュールの平均寿命よりもかなり短いため、屋根材だけの交換が必要となる場合があるが、その場合であっても太陽電池モジュール一体型屋根材の全体を交換しなければならず、費用が割高になってしまうという欠点もある。
【発明の概要】
【発明が解決しようとする課題】
【０００９】
そこで本発明は、上記のような従来の欠点を解消するものであり、太陽電池モジュールの設置が容易であり、防水性及び排水性を有するとともに、コストが安い太陽電池モジュールの設置構造を提供することを目的とする。
【課題を解決するための手段】
【００１０】
上記の目的を達成するため、本願の請求項１に係る発明は、屋根下地上に太陽電池モジュールを設置するための太陽電池モジュールの設置構造であって、太陽電池モジュールと縦フレーム部と横フレーム部と架台とからなり、前記縦フレーム部は上段係止部及び下段係止部からなる係止部と支持部とを有する枠部材であり、前記横フレーム部は支持部を有する枠部材であり、前記架台は長手方向に排水部が形成された長尺な土台部と、該土台部の中央に立設され全長に亘って左右均等な幅で水平方向に突出する上段係止用突部及び下段係止用突部からなる係止用突部が設けられたフレーム支持部とを有するとともに、前記係止用突部は前記排水部の上方に配置され、前記太陽電池モジュールの短辺及び長辺の縁部が前記縦フレーム部の前記支持部及び前記横フレーム部の前記支持部に支持されるとともに固定されて太陽電池モジュール体が形成され、前記屋根下地上の軒棟方向に互いに平行に設置された複数本の前記架台の上端部において、前記架台の前記上段係止用突部及び前記下段係止用突部の上面に前記縦フレーム部の前記上段係止部及び前記下段係止部の底面をそれぞれ係止させスライドさせることで前記縦フレーム部が前記架台の所望の位置に支持され、設置された複数本の前記架台の間に複数の前記太陽電池モジュール体が設置されていることを特徴とする。
【００１１】
また、請求項３に係る発明は、前記太陽電池モジュールの設置構造の周囲が雨水の浸入を防止する部材等によって覆われ、全体が防水性を有することを特徴とする。また、請求項４に係る発明は、屋根の軒先部に軒先部材が設けられていることを特徴とする。また、請求項５に係る発明は、屋根の棟部に棟部材が設けられていることを特徴とする。また、請求項６に係る発明は、屋根の袖部にケラバ部材が設けられていることを特徴とする。
【００１２】
また、請求項７に係る発明は、前記横フレーム部の上辺フレーム部と下辺フレーム部のいずれか一方が突出部を有し、他方が該突出部と嵌合可能な凹部を有することを特徴とする。また、請求項８に係る発明は、前記架台は、前記土台部の幅方向の両端付近に、前記架台の全長に亘って延びる仕切り部が設けられ、該仕切り部と前記フレーム支持部とで前記架台の全長に亘って前記排水部が形成されていることを特徴とする。また、請求項９に係る発明は、前記横フレーム部の上辺フレーム部または下辺フレーム部の起立部に、該起立部に沿って雨樋部が設けられていることを特徴とする。また、請求項１０に係る発明は、前記縦フレーム部及び前記横フレーム部の前記支持部は、該支持部の支持溝内に突出する膨出部を有することを特徴とする。
【００１３】
また、請求項１１に係る発明は、前記架台の前記上段係止用突部の上面と前記縦フレーム部の前記上段係止部の底面のいずれか一方または両方、及び前記架台の前記下段係止用突部の上面と前記縦フレーム部の前記下段係止部の底面のいずれか一方または両方が突起部を有することを特徴とする。また、請求項１２に係る発明は、前記架台の底板部の裏面に波状面を有することを特徴とする。
【００１４】
また、請求項１３に係る発明は、前記横フレーム部の上辺フレーム部及び下辺フレーム部は底板部を有し、いずれか一方の前記底板部が段部を有することを特徴とする。また、請求項１４に係る発明は、前記架台のフランジ部はその上面に係止片を有することを特徴とする。また、請求項１５に係る発明は、前記横フレーム部の上辺フレーム部または下辺フレーム部のいずれか一方が有する突出部の先端部が断面略半円状または断面略三角形状であることを特徴とする。
【００１５】
また、請求項１６に係る発明は、前記横フレーム部の上辺フレーム部の上面または下辺フレーム部の上面に雪止め部を有することを特徴とする。
【発明の効果】
【００１６】
上記より、請求項１及び請求項２に係る発明によれば、屋根上に太陽電池モジュールを容易にそして安定的に設置することができるとともに、作業者の屋根上での作業時間を短縮できるため、作業者の安全を確保することができる。また、排水性を有するとともに意匠性の高い太陽電池モジュールの設置構造を提供することができる。
【００１７】
また、請求項３ないし請求項１２に係る発明によれば、太陽電池モジュールの設置構造全体が高い防水性及び排水性を有するため屋根下地上に屋根材を葺く必要がなくなり、新築住宅等への太陽電池モジュールの設置コストを削減することができるとともに、屋根下地上への重量の負担を軽減することができる。また、屋根下地上に屋根材を葺く必要がないため、作業者の屋根上での作業時間を短縮でき、作業者の安全性を確保することができる。
【００１８】
また、請求項１３ないし請求項１５に係る発明によれば、太陽電池モジュールの設置作業が容易になり作業時間を短縮できるとともに、架台からの太陽電池モジュールの脱落を防ぎ、安全に設置作業を行うことが可能となる。
【００１９】
また、請求項１６に係る発明によれば、太陽電池モジュールの上に積もった雪が一気に滑り落ちずに雪止め部で堰き止められるため、不意な落雪による事故を防止することができるとともに、太陽電池モジュールの設置構造内への雪解け水の浸入を防止することができる。
【図面の簡単な説明】
【００２０】
【図１】本発明に係る設置構造に使用する太陽電池モジュール体の斜視図である。
【図２】図１のＡ−Ａ線矢印方向から見た一部断面斜視図である。
【図３】本発明に係る設置構造に使用する縦フレーム部の斜視図である。
【図４】本発明に係る設置構造に使用する上辺フレーム部の斜視図である。
【図５】本発明に係る設置構造に使用する下辺フレーム部の斜視図である。
【図６】本発明に係る設置構造に使用する左辺フレーム部と上辺フレーム部の連結状態を示す拡大斜視図である。
【図７】本発明に係る設置構造に使用する左辺フレーム部と下辺フレーム部の連結状態を示す拡大斜視図である。
【図８】本発明に係る設置構造に使用する架台の斜視図である。
【図９】本発明に係る設置構造に使用する軒先部材の斜視図である。
【図１０】本発明に係る設置構造に使用する棟部材の斜視図である。
【図１１】本発明に係る設置構造に使用するケラバ部材の斜視図である。
【図１２】本発明に係る設置構造を軒側から見た設置状態断面図である。
【図１３】本発明に係る設置構造に使用する上辺フレーム部と下辺フレーム部の連結状態を示す断面図である。
【図１４】本発明に係る設置構造の軒先部付近の断面図である。
【図１５】本発明に係る設置構造の棟部付近の断面図である。
【図１６】本発明に係る設置構造の袖部付近を軒側から見た断面図である。
【図１７】本発明に係る設置構造の斜視図である。
【発明を実施するための形態】
【００２１】
以下、本発明を図１から図１７に従って説明する。尚、以下では本発明に係る実施態様を詳細に説明するが、本発明はこれに限定されるものではない。本発明に係る太陽電池モジュールの設置構造（以下「設置構造」という。）１は、屋根２０１の屋根下地２０２上に縦フレーム部２、横フレーム部３及び架台４を介して太陽電池モジュールモジュール（以下「ＰＶモジュール」という。）５を設置する構造である。
【００２２】
図１等に示すＰＶモジュール５は、一般に使用されている単結晶シリコン系のＰＶモジュールや多結晶シリコン系のＰＶモジュール５である。このＰＶモジュール５は、縦方向の一対の短辺及び横方向の一対の長辺を有する平面視略長方形状であって、薄板状に形成されたものである。そして、表面側６には太陽電池セルが配置され、裏面側８には電極ボックスが配置されるとともに、そこから他のＰＶモジュール５と電気的に接続するための端子ケーブルが伸びている（図示せず）。
【００２３】
縦フレーム部２は、左辺フレーム部２ａと右辺フレーム部２ｂの二つからなる。この左辺フレーム部２ａ及び右辺フレーム部２ｂは、ＰＶモジュール５の左側の短辺及び右側の短辺の縁部９ａを覆う部材である。
【００２４】
図３に示す２ａは左辺レーム部であり、全体が厚さの薄い鋼板またはアルミニウム合金で形成された金属製の枠部材である。そして、その長さはＰＶモジュール５の短辺よりもやや長く形成されている。また、左辺フレーム部２ａは、上下方向に延びる脚部１０を有するとともに、その上方には係止部１１及び支持部１２が設けられている。
【００２５】
脚部１０は左辺フレーム部２ａの全長に亘って設けられている。そして、架台４に左辺フレーム部２ａを設置する際に架台４が傷ついて錆びるのを防止するため、脚部１０の下端部１３には断面半円形状の曲面が形成されている。また、脚部１０の長手方向の両端付近には、横フレーム部４と連結するためのネジ孔１４が二つずつ形成されている。
【００２６】
尚、脚部１０の長手方向の両端付近には支持部１２が設けられていない。そのため、このネジ孔１４を介して左辺フレーム部２ａに後述する横フレーム部３である上辺フレーム部３ａ及び下辺フレーム部３ｂをネジ３０ａで固定し連結することができる。
【００２７】
係止部１１は、脚部１０の上方であって左辺フレーム部２ａの幅方向Ｂの左側Ｂ１に設けられているとともに、左辺フレーム部２ａの全長に亘って設けられている。また、係止部１１は脚部１０の上端部に設けられた上段係止部１１ａと、そのすぐ下部に設けられた下段係止部１１ｂからなる。これら上段係止部１１ａ及び下段係止部１１ｂは、左辺フレーム部２ａを架台４に係止させるための部材であり、脚部１０に対して直角に設けられている。
【００２８】
また、上段係止部１１ａの方が下段係止部１１ｂよりも幅方向Ｂの左側Ｂ１方向に長く形成されている。そして、上段係止部１１ａの先端部１５ａには平面が形成されており、下段係止部１１ｂの先端部１５ｂには断面略半円形状の曲面が形成されている。
【００２９】
そして、下段係止部１１ｂの底面１６ｂには、架台４に左辺フレーム部２ａを設置した際に、架台４と左辺フレーム部２ａの間からの雨水の浸入を防止するための小さな突起部１９が左辺フレーム部２ａの全長に亘って二本設けられている。また、架台４に左辺フレーム部２ａを設置する際に架台４が傷ついて錆びるのを防止するため、突起部１９は断面略半円状に形成されている。尚、突起部１９の本数は一本でも三本以上でもよいが、毛細管現象による雨水の浸入を防止するためには、複数本であることが望ましい。
【００３０】
また、上記のように突起部１９を設けて架台４と縦フレーム部２の接触面積を小さくすることで、突起部１９が無い場合に比べて接触面の面圧が上がり摩擦係数が減少するため、架台４に左辺フレーム部２ａを設置する際の労力が軽減される。
【００３１】
一方、支持部１２は脚部１０の上方であって幅方向Ｂの右側Ｂ２に設けられているとともに、左辺フレーム部２ａの長手方向の両端付近以外のほぼ全長に亘って設けられている。また、支持部１２は脚部１０の上端に設けられた上方支持部１２ａと、そのすぐ下部に設けられた下方支持部１２ｂからなる。
【００３２】
そして、これらの上方支持部１２ａと下方支持部１２ｂは脚部１０に対して直角でほぼ等しい長さに設けられ、上方支持部１２ａと下方支持部１２ｂとの間にはＰＶモジュール５の左側の短辺の縁部９ａを挿入し支持するための断面略コの字状の支持溝２０が形成されている。
【００３３】
この支持溝２０にシリコン等の接着材２１を流し込むとともに、ＰＶモジュール５の左側の短辺の縁部９ａを挿入することにより、ＰＶモジュール５の短辺の縁部９ａに左辺フレーム部２ａを固定することができる。尚、支持溝２０にシリコン等の接着剤２１を流し込んでいるため、支持溝２０内への雨水の浸入を防止することができる。
【００３４】
また、脚部１０と上方支持部１２ａが形成する隅部には、支持溝２０内に突出する断面略長方形状の膨出部２２が支持溝２０内の全長に亘って設けられている。
【００３５】
そのため、シリコン等の接着剤２１を流し込んだ支持溝２０の奥までＰＶモジュール５の短辺の縁部９ａを挿入したときに、ＰＶモジュール５の縁部９ａによって余分な接着剤２１が膨出部２２と下方支持部１２ｂの間の隙間２３に押し込まれる。そして、その余分な接着剤２１はその隙間２３を通って支持溝２０内の接着剤２１の足りない場所に流れ込むため、接着剤２１を支持溝２０内に均等に行き渡らせることができるとともに、支持溝２０内への雨水の浸入をより確実に防止することができる。
【００３６】
また、支持溝２０内に膨出部２２が形成されているため、支持溝２０内にＰＶモジュール５の短辺の縁部９ａを膨出部２２に当接するまで挿入しても、図１２に示すように、ＰＶモジュール５の表面側６の縁部９ａ付近が膨出部２２に当接するだけであって、裏面側８の縁部９ａ付近はシリコン等の接着剤２１に周りを覆われた状態となるため、左辺フレーム部２ａに接触することがない。
【００３７】
そのため、ＰＶモジュール５の裏面側８の縁部９ａ付近に配置されＰＶモジュール５を形成するＰＶセル同士を結合しているタブリボンやハンダ部分が、金属製の縦フレーム部２ａと接触することがないため、ＰＶセルで作られた電気が漏電するのを防止することができる。
【００３８】
一方、ＰＶモジュール５の右側の短辺の縁部９ａを挿入するための右辺フレーム部２ｂは、図３に示す左辺フレーム部２ａと左右対称の構造となっている。そのため、以下では右辺フレーム部２ａの部位の名称及び符号については、左辺フレーム部２ａの対応する部位の名称及び符号と同一のものを使用する。尚、右辺フレーム部２ｂの材質も左辺フレーム部２ａと同様に鋼板またはアルミニウム合金で形成されている。
【００３９】
横フレーム部３には上辺フレーム部３ａと下辺フレーム部３ｂがあり、その上辺フレーム部３ａと下辺フレーム部３ｂは、ＰＶモジュール５の上側及び下側の長辺の縁部９ｂを覆う部材である。
【００４０】
図４に示す３ａは上辺フレーム部であり、全体が厚さの薄い鋼板またはアルミニウム合金で形成された金属製の枠部材である。そして、その長さはＰＶモジュール５の長辺とほぼ同じ長さに形成されている。
【００４１】
この上辺フレーム部３ａの下部には、上辺フレーム部３ａの幅方向Ｃに延びる底板部２５が全長に亘って設けられている。そして、その底板部２５の真ん中から幅方向Ｃのやや右側Ｃ２寄りの位置において垂直に延びる起立部２６が全長に亘って設けられている。
【００４２】
そして、その起立部２６の中段及び下端であってその左側Ｃ１には、上辺フレーム部３ａの幅方向Ｃの左側Ｃ１に開口する断面略Ｃ字状のタッピングホール２８がネジ受けとして設けられている。これにより、上辺フレーム部３ａの両端面２９に、縦フレーム部２である左辺フレーム部２ａ及び右辺フレーム部２ｂをネジ３０ａにより固定し連結することができる。
【００４３】
また、底板部２５の幅方向Ｃの右側Ｃ２には断面略逆Ｌ字状の段部３１が設けられており、底板部２５の厚さ分だけ一段高くなっている。そのため、その段部３１の下方には隙間３２が形成されている。尚、上辺フレーム部３ａの長手方向の両端付近には、段部３１の平面部３１ａが設けられていない。これは、後述する雨樋部３８の両端から流れ落ちてきた雨水を架台４の排水部７１へ導く際に、雨水の流れを遮らないためである。
【００４４】
また、段部３１の平面部３１ａには、上辺フレーム部３ａをネジ３０ｂ等により固定するための切欠き部３３が二カ所設けられている。この切欠き部３３は、平面部３１ａの先端部３１ｂに向かって開口しＵ字状に形成されている。尚、本実施例では切欠き部３３は二カ所に設けられているが、それ以上の箇所に設けてもよい。
【００４５】
上記のように切欠き部３３を設けることで、この切欠き部３３を介して上辺フレーム部３ａを屋根２０１の屋根下地２０２上に設置された補助桟木２０３に固定することができる。また、上辺フレーム部３ａを固定しているネジ３０ｂを完全に外さないで緩めるだけで上辺フレーム部３ａを補助桟木２０３から取り外しできるため、屋根２０１に設置されたＰＶモジュール５の取り外しの時間を短縮できるとともに、作業者の屋根２０１上での作業時間も短縮できるため、作業者の安全性を確保することができる。
【００４６】
起立部２６の上方であってその左側Ｃ１には、支持部３４が上辺フレーム部３ａの全長に亘って設けられている。また、支持部３４は起立部２６の上端部に設けられた上方支持部３４ａと、そのすぐ下部に設けられた下方支持部３４ｂからなる。そして、これらの上方支持部３４ａと下方支持部３４ｂは底板部２５に対して水平に設けられ、その上方支持部３４ａと下方支持部３４ｂとの間にはＰＶモジュール５の上側の長辺の縁部９ｂを挿入し支持するための断面略コの字状の支持溝３５が形成されている。
【００４７】
この上辺フレーム部３ａの支持溝３５にシリコン等の接着材２１を流し込むとともに、ＰＶモジュール５の上側の長辺の縁部９ｂを挿入することにより、ＰＶモジュール５に上辺フレーム部３ａを固定することができる。尚、支持溝３５にシリコン等の接着剤２１を流し込んでいるため、支持溝３５内への雨水の浸入を防止することができる。
【００４８】
また、起立部２６と上方支持部３４ａが形成する隅部には、縦フレーム部２（左辺フレーム部２ａ及び右辺フレーム部２ｂ）と同様の、支持溝３５内に突出する断面略長方形状の膨出部３６が支持溝３５内の全長に亘って設けられている。
【００４９】
そのため、シリコン等の接着剤２１が流し込まれた支持溝３５内の奥までＰＶモジュール５の上側の長辺の縁部９ｂを挿入したときに、縦フレーム部２の場合と同様に、膨出部３６と下方支持部３４ｂとの間の隙間３７によって接着剤２１を支持溝３５内に均等に行き渡らせることができるため、支持溝３５内への雨水の浸入をより確実に防止することができる。
【００５０】
また、図１３に示すように、ＰＶモジュール５の裏面側８の縁部９ｂ付近がシリコン等の接着剤２１に周りを覆われた状態となるため、ＰＶセルのタブリボン等が上辺フレーム部３ａと接触することが無く、ＰＶセルで作られた電気が漏電するのを防止することができる。
【００５１】
起立部２６の中段やや下方であってその右側Ｃ２には、断面略くの字状の雨樋部３８が設けられている。この雨樋部３８は、段部３１と同じ側であって上辺フレーム部３ａの長手方向の両端付近以外のほぼ全長に亘って設けられている。また、雨樋部３８は、くの字状に折り曲げられているため、その内側に雨水を貯めたり、その貯めた水を雨樋部３８の両端から排出することができる。
【００５２】
起立部２６の上方であってその右側Ｃ２には、突出部であるリブ３９が設けられている。このリブ３９は底板部２５に対し水平に設けられているとともに、上辺フレーム部３ａの全長に亘って設けられている。
【００５３】
そして、このリブ３９は、後述する下辺フレーム部３ｂの挟持部５５に形成された凹部である挿入溝５６に挿入して嵌合させるための部材であるが、その挿入溝５６に挿入しやすくして上辺フレーム部３ａと下辺フレーム部３ｂの嵌合作業を容易にするため、先端部には断面略半円状の曲面４０が形成されている。尚、リブ３９の先端部の形状は、下辺フレーム部３ｂの挟持部５５の挿入溝５６に挿入しやすい形状であればよく、断面略三角形状に尖らせた形状であってもよい。
【００５４】
また、リブの上面４１の付け根部付近には傾斜面４２が設けられている。この傾斜面４２は、リブ３９の先端部へ向かって下降傾斜するように形成されており、後述する棟部材１１５や下辺フレーム部３ｂと隙間なく連結させるために設けられている。
【００５５】
一方、図５に示す３ｂは下辺フレーム部であり、全体が厚さの薄い鋼板またはアルミニウム合金で形成された金属製の枠部材である。そして、その長さはＰＶモジュール５の長辺とほぼ同じ長さに形成されている。
【００５６】
この下辺フレーム部３ｂの下部には、下辺フレーム部３ｂの幅方向Ｄに延びる底板部４４が下辺フレーム部３ｂの全長に亘って設けられている。そして、その底板部４４のほぼ真ん中において垂直に延びる起立部４５が底板部４４の全長に亘って設けられている。
【００５７】
そして、その起立部４５の中段及び下端であってその左側Ｄ１には、下辺フレーム部３ｂの幅方向Ｄの左側Ｄ１に開口する断面略Ｃ字状のタッピングホール４６がネジ受けとして設けられている。これにより、下辺フレーム部３ｂの両端面４８に、縦フレーム部２である左辺フレーム部２ａ及び右辺フレーム部２ｂをネジ３０ａにより固定し連結することができる。
【００５８】
また、底板部４４において、起立部４５の右側Ｄ２の部分であって長手方向の両端付近には底板部４４が設けられていない。これは、後述するように上辺フレーム部３ａと下辺フレーム部３ｂとを連結させた際に、雨樋部３８の両端から流れ落ちてきた雨水の流れを遮らずに架台４の排水部７１へ導くためである。
【００５９】
また、底板部４４の幅方向Ｄの右側Ｄ２には、下辺フレーム部３ｂをネジ３０ｂ等により固定するための切欠き部４９が二カ所設けられている。この切欠き部４９は、底板部４４の幅方向Ｄの右側Ｄ２の先端部５０に向かって開口しＵ字状に形成されている。なお、本実施例では切欠き部４９は二カ所に設けられているが、それ以上の箇所に設けてもよい。
【００６０】
上記のように切欠き部４９を設けることで、この切欠き部４９を介して下辺フレーム部３ｂを屋根２０１の屋根下地２０２上に設けられた補助桟木２０３に固定することができる。また、下辺フレーム部３ｂを固定しているネジ３０ｂを完全に外さないで緩めるだけで下辺フレーム部３ｂを補助桟木２０３から取り外しできるため、屋根２０１に設置されたＰＶモジュール５の取り外しの時間を短縮できるとともに、作業者の屋根２０１上での作業時間も短縮できるため、作業者の安全性を確保することができる。
【００６１】
起立部４５の上方であってその左側Ｄ１には、支持部５１が下辺フレーム部３ｂの全長に亘って設けられている。また、支持部５１は起立部４５の上端部に設けられた上方支持部５１ａと、そのすぐ下部に設けられた下方支持部５１ｂからなる。そして、これらの上方支持部５１ａと下方支持部５１ｂは底板部４４に対して水平に設けられ、その上方支持部５１ａと下方支持部５１ｂとの間にはＰＶモジュール５の下側の長辺の縁部９ｂを挿入し支持するための断面略コの字状の支持溝５２が形成されている。
【００６２】
この下辺フレーム部３ｂの支持溝５２にシリコン等の接着材２１を流し込むとともに、ＰＶモジュール５の下側の長辺の縁部９ｂを挿入することにより、ＰＶモジュール５に下辺フレーム部３ｂを固定することができる。尚、支持溝５２にシリコン等の接着剤２１を流し込んでいるため、支持溝５２内への雨水の浸入を防止することができる。
【００６３】
また、起立部４５と上方支持部５１ａが形成する隅部には、縦フレーム部２及び上辺フレーム部３ａと同様の、支持溝５２内に突出する断面略長方形状の膨出部５３が支持溝５２内の全長に亘って設けられている。
【００６４】
そのため、シリコン等の接着材２１を流し込んだ支持溝５２内の奥までＰＶモジュール５の下側の長辺の縁部９ｂを挿入したときに、縦フレーム部２や上辺フレーム部３ａの場合と同様に、膨出部５３と下方支持部５１ｂとの間の隙間５４によって接着剤２１を支持溝５２内に均等に行き渡らせることができるため、支持溝５２内への雨水の浸入をより確実に防止することができる。
【００６５】
また、図１３に示すように、ＰＶモジュール５の裏面側８の縁部９ｂ付近がシリコン等の接着剤２１に周りを覆われた状態となるため、ＰＶセルのタブリボン等が下辺フレーム部３ｂと接触することが無く、ＰＶセルで作られた電気が漏電するのを防止することができる。
【００６６】
一方、起立部４５の上方において、支持溝５２が開口する起立部４５の左側Ｄ１とは反対の右側Ｄ２に開口する挟持部５５が下辺フレーム部３ｂの全長に亘って設けられている。また、挟持部５５は起立部４５の上端部に設けられた上方挟持部５５ａと、そのすぐ下部に設けられた下方挟持部５５ｂからなる。そして、これらの上方挟持部５５ａと下方挟持部５５ｂは底板部４４に対して水平に設けられ、その上方挟持部５５ａと下方挟持部５５ｂとの間には、凹部である断面略コの字状の挿入溝５６が形成されている。この挿入溝５６には、上辺フレーム部３ａのリブ３９が挿入可能であり嵌合させることができる。
【００６７】
また、上方挟持部５５ａの先端部には、先端部に向かって上昇傾斜する傾斜面５８が設けられている。この傾斜面５８は、上辺フレーム部３ａのリブ３９に設けられた傾斜面４２と同じ角度で傾斜している。そのため、傾斜面４２と傾斜面５８とを隙間なく接触させることができる。
【００６８】
尚、本実施例では上辺フレーム部３ａにリブ３９が設けられ下辺フレーム部３ｂに挟持部５５が設けられているが、上辺フレーム部３ａに挟持部５５が設けられ下辺フレーム部３ｂにリブ３９が設けられていてもよい。
【００６９】
また、下辺フレーム部３ｂの上面５９には、横長略長方形状の雪止め部６０が起立部４５に沿って二カ所に設けられている。この雪止め部６０により、ＰＶモジュール５の表面側６に積もった雪が一気に滑り落ちずに堰き止められるため、屋根２０１からの不意な落雪による事故を防止することができる。
【００７０】
上記構造により、上辺フレーム部３ａと下辺フレーム部３ｂが連結可能となっている。具体的には、図１３に示すように、下辺フレーム部３ｂの挟持部５５に形成された挿入溝５６に上辺フレーム部３ａのリブ３９を挿入して嵌合させるとともに、上辺フレーム部３ａの底板部２５の段部３１に形成された隙間３２に下辺フレーム部３ｂの底板部４４を挿入して係止させる。
【００７１】
また、挿入溝５６の奥までリブ３９を挿入して、下辺フレーム部３ｂの上方挟持部５５ａの先端部に設けられた傾斜面５８と上辺フレーム部３ａのリブ３９の上面４１に設けられた傾斜面４２を当接させることで、上辺フレーム部３ａと下辺フレーム部３ｂとの間に隙間が生じないように密着させながら連結する事ができる。
【００７２】
これにより、降雨時であっても上辺フレーム部３ａと下辺フレーム部３ｂとの間から雨水が浸入するのを防止することができる。尚、挿入溝５６の幅をリブ３９の厚さとほぼ同じにして隙間をなくすことで、雨水が浸入するのを更に防止することができる。
【００７３】
また、仮に下辺フレーム部３ｂの挟持部５５に形成された挿入溝５６から雨水が浸入した場合であっても、その雨水は雨樋部３８に確実に流れ落ち、雨樋部３８の両端から後述する架台４の排水部７１に確実に流れ落ちるため、浸入した雨水を設置構造１の外に排水することが可能となっている。
【００７４】
尚、本実施例においては上辺フレーム部３ａの底板部２５に段部３１が設けられているが、下辺フレーム部３ｂの底板部４４に段部３１が設けられていてもよい。また、雨樋部３８が上辺フレーム部３ａの起立部２６に設けられているが、下辺フレーム部３ｂの起立部４５に設けられていてもよい。
【００７５】
また、本実施例では雪止め部６０は下辺フレーム部３ｂの上面５９に設けられているが、上辺フレーム部３ａの上面４３に設けられていてもよい。但し、上辺フレーム部３ａの上面４３に設けられている場合には、雪止め部６０に堰き止められて溜まった雪や雨水が上辺フレーム部３ａと下辺フレーム部３ｂとの間から浸入する可能性もあるため、下辺フレーム部３ｂの上面５９に設けられている方が望ましい。
【００７６】
上辺フレーム部３ａと下辺フレーム部３ｂの連結時に、図１３に示すように、上辺フレーム部３ａの上面４３と下辺フレーム部３ｂの上面５９とが面一になることが望ましい。面一にして段差をなくすことで、降雨時に上辺フレーム部３ａの上面４３及び下辺フレーム部３ｂの上面５９に雨水が吹き寄せられて溜まる事がないため、上辺フレーム部３ａと下辺フレーム部３ｂとの間から雨水が浸入するのを防止することができるとともに、意匠性の高い見た目の綺麗な設置構造１とすることができる。
【００７７】
また、上記構造により、縦フレーム部２と横フレーム部３の連結が可能となっている。具体的には、縦フレーム部２である左辺フレーム部２ａ及び右辺フレーム部２ｂの長手方向の両端付近においては支持部１２が設けられていないため、図６及び図７に示すように、脚部１０の側面１７に上辺フレーム部３ａの端面２９及び下辺フレーム部３ｂの端面４８を当接させることができる。そして、ネジ孔１４にネジ３０ａを挿入して上辺フレーム部３ａのタッピングホール２８及び下辺フレーム部３ｂのタッピングホール４６に螺合することで、縦フレーム部２と横フレーム部３とを連結することができる。
【００７８】
このとき、左辺フレーム部２ａ及び右辺フレーム部２ｂの脚部１０の側面１７、上辺フレーム部３ａの端面２９及び下辺フレーム部３ｂの端面４８はそれぞれ平面であるため、ぴったりと密着して隙間が無い状態となる。また、図１３に示すように、左辺フレーム部２ａ（右辺フレーム部２ｂ）の支持部１２の長手方向の両端面と、上辺フレーム部３ａの支持部３４の先端部または下辺フレーム部２ｂの支持部５１の先端部は接した状態となる。そのため、縦フレーム部２と横フレーム部３の間からの雨水の浸入を防止することができる。
【００７９】
また、縦フレーム部２（左辺フレーム部２ａ及び右辺フレーム部２ｂ）と横フレーム部３（上辺フレーム部３ａ及び下辺フレーム部３ｂ）の連結時に、縦フレーム部２の上面２４、上辺フレーム部３ａの上面４３及び下辺フレーム部３ｂの上面５９がほぼ同じ高さとなることが望ましい。
【００８０】
ほぼ同じ高さにして段差をなるべくなくすことで、降雨時に雨水が吹き寄せられて溜まりにくくなるため、縦フレーム部２と横フレーム部３との間から雨水が浸入するのを防止することができるとともに、意匠性の高い見た目の綺麗な設置構造１とすることができる。
【００８１】
また、上記のようにＰＶモジュール５の四辺の縁部９に縦フレーム部２及び横フレーム部３をシリコン等の接着剤２１で固定するとともに、縦フレーム部２及び横フレーム部３をネジ３０ａにより連結することで、図１及び図２に示すＰＶモジュール体６１を形成することができる。
【００８２】
尚、本実施例においては、縦フレーム部２及び横フレーム部３は鋼板またはアルミニウム合金などの金属で形成されているが、プラスチック等の樹脂で形成されていてもよい。
【００８３】
図８に示す４は、ＰＶモジュール体６１を支えるための架台である。架台４は、土台部６２とフレーム支持部６３からなり、全体が厚さの薄い鋼板またはアルミニウム合金で形成された金属製の長尺の部材である。
【００８４】
土台部６２を形成する底板部６４は、架台４の幅方向Ｅに延びるとともに全長に亘って設けられている。そして、その底板部６４の幅方向Ｅの両端には、両端面６５に向かって下降傾斜する傾斜面６６が全長に亘って設けられている。また、この傾斜面６６には、架台４を屋根２０１の屋根下地２０２上に固定するためのネジ孔６８が架台４の長手方向Ｆに沿って複数箇所に設けられている。
【００８５】
尚、このネジ孔６８は傾斜面６６に対して直角に設けられているため、図１２に示すように、架台４を屋根下地２０２上へ固定するときにネジ孔６８にネジ３０ｃ等を挿入しやすく、ネジ３０ｃ等の締め付け作業も容易になっている。
【００８６】
また、底板部６４の幅方向Ｅの両端よりやや内寄りの位置には、フレーム支持部６３側の斜め上方に開口する断面略Ｃ字状のタッピングホール７２が架台４の全長に亘って設けられている。これにより、二つの架台４，４を一直線に並べそれぞれのタッピングホール７２に一本の円柱状の細長いピン（図示せず）を挿入することで架台４を連続的につなぐことができ、長さの長い架台４が必要な場合にも対応することができる。
【００８７】
また、底板部６４の幅方向Ｅの両端よりやや内寄りの位置であって傾斜面６６の上部において、底板部６４に対して約６０度の角度で底板部６４の幅方向Ｅの両端に向かって上昇傾斜する仕切り部６９が底板部６４の全長に亘って設けられている。この仕切り部６９と底板部６４と後述するフレーム支持部６３の起立部７０とによって排水部７１が形成され、流れ込んできた雨水を本発明に係る設置構造１の外に排出する役割を果たす。尚、この仕切り部６９は、架台４の中段ぐらいの高さまで延設されているため、より多くの雨水を排出することが可能となっている。
【００８８】
尚、図８に示す底板部６４の裏面７３は平面であるが、底板部６４の長手方向Ｆに連続する波状の凹凸をその裏面７３の全体に亘って施してもよい。裏面７３を波状とすることで、毛細管現象により底板部６４の裏面７３と屋根下地２０２との間に雨水が浸入するのを防止することができる。
【００８９】
フレーム支持部６３は起立部７０と係止用突部７４とフランジ部７５とからなる。具体的には、底板部６４の中央において底板部６４に対し垂直に延びる起立部７０が底板部６４の全長に亘って設けられている。そして、その起立部７０の上端部には上段係止用突部７４ａが、その上段係止用突部７４ａのすぐ下部には下段係止用突部７４ｂが、起立部７０の中段やや下方にはフランジ部７５がそれぞれ底板部６４に対し水平に設けられるとともに、起立部７０の全長に亘って設けられている。
【００９０】
また、上段係止用突部７４ａ、下段係止用突部７４ｂ及びフランジ部７５は、起立部７０から左右に均等な幅で幅方向Ｅに突出するように設けられている。そして、フランジ部７５の幅は上段係止用突部７４ａ及び下段係止用突部７４ｂの幅よりも広く形成されている。
【００９１】
左右の両上段係止用突部７４ａの上面７６ａには、架台４に縦フレーム部２を設置した際に、架台４と縦フレーム部２の間からの雨水の浸入を防止するための小さな突起部７８が上段係止用突部７４ａの全長に亘って二本ずつ設けられている。また、架台４に縦フレーム部２を設置する際に縦フレーム部２が傷ついて錆びるのを防止するため、突起部７８は断面略半円状に形成されている。尚、突起部７８の本数は一本でも三本以上でも良いが、毛細管現象による雨水の浸入を防止するためには、複数本であることが望ましい。
【００９２】
また、上記のように突起部７８を設けて架台４と縦フレーム部２の接触面積を小さくすることで、突起部７８が無い場合に比べて接触面の面圧が上がり摩擦係数が減少するため、架台４に縦フレーム部２（ＰＶモジュール体６１）を設置する際の労力が軽減される。
【００９３】
また、左右の両フランジ部７５の上面７９であってその幅方向Ｅの端部には、上方へ突出する係止片８０がフランジ部７５の全長に亘って設けられている。
【００９４】
上記のような構成とすることで、架台４のフレーム支持部６３に縦フレーム部２を支持させて、ＰＶモジュール体６１を設置することが可能となる。具体的には、図１２に示すように、ＰＶモジュール体６１の縦フレーム部２である左辺フレーム部２ａ及び右辺フレーム部２ｂの脚部１０の下端部１３を架台４のフランジ部７５の上面７９に当接させる。
【００９５】
それと同時に、左辺フレーム部２ａ及び右辺フレーム部２ｂの上段係止部１１ａの底面１６ａと架台４の上段係止用突部７４ａの上面７６ａとを対峙させて係止させつつ、縦フレーム部２の下段係止部１１ｂの底面１６ｂと架台４の下段係止用突部７４ｂの上面７６ｂとを対峙させて係止させる。これにより、架台４のフレーム支持部６３の三カ所で縦フレーム部２を支持させることができるため、ＰＶモジュール体６１を安定的に設置することができる。
【００９６】
また、縦フレーム部２とフレーム支持部６３は、上記のように三カ所で接しているため、安定した状態でＰＶモジュール体６１の縦フレーム部２を架台４のフレーム支持部６３上の所望の位置までスライドさせて設置することができる。
【００９７】
また、上記のように架台４にＰＶモジュール体６１を設置する際に、ＰＶモジュール体６１が屋根２０１の桁行方向Ｇにずれそうな場合であっても、左辺フレーム部２ａ及び右辺フレーム部２ｂの脚部１０の下端部１３が架台４のフランジ部７５の係止片８０に衝突するため、ＰＶモジュール体６１が架台４から脱落するのを防止することができ、作業者が安全に設置作業を行うことができる。
【００９８】
尚、架台４の左右両側にＰＶモジュール体６１を支持させたときに、図１２に示すように、左辺フレーム部２ａと右辺フレーム部２ｂの互いの上段係止部１１ａ，１１ａの先端部１５ａ，１５ａの平面同士が隙間なく当接して、左辺フレーム部２ａの上面２４と右辺フレーム部２ｂの上面２４が面一な平面を形成し、架台４の左右の上段係止用突部７４ａの上面７６ａが完全に覆われる構造になっている。
【００９９】
そのため、降雨時における設置構造１内への雨水の浸入を防止することができるとともに、雨水が吹き寄せられて縦フレーム部２（左辺フレーム部２ａと右辺フレーム部２ｂ）の上面２４に溜まるのを防止することができる。
【０１００】
また、架台４の上段係止用突部７４ａと下段係止用突部７４ｂの間に形成された隙間８１に、ＰＶモジュール体６１の縦フレーム部２の下段係止部１１ｂを挿入した状態とすることで、ＰＶモジュール体６１の上下方向への移動が上段係止用突部７４ａと下段係止用突部７４ｂによって抑制されるため、ＰＶモジュール体６１を架台４に設置する際にＰＶモジュール体６１が強風により吹きあがるのを防止することができ、作業者が安全に設置作業を行うことができる。
【０１０１】
また、突起部１９は、縦フレーム部２の下段係止部１１ｂの底面１６ｂではなく、その底面１６ｂと対峙する架台４の下段係止用突部７４ｂの上面７６ｂに設けてもよいし、その両面に設けてもよい。また、突起部７８は、架台４の上段係止用突部７４ａの上面７６ａではなく、その上面７６ａと対峙する縦フレーム部２の上段係止部１１ａの底面１６ａに設けてもよいし、その両面に設けてもよい。尚、上記のように対峙する両面に突起部をそれぞれ設ける場合には、縦フレーム部２を架台４に設置したときにそれぞれの突起部同士が衝突しない位置に設ける必要がある。
【０１０２】
また、架台４の上段係止用突部７４ａの先端部８２ａ及び下段係止用突部７４ｂの先端部８２ｂには曲面が形成されている。更に、縦フレーム部２の下段係止部１１ｂの先端部１５ｂにも曲面が形成されている。これらの曲面により、架台４に縦フレーム部２をスムーズに設置することができるとともに、架台４や縦フレーム部２が傷ついて錆びるのを防止することができる。
【０１０３】
架台４のフランジ部７５の上面７９の高さは、底板部６４の上面８３よりも２０ｍｍ以上高いことが望ましい。上記の高さとすることで、架台４にＰＶモジュール体６１を設置した後であっても、底板部６４の上面８３付近や屋根下地２０２付近の通気性を確保できるため、屋根下地２０２の野地板２０４の腐食の原因となる湿気や、ＰＶモジュール５の発電効率を低下させる熱気が滞留するのを防止することができる。
【０１０４】
また、仕切り部６９の高さは、架台４の排水部７１に多くの雨水が流れ込んだ場合であってもその雨水を設置構造１の外に排出できるように、なるべく高く形成されていることが望ましいが、架台４にＰＶモジュール体６１を設置したときに、仕切り部６９が上辺フレーム部３ａの底板部２５及び下辺フレーム部３ｂの底板部４４に接触しないような高さとする必要がある。
【０１０５】
尚、架台４の長さは数メートルあり、どこで切断しても同じ断面となるように形成されているため、現場で必要な長さに切断して使用することが可能である。
【０１０６】
上記のように仕切り部６９が設けられているため、図１２に示すように、架台４にＰＶモジュール体６１を設置した後、当接する左辺フレーム部２ａと右辺フレーム部２ｂの上段係止部１１ａ，１１ａの先端部１５ａ，１５ａの間から雨水が浸入した場合であっても、その雨水を設置構造１の外へ排出することができる。
【０１０７】
具体的には、先端部１５ａ，１５ａの間から浸入した雨水は、架台４の上段係止用突部７４ａの上面７６ａと縦フレーム部２の上段係止部１１ａの底面１６ａとの間に形成された隙間８４ａに流れ込む。このとき、左右の上段係止用突部７４ａの上面７６ａに設けられた二本の突起部７８が縦フレーム部２の上段係止部１１ａの底面１６ａと接しているため、毛細管現象を含めた設置構造１の内部への雨水の浸入が防止される。そのため、雨水は隙間８４ａを通って架台４の下端部８５から排出される。
【０１０８】
また、より多くの雨水が隙間８４ａに流れ込んだ場合には、雨水は架台４の上段係止用突部７４ａの上面７６ａに設けられた突起部７８を乗り越えて、左右の上段係止用突部７４ａの先端部８２ａから縦フレーム部２（左辺フレーム部２ａ及び右辺フレーム部２ｂ）の下段係止部１１ｂの上面１８に流れ落ち、更には縦フレーム部２の下段係止部１１ｂの底面１６ｂと架台４の下段係止用突部７４ｂの上面７６ｂとの間に形成された隙間８４ｂに流れ込む。
【０１０９】
このとき、縦フレーム部２の下段係止部１１ｂの底面１６ｂに設けられた二本の突起部１９が架台４の下段係止用突部７４ｂの上面７６ｂと接しているため、毛細管現象を含めた設置構造１の更なる内部への雨水の浸入が防止される。そのため、雨水は縦フレーム部２の下段係止部１１ｂの上面１８または隙間８４ｂを通って架台４の下端部８５から排出される。
【０１１０】
また、より多くの雨水が隙間８４ｂに流れ込んだ場合には、雨水は縦フレーム部２の下段係止部１１ｂの底面１６ｂに設けられた突起部１９をくぐり抜け、下段係止用突部７４ｂの先端部８２ｂから架台４のフランジ部７５の上面７９に流れ落ちる。
【０１１１】
このとき、縦フレーム部２の脚部１０の下端部１３が架台４のフランジ部７５の上面７９と当接しているため、雨水の設置構造１の更なる内部への浸入が防止される。そのため、雨水はフランジ部７５の上面７９を通って架台４の下端部８５から排出される。
【０１１２】
また、より多くの雨水が架台４のフランジ部７５の上面７９に流れ落ちた場合には、雨水は縦フレーム部２の脚部１０の下端部１３をくぐり抜け、フランジ部７５の係止片８０を乗り越えて排水部７１へと流れ落ちる。そして、底板部６４の上面８３を通って架台４の下端部８５から排出される。
【０１１３】
尚、本実施例においては、架台４は鋼板またはアルミニウム合金などの金属で形成されているが、プラスチック等の樹脂で形成されていてもよい。
【０１１４】
図９に示す１０１は軒先部材である。この軒先部材１０１は、屋根２０１の軒先部２０５に沿って設置する長さの長い部材であり、ＰＶモジュール体６１の上を流れ落ちてきた雨水がＰＶモジュール体６１と屋根下地２０２との間から設置構造１の内部へ浸入するのを防止するとともに、その雨水を軒下へ流れ落とすためのものである。また、この軒先部材１０１は、厚さの薄い鋼板またはアルミニウム合金で形成されている。
【０１１５】
軒先部材１０１は、先端部１０４に向かって下降傾斜するルーフ部１０２と、そのルーフ部１０２の途中からルーフ部１０２と同じ側に下降傾斜する傾斜部１０３と、ルーフ部１０２及び傾斜部１０３と交わる底面部１０５を有し、これら３つの部材によって断面略扇状の筒状体に形成されている。そして、軒先部材１０１の長さは、横フレーム部３よりもやや長く形成されている。
【０１１６】
また、ルーフ部１０２は、屋根下地２０２上に設置されたＰＶモジュール体６１上を流れ落ちてきた雨水を軒下へ確実に流れ落とすため、その先端部１０４が底面部１０５よりも下方へ突出して延設されている。
【０１１７】
そして、ルーフ部１０２と底面部１０５とが交わって形成される鋭角の隅部には、筒状体の内側に開口するタッピングホール１０６が軒先部材１０１の全長に亘って設けられている。そのため、軒先部材１０１を軒先部２０５に一直線に並べてそれぞれのタッピングホール１０６に一本の細長い円柱状のピン１０８を挿入することで、軒先部材１０１を屋根２０１の桁行方向Ｇにつなぐことができる。
【０１１８】
また、底面部１０５は傾斜部１０３と交わる位置よりも突出する突出部１０５ａを有する。そのため、図１４に示すように、階段状の係止具１０９をネジ１１０ａ等により補助桟木２０３に固定することによって係止具１０９が形成する隙間に、底面部１０５の突出部１０５ａを挿入することで、軒先部材１０１を補助桟木２０３に固定することができる。
【０１１９】
尚、軒先部材１０１の筒状体の内部には、ルーフ部１０２の途中から傾斜部１０３と底面部１０５が交わる鈍角の隅部にかけて、軒先部材１０１の強度を保つための補強部１１１が設けられている。
【０１２０】
ルーフ部１０２の上端部１１２には、軒先部材１０１の長手方向Ｈに沿って挿入部１１３が延設されている。この挿入部１１３の両端は切り欠きかれ、軒先部材１０１の全長よりも少し短く形成されている。また、挿入部１１３の長さは、下辺フレーム部３ｂの挟持部５５の長さとほぼ同じであり、挿入部１１３の厚さは、下辺フレーム部３ｂの挿入溝５６の幅とほぼ同じである。
【０１２１】
そのため、下辺フレーム部３ｂの挟持部５５の挿入溝５６にシリコン等の接着材２１を流し込むとともに、軒先部材１０１の挿入部１１３を挿入して嵌合させることにより、下辺フレーム部３ｂに軒先部材１０１を固定することができる。尚、下辺フレーム部３ｂの挿入溝５６にシリコン等の接着剤２１を流し込んでいるため、挿入溝５６内への雨水の浸入を防止することができる。
【０１２２】
また、挿入部１１３においては、ルーフ部１０２の上端部１１２から挿入部１１３の上端部１１３ａに向かって下降傾斜する傾斜面１１４が設けられている。この傾斜面１１４は、下辺フレーム部３ｂの上方挟持部５５ａに設けられた傾斜面５８と同じ角度で傾斜している。
【０１２３】
そのため、図１４に示すように、最も軒先部２０５側に設置されたＰＶモジュール体６１の下辺フレーム部３ｂの挿入溝５６の奥まで軒先部材１０１の挿入部１１３を挿入して嵌合させると、下辺フレーム部３ｂの傾斜面５８と挿入部１１３の傾斜面１１４とが隙間なく接するようになっており、挿入溝５６内への雨水の浸入を防止することができる。
【０１２４】
また、ルーフ部１０２の挿入部１１３を下辺フレーム部３ｂの挟持部５５の挿入溝５６に挿入して嵌合させたときに、下辺フレーム部の３ｂの上面５９とルーフ部１０２の上部の上面１０７とが面一になるため、雨水が溜まることなく軒下へ流れ落ちる。また、意匠性の高い見た目の綺麗な設置構造１とすることができる。
【０１２５】
ルーフ部１０２の長手方向Ｈの両端であってその上方の角部１１５には、軒先部材１０１を架台４の上段係止突部７４ａに固定するためのネジ孔１１６が設けられている。そのため、軒先部材１０１はネジ孔１１６を介してネジ１１０ｂ等により架台４の上段係止突部７４ａに固定することができる。
【０１２６】
図１０に示す１１７は棟部材である。この棟部材１１７は、喚起棟２０６の喚起棟板２１３上を流れ落ちてきた雨水や喚起棟２０６付近に降ってきた雨水がＰＶモジュール体６１と屋根下地２０２との間から設置構造１の内部に浸入するのを防止するため、屋根２０１の棟部２１０に設けられた喚起棟２０６付近に設置される長さの長い部材である。また、この棟部材１１７は、厚さの薄い鋼板またはアルミニウム合金で形成されている。
【０１２７】
棟部材１１７は、長辺部１１８及び短辺部１１９を有し、その長辺部１１８と短辺部１１９が断面略Ｌ字状を形成している。そしてその長さは、ＰＶモジュール体６１の左辺フレーム部２ａと右辺フレーム部２ｂのそれぞれの上段係止部１１ａ，１１ａの先端部１５ａ，１５ａの間の距離とほぼ同じである。また、長辺部１１８の縁部１１８ａ付近には、複数のネジ孔１２０が棟部材１１７の長手方向Ｉに一列に設けられている。
【０１２８】
また、棟部材１１７の長辺部１１８の縁部１１８ａには、縁部１１８ａに向かって上昇傾斜する傾斜面１２１が設けられている。この傾斜面１２１は、上辺フレーム部３ａのリブ３９に設けられた傾斜面４２と同じ角度で傾斜している。
【０１２９】
そのため、図１５に示すように、最も棟部２１０側に設置されたＰＶモジュール体６１の上辺フレーム部３ａのリブ３９の上面４１及びその上辺フレーム部３ａの両側に位置する縦フレーム部２の上面２４を、棟部材１１７の長辺部１１８の裏面１２２で覆いつつ、リブ３９の傾斜面４２と棟部材１１７の傾斜面１２１とが接するように設置する。そして、ネジ孔１２０を介してネジ１１０ｃ等により棟部材１１７を上辺フレーム部３ａ及び縦フレーム部２に固定することができる。
【０１３０】
上記のように固定することで、棟部材１１７と上辺フレーム部３ａまたは縦フレーム部２との隙間を最小限にして固定することができる。そのため、棟部材１１７上に流れ落ちてきた雨水はＰＶモジュール体６１上に流れ落ちるため、設置構造１の内部への雨水の浸入を防止することができる。
【０１３１】
また、棟部材１１７の長辺部１１８の裏面１２２には、長辺部１１８に対し垂直に延びる係止部１２３が棟部材１１７の長手方向Ｉの両端付近以外のほぼ全長に亘って設けられている。そのため、上記のように棟部材１１７を固定する際に、棟部材１１７の係止部１２３を上辺フレーム部３ａのリブ３９の先端の曲面４０に当接させると、上辺フレーム部３ａのリブ３９に設けられた傾斜面４２と棟部材１１７に設けられた傾斜面１２１とが接するとともに棟部材１１７がリブ３９の上面４１からずれ落ちることがないため、容易に固定することができる。
【０１３２】
図１１に示す１２４はケラバ部材である。このケラバ部材１２４は、屋根２０１の袖部２０８においてケラバ包みを形成する屋根材２０７の上を流れ落ちてきた雨水やケラバ包み付近に降ってきた雨水が設置構造１の内部に浸入するのを防止するために、屋根２０１の袖部２０８のケラバ包みに設置される長尺の部材である。また、このケラバ部材１２４は、厚さの薄い鋼板またはアルミニウム合金で形成されている。
【０１３３】
そして、ケラバ部材１２４は立ち上り部１２５を有し、階段状になっている。また、このケラバ部材１２４の上段部１２６の幅Ｋは、架台４の左右の上段係止用突部７４ａの幅ｋよりもやや広めに形成されている。また、ケラバ部材１２４の上段部１２６には、ケラバ部材１２４の長手方向Ｌに一列に複数のネジ孔１２８が設けられている。
【０１３４】
そのため、図１６に示すように、袖部２０８の一番近くに設置された架台４の上段係止用突部７４ａの上面７６ａを、ケラバ部材１２４の上段部１２６の裏面１３１で覆うとともに、袖部２０８の屋根材２０７の上面２１１をケラバ部材１２４の下段部１３２の裏面１３３で覆うようにして設置し、複数のネジ孔１２８を介してネジ１１０ｄ等により架台４の上段係止用突部７４ａにケラバ部材１２４を固定することができる。
【０１３５】
また、ケラバ部材１２４の上段部１２６の端面１２９は平面であるため、ケラバ部材１２４を架台４の袖部２０８側の上段係止用突部７４ａの上面７６ａに固定した場合に、ケラバ部材１２４の上段部１２６の端面１２９と、架台４のもう一方の上段係止用突部７４ａと係止する縦フレーム部２の上段係止部１１ａの先端部１５ａとが隙間なく当接して、ケラバ部材１２４の上段部１２６の上面１３０と縦フレーム部２の上面２４が面一な平面を形成し、架台４の左右の上段係止用突部７４ａの上面７６ａが完全に覆われる構造になっている。
【０１３６】
そのため、ケラバ包みを形成する屋根材２０７の上を流れ落ちてきた雨水やケラバ包み付近に降ってきた雨水の設置構造１の内部への浸入を防止することができるとともに、雨水が吹き寄せられて縦フレーム部２の上面２４及びケラバ部材１２４の上段部１２６の上面１３０に溜まることによる設置構造１の内部への雨水の浸入を防止することができる。
【０１３７】
また、ケラバ部材１２４の端面１２９と縦フレーム部２の上段係止部１１ａの先端部１５ａとの間から雨水が浸入した場合であっても、その雨水は架台４の下端部８５から排出される。
【０１３８】
具体的には、ケラバ部材１２４の端面１２９と縦フレーム部２の上段係止部１１ａの先端部１５ａの間から浸入した雨水は、架台４の上段係止用突部７４ａの上面７６ａと縦フレーム部２の上段係止部１１ａの底面１６ａまたはケラバ部材１２４の上段部１２６の裏面１３１との間に形成された隙間８４ｃに流れ込む。
【０１３９】
このとき、左右の上段係止用突部７４ａの上面７６ａに設けられた二本の突起部７８は縦フレーム部２の上段係止部１１ａの底面１６ａやケラバ部材１２４の上段部１２６の裏面１３１と接しているため、毛細管現象を含めた設置構造１の内部への雨水の浸入が防止される。そのため、雨水は隙間８４ｃを通って架台４の下端部８５から排出される。
【０１４０】
また、より多くの雨水が隙間８４ｃに流れ込んだ場合であって、架台４の上段係止用突部７４ａの上面７６ａに設けられた突起部７８を乗り越えて、上段係止用突部７４ａの先端部８２ａから縦フレーム部２側に流れ落ちた雨水は、上記の雨水が隙間８４ａに流れ込んだ場合と同様にして架台４の下端部８５から排出される。
【０１４１】
一方、架台４の上段係止用突部７４ａの上面７６ａに設けられた突起部７８を乗り越えてケラバ部材１２４側に流れ落ちた雨水は、架台４の上段係止用突部７４ａの先端部８２ａからフランジ部７５の上面７９に流れ落ち、その上面７９を通って、架台４の下端部８５から排出される。
【０１４２】
また、より多くの雨水が架台４のフランジ部７５の上面７９に流れ落ちた場合には、雨水はフランジ部７５の上面に設けられた係止片８０を乗り越えて排水部７１へと流れ落ち、底板部６４の上面８３を通って架台４の下端部８５から排出される。
【０１４３】
ケラバ部材１２４の下段部１３２の裏面１３３には、断面略半円状の小さな突起部１３４がケラバ部材１２４の全長に亘って二本設けられている。また、上記のようにケラバ部材１２４を架台４に固定したとき、ケラバ部材１２４の下段部１３２の裏面１３３に設けられた突起部１３４は袖部２０８のケラバ包みを形成する屋根材２０７の上面２１１と接している。そのため、袖部２０８の屋根材２０７とケラバ部材１２４との間からの毛細管現象を含めた設置構造１の内部への雨水の浸入が防止される。
【０１４４】
また、袖部２０８の屋根材２０７とケラバ部材１２４との間から雨水が設置構造１の内部への浸入した場合であっても、上記の上段係止用突部７４ａの上面７６ａからケラバ部材１２４側に流れ落ちた雨水と同様に、架台４のフランジ部７５の上面７９や排水部７１へと流れ落ち、フランジ部７５の上面７９や底板部６４の上面８３を通って架台４の下端部８５から排出される。
【０１４５】
次に、本発明に係る設置構造１の屋根下地２０２上への設置方法について説明する。屋根２０１には、一面に張られた野地板２０４の上にルーフィング等の防水シート２０９が敷設された屋根下地２０２が形成されており、その上にまず架台４を設置する。この架台４は、図１７に示すように、屋根２０１の軒棟方向Ｍ（傾斜方向）に設置するとともに、軒先部２０５付近から棟部２１０付近にかけて設置し、底板部６４のネジ孔６８を介してネジ３０ｃにより屋根下地２０２上に固定する。
【０１４６】
また、架台４は屋根下地２０２上に等間隔かつ平行に複数本設置する。このときの架台４と架台４の距離は、横フレーム部３の長さよりもやや長めであり、屋根２０１の桁行方向Ｇの幅一杯に設置する。
【０１４７】
尚、架台４の長さが一本では足りない場合には、二つの架台４，４を一直線に並べそれぞれのタッピングホール７２に一本の円柱状の細長いピンを挿入して連続的につないで対応する。
【０１４８】
また、架台４にＰＶモジュール体６１を設置したときに、横フレーム部３が下方にたわむのを防止するとともにＰＶモジュール体６１を固定するための補助桟木２０３を屋根下地２０２上に設置する。具体的には、図１７に示すように、架台４と架台４の間において軒先部２０５付近から棟部２１０付近にかけて補助桟木２０３を架台４と平行に複数本設置し、釘１３５等により屋根下地２０２上に固定する。
【０１４９】
次に、軒先部２０５における補助桟木２０３上において、軒先部材１０１を設置する位置を決定し、図１４に示すように、係止具１０９をネジ１１０ａにより固定する。そして、係止具１０９が形成する隙間に軒先部材１０１の底面部１０５の突出部１０５ａを挿入することで軒先部材１０１を補助桟木２０３に固定する。
【０１５０】
このとき、ルーフ部１０２の角部１１５で架台４の上段係止用突部７４ａの上面７６ａを覆うように軒先部材１０１を設置し、角部１１５に形成されたネジ孔１１６を介してネジ１１０ｂにより軒先部材１０１を架台４の上段係止用突部７４ａにも固定する。
【０１５１】
そして、上記作業を繰り返し行い、図１７に示すように、屋根２０１の桁行方向Ｇの幅一杯に複数の軒先部材１０１を固定するとともに、隣り合う軒先部材１０１のそれぞれのタッピングホール１０６に一本の円柱状のピン１０８を挿入することで、隣り合う軒先部材１０１同士をつなぐ。
【０１５２】
次に、ＰＶモジュール５を用意し、その四辺に縦フレーム部２及び横フレーム部３を固定する。具体的には、まず縦フレーム部２である左辺フレーム部２ａ及び右辺フレーム部２ｂの支持溝２０、横フレーム部３である上辺フレーム部３ａの支持溝３５、そして下辺フレーム部３ｂの支持溝５２にシリコン等の接着剤２１を流し込む。
【０１５３】
そして、ＰＶモジュール５の左側の短辺の縁部９ａを左辺フレーム部２ａの支持溝２０に、右側の短辺の縁部９ａを右辺フレーム部２ｂの支持溝２０にそれぞれ挿入するとともに、上側の長辺の縁部９ｂを上辺フレーム部３ａの支持溝３５に、下側の長辺の縁部９ｂを下辺フレーム部３ｂの支持溝５２にそれぞれ挿入することでＰＶモジュール５に固定する。そして、上記のようにネジ３０ａにより縦フレーム部２と横フレーム部３とを連結することで、図１及び図２に示すＰＶモジュール体６１を形成する。尚、このＰＶモジュール体６１は、設置するＰＶモジュール５の数だけ形成する。
【０１５４】
次に、屋根下地２０２上の袖部２０８の一番近くに設置された架台４とそれと隣り合う架台４の上端部８６において、図１２及び図１６に示すように、第一段目のＰＶモジュール体６１（最も軒先部２０５側に設置されるＰＶモジュール体６１）の縦フレーム部２（左辺フレーム部２ａ及び右辺フレーム部２ｂ）の脚部１０の下端部１３を、上記隣り合う二つの架台４，４のフランジ部７５の上面７９にそれぞれ当接させるとともに、縦フレーム部２の上段係止部１１ａの底面１６ａを架台４の上段係止用突部７４ａの上面７６ａに、縦フレーム部２の下段係止部１１ｂの底面１６ｂを架台４の下段係止用突部７４ｂの上面７６ｂにそれぞれ係止させることにより、第一段目のＰＶモジュール体６１を上記隣り合う二つの架台４，４のフレーム支持部６３に支持させる。
【０１５５】
そして、軒先部２０５に向かってＰＶモジュール体６１をスライドさせ、架台４の下端部８５付近まで移動させる。そして、第一段目に設置されるＰＶモジュール体６１の下辺フレーム部３ｂの挿入溝５６にシリコン等の接着材２１を流し込み、図１４に示すように、先に軒先部２０５に設置されている軒先部材１０１の挿入部１１３をその挿入溝５６に挿入して嵌合させる。このとき、下辺フレーム部３ｂの上方挟持部５５ａに設けられた傾斜面５８と軒先部材１０１の挿入部１１３に設けられた傾斜面１１４が当接するまで挿入する。
【０１５６】
そして、図１３に示すように、上辺フレーム部３ａの平面部３１ａの切欠き部３３の位置にネジ３０ｂを打って補助桟木２０３に上辺フレーム部３ａを固定することにより、第一段目のＰＶモジュール体６１の設置が完了する。
【０１５７】
次に、架台４に第二段目のＰＶモジュール体６１を設置する。具体的には、第一段目のＰＶモジュール体６１を設置した隣り合う二つの架台４，４の上端部８６において、上記第一段目のＰＶモジュール体６１の場合と同様にして、その隣り合う二つの架台４，４のフレーム支持部６３に第二段目のＰＶモジュール体６１を支持させるとともに、軒先部２０５に向かってＰＶモジュール体６１をスライドさせながら移動させる。
【０１５８】
そして、第二段目のＰＶモジュール体６１を第一段目のＰＶモジュール体６１の直上まで移動させたときに、それぞれのＰＶモジュール５の裏面側８に設けられた端子ケーブルを接続して、第一段目のＰＶモジュール体５と第二段目のＰＶモジュール体５を電気的に接続する。
【０１５９】
そして、図１３に示すように、第二段目のＰＶモジュール体６１の下辺フレーム部３ｂの挿入溝５６に第一段目のＰＶモジュール体６１の上辺フレーム部３ａのリブ３９を挿入して嵌合させるとともに、第一段目のＰＶモジュール体６１の上辺フレーム部３ａの段部３１が形成する隙間３２に第二段目のＰＶモジュール体６１の下辺フレーム部３ｂの底板部４４を挿入する。このとき、第一段目のＰＶモジュール体６１を固定しているネジ３０ｂに第二段目のＰＶモジュール体６１の下辺フレーム部３ｂの切欠き部４９を係止させて動かないように固定する。
【０１６０】
そして、第二段目のＰＶモジュール体６１における下辺フレーム部３ｂの上方挟持部５５ａの先端部に設けられた傾斜面５８と、第一段目のＰＶモジュール体６１における上辺フレーム部３ａのリブ３９の上面４１に設けられた傾斜面４２が当接するまでリブ３９を挿入溝５６に挿入し、第一段目のＰＶモジュール体６１と第二段目のＰＶモジュール体６１とを連結させる。
【０１６１】
その後、第二段目のＰＶモジュール体６１の上辺フレーム部３ａの切欠き部３３の位置にネジ３０ｂを打って補助桟木２０３に上辺フレーム部３ａを固定することにより、第二段目のＰＶモジュール体６１の設置が完了する。
【０１６２】
尚、第三段目以降のＰＶモジュール体６１を設置する場合は、上記の第二段目のＰＶモジュール体６１を設置する場合と同様に、架台４にＰＶモジュール体６１を設置する作業、ＰＶモジュール５同士を電気的に接続する作業、上段に位置するＰＶモジュール体６１と下段に位置するＰＶモジュール体６１とを連結する作業及びＰＶモジュール体６１を補助桟木２０３に固定する作業を繰り返し行う。これにより、屋根２０１の軒棟方向ＭにＰＶモジュール５を連続して面一に設置することができ、意匠性の高い見た目も綺麗な設置構造１とすることができる。
【０１６３】
そして、隣り合う二つの架台４，４の間の全てにおいて、上記ＰＶモジュール体６１の設置作業を行う。このとき、図１２に示すように、架台４の左右両側に支持されたＰＶモジュール体６１，６１の隣り合う縦フレーム部２，２（右辺フレーム部２ｂと左辺フレーム部２ａ）の上段係止部１１ａの先端部１５ａ同士を隙間なく当接させて、架台４の左右の上段係止用突部７４ａ，７４ａの上面７６ａを完全に覆うように設置し固定する。これにより、屋根２０１の桁行方向ＧにもＰＶモジュール５を連続して面一に設置することができる。その後、屋根２０１の桁行方向ＧにおいてもＰＶモジュール５同士を電気的に接続し、すべてのＰＶモジュールを電気的に接続する。
【０１６４】
次に、図１６及び図１７に示すように、袖部２０８の一番近くに設置された架台４における袖部２０８側の上段係止用突部７４ａの上面７６ａの全面を、ケラバ部材１２４の上段部１２６の裏面１３１で覆うようにしてケラバ部材１２４を架台４に設置する。また、ケラバ部材１２４を複数設置する場合には、隣り合うケラバ部材１２４の長手方向Ｉの端面同士が隙間なく当接するように設置する。そして、ネジ孔１２８を介してネジ１１０ｄにより架台４にケラバ部材１２４を固定する。
【０１６５】
そして、屋根２０１の両端の袖部２０８に屋根材２０７でケラバ包みを形成する。このとき、ケラバ包みを形成する屋根材２０７の上面２１１がケラバ部材１２４の下段部１３２の裏面１３３により覆われるとともに、その裏面１３３に設けられた二本の突起部１３４が屋根材２０７の上面２１１と接するようにケラバ包みを形成する。
【０１６６】
次に、屋根２０１の棟部２１０において、図１５及び図１７に示すように、最も棟部２１０側に設置された全てのＰＶモジュール体６１の上辺フレーム部３ａのリブ３９の上面４１及びその上辺フレーム部３ａの両側に位置する縦フレーム部２の上面２４を、棟部材１１７の長辺部１１８の裏面１２２で覆うようにして棟部材１１７をＰＶモジュール体６１に設置する。
【０１６７】
このとき、棟部材１１７の係止部１２３を上辺フレーム部３ａのリブ３９の先端の曲面４０に当接させるとともに、棟部材１１７に設けられた傾斜面１２１を上辺フレーム部３ａのリブ３９に設けられた傾斜面４２に当接させながら設置する。また、隣り合う棟部材１１７の長手方向Ｌの端面同士が隙間なく当接するように設置する。そして、ネジ孔１２０を介してネジ１１０ｃにより棟部材１１７をＰＶモジュール体６１に固定する。
【０１６８】
最後に、屋根２０１の棟部２１０において、図１５に示すように、喚起棟２０６を設置する。このとき、棟部材１１７の短辺部１１９が喚起棟板２１３の下に潜り込むように喚起棟２０６を設置する。
【０１６９】
上記設置構造１によれば、設置構造１の内部への雨水の浸入を防止できるとともに、仮に雨水が設置構造１の内部に侵入した場合であっても、設置構造１の外部に排水することができる。
【０１７０】
具体的に説明すると、上辺フレーム３ａと下辺フレーム部３ｂとの隙間（下辺フレーム部３ｂの挿入溝５６）から雨水が設置構造１の内部に浸入した場合は、その雨水は雨樋部３８に流れ落ちる（図１３参照）。そして、雨水は雨樋部３８の両端から架台４の排水部７１へと流れ落ち（図１２参照）、その後、架台４の下端部８５から屋根下地２０２の防水シート２０９上に流れ落ち、最後は軒先部２０５から唐草部２１２を伝って地面へと流れ落ちる（図１４参照）。
【０１７１】
また、隣り合うＰＶモジュール体６１，６１の当接する縦フレーム部２，２（左辺フレーム部２ａと右辺フレーム部２ｂ）の上段係止部１１ａ，１１ａの先端部１５ａ，１５ａの間から雨水が設置構造１の内部に浸入した場合は、その雨水は上記のように、架台４の上段係止用突部７４ａの上面７６ａと縦フレーム部２の上段係止部１１ａの底面１６ａの間に形成された隙間８４ａ、縦フレーム部２の下段係止部１１ｂの上面１８、縦フレーム部２の下段係止部１１ｂの底面１６ｂと架台４の下段係止用突部７４ｂの上面７６ｂとの間に形成された隙間８４ｂ、フランジ部７５の上面７９、底板部６４の上面８３のいずれか一つまたは複数を通って架台４の下端部８５から排出される（図１２参照）。
【０１７２】
また、ケラバ部材１２４の端面１２９と縦フレーム部２の上段係止部１１ａの先端部１５ａの間から雨水が設置構造１の内部に浸入した場合は、その雨水は上記のように、架台４の上段係止用突部７４ａの上面７６ａと縦フレーム部２の上段係止部１１ａの底面１６ａまたはケラバ部材１２４の上段部１２６の裏面１３１との間に形成された隙間８４ｃ、縦フレーム部２の下段係止部１１ｂの上面１８、縦フレーム部２の下段係止部１１ｂの底面１６ｂと架台４の下段係止用突部７４ｂの上面７６ｂとの間に形成された隙間８４ｂ、フランジ部７５の上面７９、底板部６４の上面８３のいずれか一つまたは複数を通って架台４の下端部８５から排出される（図１６参照）。
【０１７３】
また、屋根２０１の袖部２０８においてケラバ包みを形成する屋根材２０７とケラバ部材１２４との間から雨水が設置構造１の内部に浸入した場合には、その雨水は上記のように、架台４のフランジ部７５の上面７９または底板部６４の上面８３のいずれか一方または両方を通って架台４の下端部８５から排出される。
【０１７４】
本発明に係る設置構造１は、上記のように雨水の浸入を防止する構造を有するとともに、浸入した雨水を排水する構造を有するため、屋根材としての役割も果たす。よって、本発明に係る設置構造１は、屋根下地２０２上に屋根材を葺く必要がないため、屋根２０１にＰＶモジュール５を設置する際のコストを削減することができる。また、屋根下地２０２上に屋根材を葺く必要がないため、作業者の屋根上での作業時間を短縮することができるとともに、屋根下地２０２上にかかる重量の負担を軽減することができる。
【０１７５】
そして、上記のように本発明に係る設置構造１は、屋根２０１の屋根下地２０２上へのＰＶモジュール５の設置作業が非常に容易であるため、作業者のＰＶモジュール５の設置労力が軽減されるとともに、作業者の屋根２０１上での作業時間を短縮できるため作業者の安全性が確保できる。
【０１７６】
尚、本発明に係る設置構造１は、屋根２０１の勾配角度に関わらず屋根下地２０２上にＰＶモジュール５を設置することができる。そのため、屋根２０１の角度が地面に対し水平であっても垂直であっても、屋根下地２０２上にＰＶモジュール５を設置することができる。
【符号の説明】
【０１７７】
１    設置構造              ７４    係止用突部
２    縦フレーム部          ７５    フランジ部
３    横フレーム部          ７８    突起部
４    架台                  ８０    係止片
５    ＰＶモジュール        ８１    隙間
９    縁部                  ８４    隙間
１０  脚部                  １０１  軒先部材
１１  係止部                １０２  ルーフ部
１２  支持部                １０３  傾斜部
１４  ネジ孔                １０５  底面部
１９  突起部                １０６  タッピングホール
２０  支持溝                １０８  ピン
２２  膨出部                １０９  係止具
２５  底板部                １１０  ネジ
２６  起立部                １１１  補強具
２８  タッピングホール      １１３  挿入部
３１  段部                  １１４  傾斜面
３３  切欠き部              １１５  角部
３４  支持部                １１６  ネジ孔
３５  支持溝                １１７  棟部材
３６  膨出部                １１８  長辺部
３８  雨樋部                １１９  短辺部
３９  リブ                  １２０  ネジ孔
４２  傾斜面                １２１  傾斜面
４４  底板部                １２３  係止部
４５  起立部                １２４  ケラバ部材
４６  タッピングホール      １２５  立ち上がり部
４９  切欠き部              １２６  上段部
５１  支持部                １２８  ネジ孔
５２  支持溝                １３２  下段部
５３  膨出部                １３４  突起部
５５  挟持部                １３５  釘
５６  挿入溝                ２０１  屋根
５８  傾斜面                ２０２  屋根下地
６０  雪止め部              ２０３  補助桟木
６１  ＰＶモジュール体      ２０４  野地板
６２  土台部                ２０５  軒先部
６３  フレーム支持部        ２０６  喚起棟
６４  底板部                ２０７  屋根材
６６  傾斜面                ２０８  袖部
６８  ネジ孔                ２０９  防水シート
６９  仕切り部              ２１０  棟部
７０  起立部                ２１２  唐草部
７１  排水部                ２１３  喚起棟板
７２  タッピングホール